(57)【要約】  ２つの電極間に発光層を含む１つまたはそれ以上の構成層を有し、該構成層が少なくとも２種のリン光発光性化合物を含有する白色発光有機エレクトロルミネッセンス素子において、該リン光発光性化合物の少なくとも一つが緑色発光性オルトメタル錯体であり、且つ、４００ｎｍ〜８００ｎｍの領域における発光スペクトル分布に占める、該緑色発光性オルトメタル錯体のスペクトル成分比率が６０％以上であることを特徴とする白色発光有機エレクトロルミネッセンス素子。【特許請求の範囲】
【請求項１】
２つの電極間に発光層を含む１つまたはそれ以上の構成層を有し、該構成層が少なくとも２種のリン光発光性化合物を含有する白色発光有機エレクトロルミネッセンス素子において、
該リン光発光性化合物の少なくとも一つが緑色発光性オルトメタル錯体であり、且つ、４００ｎｍ〜８００ｎｍの領域における発光スペクトル分布に占める、該緑色発光性オルトメタル錯体のスペクトル成分比率が６０％以上であることを特徴とする白色発光有機エレクトロルミネッセンス素子。
【請求項２】
前記リン光発光性化合物の少なくとも１種として、青色発光性オルトメタル錯体を含み、該青色発光性オルトメタル錯体の最も短波な発光の極大波長が４５５ｎｍ以下であることを特徴とする請求の範囲第１項に記載の白色発光有機エレクトロルミネッセンス素子。
【請求項３】
前記リン光発光性化合物の少なくとも１種として、赤色発光性オルトメタル錯体を含有することを特徴とする請求の範囲第１項に記載の白色発光有機エレクトロルミネッセンス素子。
【請求項４】
前記青色発光性オルトメタル錯体が、下記一般式（１）〜（６）で表される部分構造の少なくとも１種または該一般式（１）〜（６）で表される部分構造の各々の互変異性体の少なくとも１種を部分構造として有することを特徴とする請求の範囲第２項にに記載の白色発光有機エレクトロルミネッセンス素子。
2006008976.tif 000246
〔式中、Ｚ１１は、芳香族炭化水素環または芳香族複素環を形成するのに必要な原子群を表す。Ｒ11、Ｒ12、Ｒ13は、各々水素原子または置換基を表す。Ｍ11は、元素周期表における８族〜１０族の金属を表す。〕
2006008976.tif 000247
〔式中、Ｚ２１は芳香族炭化水素環または芳香族複素環を形成するのに必要な原子群を表す。Ｒ21、Ｒ22、Ｒ23は、各々水素原子または置換基を表す。Ｍ21は、元素周期表における８族〜１０族の金属を表す。〕
2006008976.tif 000248
〔式中、Ｚ３１は、芳香族炭化水素環または芳香族複素環を形成するのに必要な原子群を表す。Ｘ31、Ｘ32、Ｘ33は、各々炭素原子、−Ｃ（Ｒ3）−、窒素原子または−Ｎ（Ｒ3）−（ここで、Ｒ3は、水素原子または置換基を表す。）を表す。Ｃ31は炭素原子を表す。Ｍ31は、元素周期表における８族〜１０族の金属を表す。Ｃ31とＮとの間の結合、ＮとＸ33との間の結合、Ｘ32とＸ33との間の結合、Ｘ31とＸ32との間の結合、Ｃ31とＸ31との間の結合は、各々単結合または二重結合を表す。〕
2006008976.tif 000249
〔式中、Ｚ４１は、芳香族複素環を形成するのに必要な原子群を表す。Ｘ41、Ｘ42の少なくとも１つは、窒素原子または−Ｎ（Ｒ4）−（ここで、Ｒ4は、水素原子または置換基を表す。）を表す。Ｍ41は、元素周期表における８族〜１０族の金属を表す。Ｃ41、Ｃ42、Ｃ43は、各々炭素原子を表す。Ｍ41は、元素周期表における８族〜１０族の金属を表す。Ｃ41とＣ42との間の結合、Ｃ41とＸ42との間の結合、Ｘ41とＸ42との間の結合、Ｘ41とＣ43との間の結合、Ｃ42とＣ43との間の結合は、単結合または二重結合を表す。〕
2006008976.tif 000250
〔式中、Ｚ５１は、芳香族炭化水素環または芳香族複素環を形成するのに必要な原子群を表す。Ｘ51は、酸素原子または硫黄原子を表す。Ｒ51、Ｒ52は、水素原子または置換基を表す。Ｍ51は、元素周期表における８族〜１０族の金属を表す。〕
2006008976.tif 000251
〔式中、Ｚ６１は、芳香族炭化水素環または芳香族複素環を形成するのに必要な原子群を表す。Ｘ61、Ｘ62、Ｘ63は、各々炭素原子、−Ｃ（Ｒ6）−、窒素原子または−Ｎ（Ｒ6）−（ここで、Ｒ6は、水素原子または置換基を表す。）を表す。Ｍ61は、元素周期表における８族〜１０族の金属を表す。〕
【請求項５】
前記青色発光性オルトメタル錯体が、下記一般式（７）で表される白金錯体であることを特徴とする請求の範囲第２項に記載の白色発光有機エレクトロルミネッセンス素子。
2006008976.tif 000252
〔式中、Ｒ1、Ｒ2、Ｒ3、Ｒ4、Ｒ5、Ｒ6、Ｒ7は水素原子または置換基を表すが、その少なくとも一つは必ず置換基である。Ｒａは置換基を表し、Ｘａは酸素原子または硫黄原子を表す。Ｙ1−Ｌ1−Ｙ2は２座の配位子を表し、Ｙ1、Ｙ2は各々独立に酸素原子、窒素原子、炭素原子または硫黄原子を表し、Ｌ1はＹ1、Ｙ2と共に２座の配位子を形成するのに必要な原子群を表す。〕
【請求項６】
前記青色発光性オルトメタル錯体が、下記一般式（８）または（９）で表される部分構造を有する金属錯体であることを特徴とする請求の範囲第２項に記載の白色発光有機エレクトロルミネッセンス素子。
2006008976.tif 000253
〔式中、Ａ、Ｂ、Ｃは水素原子または置換基を表し、その少なくとも二つは、−Ｘａ−（Ｒａ）na（Ｒａは置換基を表す。Ｘａは、酸素原子、硫黄原子または窒素原子を表す。ｎａは１または２を表す。）で表され、互いに同一でも異なっていてもよい。Ｒ1、Ｒ2、Ｒ3、Ｒ4、Ｒ5は水素原子または置換基を表す。Ｍ1は元素周期表における第８族、第９族または第１０族の元素を表す。〕
2006008976.tif 000254
〔式中、Ｒｂ、Ｒｃ、Ｒｄは置換基を表し、Ｘｂ、Ｘｃ、Ｘｄは酸素原子、硫黄原子または窒素原子を表す。ｎｂ、ｎｃ、ｎｄは１または２を表す。Ｒ6、Ｒ7、Ｒ8、Ｒ9、Ｒ10は水素原子または置換基を表す。Ｍ2は元素周期表における第８族、第９族または第１０族の元素を表す。〕
【請求項７】
前記青色発光性オルトメタル錯体が、下記一般式（１０）で表される配位子を有する金属錯体、下記一般式（１１）または（１２）で表される部分構造を有する金属錯体または該一般式（１１）または（１２）で表される部分構造の各々の互変異生体を有する金属錯体であることを特徴とする請求の範囲第２項に記載の白色発光有機エレクトロルミネッセンス素子。
2006008976.tif 000255
〔式中、Ｘ1、Ｘ2、Ｘ3、Ｘ4は、各々独立に炭素原子または窒素原子を表し、Ｃ1、Ｃ2は炭素原子を表し、Ｚ１は、Ｃ1、Ｘ1、Ｘ3と共に、Ｚ２は、Ｃ2、Ｘ2、Ｘ4と共に、各々芳香族炭化水素環または芳香族複素環を形成するのに必要な原子群を表す。Ａ1は窒素原子またはホウ素原子を表し、Ｒ1は置換基を表す。Ｃ1とＸ1との間の結合、Ｃ2とＸ2との間の結合、Ｘ1とＸ3との間の結合、Ｘ2とＸ4との間の結合は単結合または二重結合を表す。〕
2006008976.tif 000256
〔式中、Ｃ3、Ｃ4、Ｃ5、Ｃ6、Ｃ7は、各々炭素原子を表し、Ｚ３は、Ｃ3、Ｃ4、Ｃ5と共に芳香族炭化水素環または芳香族複素環を形成するのに必要な原子群を表し、Ｚ４は、Ｃ6、Ｃ7、Ｎと共に芳香族複素環を形成するのに必要な原子群を表す。Ａ2は窒素原子またはホウ素原子を表し、Ｒ2は置換基を表し、Ｍ11は、元素周期表における第８族〜第１０族の元素を表す。Ｃ3とＣ4との間の結合、Ｃ4とＣ5との間の結合、Ｃ6とＣ7との間の結合、Ｃ7とＮとの間の結合は単結合または二重結合を表す。〕
2006008976.tif 000257
〔式中、Ａ3は窒素原子またはホウ素原子を表し、Ｒ3は置換基を表し、Ｒ4、Ｒ5は置換基を表す。ｎ１、ｎ２は、各々０〜３の整数を表す。Ｍ12は元素周期表における第８族〜第１０族の元素を表す。〕
【請求項８】
前記青色発光性オルトメタル錯体が、下記一般式（１３）で表される配位子を有する金属錯体、下記一般式（１４）で表される部分構造を有する金属錯体、下記一般式（１５）で表される部分構造またはその互変異性体を部分構造として有する金属錯体、下記一般式（１６）で表される配位子を有する金属錯体、下記一般式（１７）で表される部分構造を有する金属錯体、または下記一般式（１８）で表される部分構造を有する金属錯体であることを特徴とする請求の範囲第２項に記載の白色発光有機エレクトロルミネッセンス素子。
2006008976.tif 000258
〔式中、Ｘ1、Ｘ2、Ｘ3、Ｘ4は、各々独立に炭素原子または窒素原子を表し、Ｃ1、Ｃ2は、各々炭素原子を表し、Ｚ１は、Ｃ1、Ｘ1、Ｘ3と共に、Ｚ２は、Ｃ2、Ｘ2、Ｘ4と共に、各々芳香族炭化水素環または芳香族複素環を形成するのに必要な原子群を表す。Ａ1は炭素原子またはケイ素原子を表し、Ｒ1、Ｒ2は、各々独立に水素原子または置換基を表す。Ｃ1とＸ1との間の結合、Ｃ2とＸ2との間の結合、Ｘ1とＸ3との間の結合、Ｘ2とＸ4との間の結合は、各々単結合または二重結合を表す。〕
2006008976.tif 000259
〔式中、Ｃ3、Ｃ4、Ｃ5、Ｃ6、Ｃ7は、炭素原子を表し、Ｚ３は、Ｃ5、Ｃ3、Ｃ7と共に芳香族炭化水素環または芳香族複素環を形成するのに必要な原子群を表し、Ｚ４は、Ｃ6、Ｃ4、Ｎと共に芳香族複素環を形成するのに必要な原子群を表し、Ａ2は炭素原子またはケイ素原子を表し、Ｒ3、Ｒ4は、各々独立に水素原子または置換基を表す。Ｍ11は元素周期表における第８族〜第１０族の元素を表す。Ｃ5とＣ3との間の結合、Ｃ3とＣ7との間の結合、Ｃ6とＣ4との間の結合、Ｃ4とＮとの間の結合は、各々単結合または二重結合を表す。〕
2006008976.tif 000260
〔式中、Ａ3は炭素原子またはケイ素原子を表し、Ｒ5、Ｒ6は、各々独立に水素原子または置換基を表し、Ｒ7、Ｒ8は、各々独立に置換基を表す。ｎ１、ｎ２は、各々独立に０〜３の整数を表す。Ｍ12は、元素周期表における第８族〜第１０族の元素を表す。〕
2006008976.tif 000261
〔式中、Ｘ3、Ｘ4、Ｘ5、Ｘ6は、各々独立に炭素原子または窒素原子を表し、Ｃ8〜Ｃ13は、各々炭素原子を表し、Ｚ５は、Ｃ8、Ｘ3、Ｘ5と共に、Ｚ６は、Ｃ9、Ｘ4、Ｘ6と共に、Ｚ７は、Ｃ10、Ｃ11と共に、Ｚ８は、Ｃ12、Ｃ13と共に、各々独立に芳香族炭化水素環または芳香族複素環を形成するのに必要な原子群を表す。Ａ4は炭素原子またはケイ素原子を表す。Ｘ3とＸ5との間の結合、Ｘ4とＸ6との間の結合、Ｃ8とＸ3との間の結合、Ｃ9とＸ4との間の結合、Ｃ10とＣ11との間の結合、Ｃ12とＣ13との間の結合は、各々単結合、または、二重結合を表す。〕
2006008976.tif 000262
〔式中、Ｃ14〜Ｃ22は、各々炭素原子を表し、Ｚ９は、Ｃ16、Ｃ14、Ｃ18と共に、Ｚ１１は、Ｃ19、Ｃ20と共に、Ｚ１２は、Ｃ21、Ｃ22と共に、各々芳香族炭化水素環または芳香族複素環を形成するのに必要な原子群を表し、Ｚ１０は、Ｃ17、Ｃ15、Ｎと共に、芳香族複素環を形成するのに必要な原子群を表す。Ａ5は炭素原子またはケイ素原子を表す。Ｍ21は、元素周期表における第８族〜第１０族の元素を表す。Ｃ18とＣ14との間の結合、Ｃ14とＣ16との間の結合、Ｃ17とＣ15との間の結合、Ｃ15とＮとの間の結合、Ｃ19とＣ20との間の結合、Ｃ21とＣ22との間の結合は、各々単結合または二重結合を表す。〕
2006008976.tif 000263
〔式中、Ｚ１３は、Ｃ23、Ｃ24と共に、Ｚ１４は、Ｃ25、Ｃ26と共に、各々芳香族炭化水素環または芳香族複素環を形成するのに必要な原子群を表し、Ａ6は炭素原子またはケイ素原子を表す。Ｒ9、Ｒ10は各々独立に置換基を表す。ｎ３、ｎ４は、各々独立に０〜３の整数を表す。Ｍ22は元素周期表における第８族〜第１０族の元素を表す。Ｃ23とＣ24との間の結合、Ｃ25とＣ26との間の結合は、各々単結合または二重結合を表す。〕
【請求項９】
前記青色発光性オルトメタル錯体が、下記一般式（１９）〜（２７）からなる群から選択される少なくとも１種の白金錯体であることを特徴とする請求の範囲第２項に記載の白色発光有機エレクトロルミネッセンス素子。
2006008976.tif 000264
〔式中、Ｒ1、Ｒ2は、各々水素原子または置換基を表す。但し、Ｒ1、Ｒ2の少なくとも一つは該置換基である。Ｘ1、Ｘ2は、各々炭素原子、窒素原子、酸素原子、または、硫黄原子を表し、Ｚ1、Ｚ2は、各々芳香族炭化水素環または芳香族複素環を形成するのに必要な原子群を表す。ｎ１は、１または２の整数を表し、ｎ１が１の時、Ｌ１は二座配位子を表す。ｐ１、ｑ１は、各々０〜４の整数を表す。〕
2006008976.tif 000265
〔式中、Ｒ3、Ｒ4は、各々水素原子または置換基を表す。但し、Ｒ3、Ｒ4の少なくとも一つは該置換基である。ｎ２は、１または２の整数であり、ｎ２が１の時、Ｌ２は二座配位子を表す。ｐ２、ｑ２は、各々０〜４の整数を表す。〕
2006008976.tif 000266
〔式中、Ｒ5、Ｒ6は、各々水素原子または置換基を表す。Ｚ3は芳香族炭化水素環または芳香族複素環を形成するのに必要な原子群を表す。ｎ３は、１または２の整数であり、ｎ３が１の時、Ｌ３は、二座配位子を表す。ｐ３は０〜３の整数、ｑ３は０〜４の整数を表す。〕
2006008976.tif 000267
〔式中、Ｒ7、Ｒ8は、各々水素原子または置換基を表す。Ｒ9〜Ｒ13は、各々水素原子または置換基を表す。ｎ４は、１または２の整数であり、ｎ４が１の時、Ｌ４は二座配位子を表す。ｐ４は０〜３の整数、ｑ４は０〜４の整数を表す。〕
2006008976.tif 000268
〔式中、Ｒ14、Ｒ15は、各々水素原子または置換基を表す。Ｚ4は芳香族炭化水素環または芳香族複素環を形成するのに必要な原子群を表す。ｎ５は、１または２の整数であり、ｎ５が１の時、Ｌ５は二座配位子を表す。ｐ５は０〜４の整数、ｑ５は０〜３の整数を表す。〕
2006008976.tif 000269
〔式中、Ｒ16、Ｒ17は、各々水素原子または置換基を表す。Ｒ18〜Ｒ22は、各々水素原子または置換基を表す。ｎ６は、１または２の整数であり、ｎ６が１の時、Ｌ６は二座配位子を表す。ｐ６は０〜３の整数、ｐ７は０〜４の整数を表す。〕
2006008976.tif 000270
〔式中、Ｒ23、Ｒ24は、各々水素原子または置換基を表す。Ｚ5は、窒素原子と共に芳香族複素環を形成するのに必要な原子群を表す。ｎ７は、１または２の整数であり、ｎ７が１の時、Ｌ７は二座配位子を表す。ｐ８は０〜３の整数、ｑ６は０〜４の整数を表す。〕
2006008976.tif 000271
〔式中、Ｒ25、Ｒ26は、各々水素原子または置換基を表す。Ｚ6は、窒素原子と共に芳香族複素環を形成するのに必要な原子群を表す。ｎ８は、１または２の整数であり、ｎ８が１の時、Ｌ８は二座配位子を表す。ｐ９は０〜３の整数、ｑ７は０〜４の整数を表す。〕
2006008976.tif 000272
〔式中、Ｒ27、Ｒ28は、各々水素原子または置換基を表す。Ｒ27、Ｒ28の少なくとも一つは該置換基である。Ｌ０は二価の連結基を表す。Ｘ3、Ｘ4は、各々炭素原子、窒素原子、酸素原子または硫黄原子を表し、Ｚ7、Ｚ8は、各々芳香族炭化水素環または芳香族複素環を形成するのに必要な原子群を表す。ｎ９は、１または２の整数であり、ｎ９が１の時、Ｌ９は二座配位子を表す。ｐ１０、ｑ８は、各々０〜４の整数を表す。〕
【請求項１０】
前記青色発光性オルトメタル錯体が、下記一般式（２８）〜（３２）からなる群から選択される少なくとも１種の部分構造または該部分構造の互変異生体を含むことを特徴とする請求の範囲第２項に記載の白色発光有機エレクトロルミネッセンス素子。
2006008976.tif 000273
〔式中、Ｃは炭素原子、Ｎは窒素原子を表し、Ｚ11は炭素原子および窒素原子とともに芳香族複素環を形成するのに必要な原子群を表し、Ｚ12は炭素原子とともに非芳香族環を形成するのに必要な原子群を表し、Ｍは金属を表す。〕
2006008976.tif 000274
〔式中、Ｃは炭素原子、Ｎは窒素原子を表し、Ｚ21およびＺ22は、それぞれ炭素原子および窒素原子とともに芳香環を形成するのに必要な原子群を表し、Ｍは金属を表す。〕
2006008976.tif 000275
〔式中、Ｃは炭素原子、Ｎは窒素原子を表し、Ｚ31は炭素原子および窒素原子とともに芳香族複素環を形成するのに必要な原子群を表し、Ｚ32は炭素原子とともに５員または６員の芳香族複素環を形成するのに必要な炭素原子、窒素原子または酸素原子により構成される原子群を表し、Ｍは金属を表す。〕
2006008976.tif 000276
〔式中、Ｃは炭素原子、Ｎは窒素原子を表し、Ｚ41は炭素原子および窒素原子とともに環を形成するのに必要な原子群を表し、Ｚ42は炭素原子とともに環を形成するのに必要な原子群を表し、Ｍは金属を表す。〕
2006008976.tif 000277
〔式中、Ｃは炭素原子、Ｎは窒素原子を表し、Ｚ51は炭素原子および窒素原子とともに芳香族複素環を形成するのに必要な原子群を表し、Ｚ52は炭素原子とともにアズレン環を形成する原子群を表し、Ｍは金属を表す。〕
【請求項１１】
下記一般式（Ａ）または（Ｂ）で表される部分構造を有する白金錯体を含有することを特徴とする請求の範囲第２項に記載の白色発光有機エレクトロルミネッセンス素子。
2006008976.tif 000278
〔式中、Ｒ1、Ｒ2、Ｒ3、Ｒ4、Ｒ5、Ｒ6、Ｒ7は、各々水素原子または置換基を表すが、Ｒ1、Ｒ2、Ｒ3、Ｒ4の少なくとも一つは電子供与性基である。Ｒａ、Ｒｂは、各々置換基を表す。〕
2006008976.tif 000279
〔式中、Ｒ11、Ｒ12、Ｒ13、Ｒ14、Ｒ15、Ｒ16、Ｒ17は、各々水素原子または置換基を表すが、Ｒ11、Ｒ13の少なくとも一つは電子吸引性基である。Ｒｃ，Ｒｄは置換基を表す。〕
【請求項１２】
前記青色発光性オルトメタル錯体の最も短波な発光の極大波長が４５０ｎｍ以下であることを特徴とする請求の範囲第２項に記載の白色発光有機エレクトロルミネッセンス素子。
【請求項１３】
下記一般式（３３）で表される化合物を前記発光層または該発光層の隣接層に含むことを特徴とする請求の範囲第１項に記載の白色発光有機エレクトロルミネッセンス素子。
2006008976.tif 000280
〔式中、Ｚ1は置換基を有していてもよい芳香族複素環を表し、Ｚ2は、各々置換基を有していてもよい芳香族複素環または芳香族炭化水素環を表し、Ｚ3は２価の連結基または単なる結合手を表す。Ｒ101は水素原子または置換基を表す。〕
【請求項１４】
前記一般式（３３）で表される化合物のＺ1が、６員環であることを特徴とする請求の範囲第１３項に記載の白色発光有機エレクトロルミネッセンス素子。
【請求項１５】
前記一般式（３３）で表される化合物のＺ2が、６員環であることを特徴とする請求項１３または１４に記載の白色発光有機エレクトロルミネッセンス素子。
【請求項１６】
前記一般式（３３）で表される化合物のＺ3が、結合手であることを特徴とする請求の範囲第１３項に記載の白色発光有機エレクトロルミネッセンス素子。
【請求項１７】
前記一般式（３３）で表される化合物が、分子量４５０以上であることを特徴とする請求の範囲第１３項に記載の白色発光有機エレクトロルミネッセンス素子。
【請求項１８】
前記一般式（３３）で表される化合物が、下記一般式（３３−１）で表されることを特徴とする請求の範囲第１３項に記載の白色発光有機エレクトロルミネッセンス素子。
2006008976.tif 000281
〔式中、Ｒ501〜Ｒ507は、各々独立に、水素原子または置換基を表す。〕
【請求項１９】
前記一般式（３３）で表される化合物が、下記一般式（３３−２）で表されることを特徴とする請求の範囲第１３項に記載の白色発光有機エレクトロルミネッセンス素子。
2006008976.tif 000282
〔式中、Ｒ511〜Ｒ517は、各々独立に、水素原子または置換基を表す。〕
【請求項２０】
前記一般式（３３）で表される化合物が、下記一般式（３３−３）で表されることを特徴とする請求の範囲第１３項に記載の白色発光有機エレクトロルミネッセンス素子。
2006008976.tif 000283
〔式中、Ｒ521〜Ｒ527は、各々独立に、水素原子または置換基を表す。〕
【請求項２１】
前記一般式（３３）で表される化合物が、下記一般式（３３−４）で表されることを特徴とする請求の範囲第１３項に記載の白色発光有機エレクトロルミネッセンス素子。
2006008976.tif 000284
〔式中、Ｒ531〜Ｒ537は、各々独立に、水素原子または置換基を表す。〕
【請求項２２】
前記一般式（３３）で表される化合物が、下記一般式（３３−５）で表されることを特徴とする請求の範囲第１３項に記載の白色発光有機エレクトロルミネッセンス素子。
2006008976.tif 000285
〔式中、Ｒ541〜Ｒ548は、各々独立に、水素原子または置換基を表す。〕
【請求項２３】
前記一般式（３３）で表される化合物が、下記一般式（３３−６）で表されることを特徴とする請求の範囲第１３項に記載の白色発光有機エレクトロルミネッセンス素子。
2006008976.tif 000286
〔式中、Ｒ551〜Ｒ558は、各々独立に、水素原子または置換基を表す。〕
【請求項２４】
前記一般式（３３）で表される化合物が、下記一般式（３３−７）で表されることを特徴とする請求の範囲第１３項に記載の白色発光有機エレクトロルミネッセンス素子。
2006008976.tif 000287
〔式中、Ｒ561〜Ｒ567は、各々独立に、水素原子または置換基を表す。〕
【請求項２５】
前記一般式（３３）で表される化合物が、下記一般式（３３−８）で表されることを特徴とする請求の範囲第１３項に記載の白色発光有機エレクトロルミネッセンス素子。
2006008976.tif 000288
〔式中、Ｒ571〜Ｒ577は、各々独立に、水素原子または置換基を表す。〕
【請求項２６】
前記一般式（３３）で表される化合物が、下記一般式（３３−９）で表されることを特徴とする請求の範囲第１３項に記載の白色発光有機エレクトロルミネッセンス素子。
一般式(33−9)
2006008976.tif 000289
〔式中、Ｒ５８１〜Ｒ５８８は、各々独立に水素原子または置換基を表す。〕
【請求項２７】
前記一般式（３３）で表される化合物が、下記一般式（３３−１０）で表されることを特徴とする請求の範囲第１３項に記載の白色発光有機エレクトロルミネッセンス素子。
一般式(33−10)
2006008976.tif 000290
〔式中、Ｒ５９１〜Ｒ５９８は、各々独立に水素原子または置換基を表す。〕
【請求項２８】
前記一般式（３３）で表される化合物が、下記一般式（３４−１）〜（３４−１０）のいずれかで表される基を少なくとも一つ有することを特徴とする請求の範囲第１３項に記載の白色発光有機エレクトロルミネッセンス素子。
2006008976.tif 000291
2006008976.tif 000292
〔式中、Ｒ502〜Ｒ507、Ｒ512〜Ｒ517、Ｒ522〜Ｒ527、Ｒ532〜Ｒ537、Ｒ542〜Ｒ548、Ｒ552〜Ｒ558、Ｒ562〜Ｒ567、Ｒ572〜Ｒ577、Ｒ582〜Ｒ588、Ｒ592〜Ｒ598は、各々独立に、水素原子または置換基を表し、該置換基は各々同一でもよく、異なっていてもよい。〕
【請求項２９】
前記一般式（３３）で表される化合物が下記一般式（３５）で表されることをを特徴とする請求の範囲第２８項に記載の白色発光有機エレクトロルミネッセンス素子。
2006008976.tif 000293
〔式中、Ｒ601〜Ｒ606は、各々独立に、水素原子または置換基を表すが、Ｒ601〜Ｒ606の少なくとも一つは前記一般式（３４−１）〜（３４−１０）で表される基から選ばれる少なくとも一つの基を表す。〕
【請求項３０】
前記一般式（３３）で表される化合物が下記一般式（３６）で表されることをを特徴とする請求の範囲第２８項に記載の白色発光有機エレクトロルミネッセンス素子。
2006008976.tif 000294
〔式中、Ｒ611〜Ｒ620は、各々独立に、水素原子または置換基を表すが、Ｒ611〜Ｒ620の少なくとも一つは前記一般式（３４−１）〜（３４−１０）で表される基から選ばれる少なくとも一つの基を表す。〕
【請求項３１】
前記一般式（３３）で表される化合物が下記一般式（３７）で表されることをを特徴とする請求の範囲第２８項に記載の白色発光有機エレクトロルミネッセンス素子。
2006008976.tif 000295
〔式中、Ｒ621〜Ｒ623は、各々独立に、水素原子または置換基を表すが、Ｒ621〜Ｒ623の少なくとも一つは前記一般式（３４−１）〜（３４−１０）で表される基から選ばれる少なくとも一つの基を表す。〕
【請求項３２】
前記一般式（３３）で表される化合物が下記一般式（３８）で表されることをを特徴とする請求の範囲第２８項に記載の白色発光有機エレクトロルミネッセンス素子。    
2006008976.tif 000296
〔式中、Ｒ631〜Ｒ645は、各々独立に、水素原子または置換基を表すが、Ｒ631〜Ｒ645の少なくとも一つは前記一般式（３４−１）〜（３４−１０）で表される基から選ばれる少なくとも一つの基を表す。〕
【請求項３３】
前記一般式（３３）で表される化合物が下記一般式（３９）で表されることをを特徴とする請求の範囲第２８項に記載の白色発光有機エレクトロルミネッセンス素子。    
2006008976.tif 000297
〔式中、Ｒ651〜Ｒ656は、各々独立に、水素原子または置換基を表すが、Ｒ651〜Ｒ656の少なくとも一つは前記一般式（３４−１）〜（３４−１０）で表される基から選ばれる少なくとも一つの基を表す。ｎａは０〜５の整数を表し、ｎｂは１〜６の整数を表すが、ｎａとｎｂの和は６である。〕
【請求項３４】
前記一般式（３３）で表される化合物が下記一般式（４０）で表されることをを特徴とする請求の範囲第２８項に記載の白色発光有機エレクトロルミネッセンス素子。    
2006008976.tif 000298
〔式中、Ｒ661〜Ｒ672は、各々独立に、水素原子または置換基を表すが、Ｒ661〜Ｒ672の少なくとも一つは前記一般式（３４−１）〜（３４−１０）で表される基から選ばれる少なくとも一つの基を表す。〕
【請求項３５】
前記一般式（３３）で表される化合物が下記一般式（４１）で表されることをを特徴とする請求の範囲第２８項に記載の白色発光有機エレクトロルミネッセンス素子。
2006008976.tif 000299
〔式中、Ｒ681〜Ｒ688は、各々独立に、水素原子または置換基を表すが、Ｒ681〜Ｒ688の少なくとも一つは前記一般式（３４−１）〜（３４−１０）で表される基から選ばれる少なくとも一つの基を表す。〕
【請求項３６】
前記一般式（３３）で表される化合物が下記一般式（４２）で表されることをを特徴とする請求の範囲第２８項に記載の白色発光有機エレクトロルミネッセンス素子。
2006008976.tif 000300
〔式中、Ｒ691〜Ｒ700は、各々独立に、水素原子または置換基を表すが、Ｌ1は２価の連結基を表す。Ｒ691〜Ｒ700の少なくとも一つは前記一般式（３４−１）〜（３４−１０）で表される基から選ばれる少なくとも一つの基を表す。〕
【請求項３７】
前記一般式（３３）で表される化合物が、下記一般式（４３）で表されることを特徴とする請求の範囲第１３項に記載の白色発光有機エレクトロルミネッセンス素子。
2006008976.tif 000301
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。〕
【請求項３８】
前記一般式（３３）で表される化合物が、下記一般式（４４）で表されることを特徴とする請求の範囲第１３項に記載の白色発光有機エレクトロルミネッセンス素子。
2006008976.tif 000302
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。〕
【請求項３９】
前記一般式（３３）で表される化合物が、下記一般式（４５）で表されることを特徴とする請求の範囲第１３項に記載の白色発光有機エレクトロルミネッセンス素子。
2006008976.tif 000303
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。〕
【請求項４０】
前記一般式（３３）で表される化合物が、下記一般式（４６）で表されることを特徴とする請求の範囲第１３項に記載の白色発光有機エレクトロルミネッセンス素子。
2006008976.tif 000304
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。〕
【請求項４１】
前記一般式（３３）で表される化合物が、下記一般式（４７）で表されることを特徴とする請求の範囲第１３項に記載の白色発光有機エレクトロルミネッセンス素子。
2006008976.tif 000305
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。Ｚ1、Ｚ2、Ｚ3、Ｚ4は、各々窒素原子を少なくとも一つ含む６員の芳香族複素環を表す。〕
【請求項４２】
前記一般式（３３）で表される化合物が、下記一般式（４８）で表されることを特徴とする請求の範囲第１３項に記載の白色発光有機エレクトロルミネッセンス素子。
2006008976.tif 000306
〔式中、ｏ、ｐは、各々１〜３の整数を表し、Ａｒ1、Ａｒ2は、各々アリーレン基または２価の芳香族複素環基を表す。Ｚ1、Ｚ2は、各々窒素原子を少なくとも一つ含む６員の芳香族複素環を表し、Ｌは、２価の連結基を表す。〕
【請求項４３】
前記一般式（３３）で表される化合物が、下記一般式（４９）で表されることを特徴とする請求の範囲第１３項に記載の白色発光有機エレクトロルミネッセンス素子。
2006008976.tif 000307
〔式中、ｏ、ｐは、各々１〜３の整数を表し、Ａｒ1、Ａｒ2は、各々２価のアリーレン基または２価の芳香族複素環基を表す。Ｚ1、Ｚ2、Ｚ3、Ｚ4は、各々窒素原子を少なくとも一つ含む６員の芳香族複素環を表し、Ｌは、２価の連結基を表す。〕
【請求項４４】
前記リン光発光性化合物の少なくとも２種が該発光層または該発光層の隣接層に含有されることを特徴とする請求の範囲第６項に記載の白色発光白色発光有機エレクトロルミネッセンス素子。
【請求項４５】
請求の範囲第１項に記載の白色発光有機エレクトルミネッセンス素子を有することを特徴とする表示装置。
【請求項４６】
請求の範囲第１項に記載の有機エレクトルミネッセンス素子を有することを特徴とする照明装置。
【発明の詳細な説明】
【技術分野】
【０００１】
本発明は白色発光有機エレクトロルミネッセンス素子、表示装置及び照明装置に関する。
【背景技術】
【０００２】
従来、発光型の電子ディスプレイ素子（電子ディスプレイデバイスともいう）として、エレクトロルミネッセンスディスプレイ（以下、ＥＬＤという）がある。ＥＬＤの構成要素としては、無機エレクトロルミネッセンス素子や有機エレクトロルミネッセンス素子（以下、有機ＥＬ素子という）が挙げられる。無機エレクトロルミネッセンス素子は平面型光源として使用されてきたが、発光素子を駆動させるためには交流の高電圧が必要である。有機ＥＬ素子は、発光する化合物を含有する発光層を陰極と陽極で挟んだ構成を有し、発光層に電子及び正孔を注入して、再結合させることにより励起子（エキシトン）を生成させ、このエキシトンが失活する際の光の放出（蛍光・燐光）を利用して発光する素子であり、数Ｖ〜数十Ｖ程度の電圧で発光が可能であり、さらに、自己発光型であるために視野角に富み、視認性が高く、薄膜型の完全固体素子であるために省スペース、携帯性等の観点から注目されている。【０００３】
しかしながら、今後の実用化に向けた有機ＥＬ素子においては、さらに低消費電力で効率よく高輝度に発光する有機ＥＬ素子の開発が望まれている。【０００４】
特許第３０９３７９６号明細書では、スチルベン誘導体、ジスチリルアリーレン誘導体またはトリススチリルアリーレン誘導体に、微量の蛍光体をドープし、発光輝度の向上、素子の長寿命化を達成している。【０００５】
また、８−ヒドロキシキノリンアルミニウム錯体をホスト化合物として、これに微量の蛍光体をドープした有機発光層を有する素子（例えば、特開昭６３−２６４６９２号公報）、８−ヒドロキシキノリンアルミニウム錯体をホスト化合物として、これにキナクリドン系色素をドープした有機発光層を有する素子（例えば、特開平３−２５５１９０号公報）等が知られている。【０００６】
以上のように、励起一重項からの発光を用いる場合、一重項励起子と三重項励起子の生成比が１：３であるため発光性励起種の生成確率が２５％であり、光の取り出し効率が約２０％であるため、外部取り出し量子効率（ηｅｘｔ）の限界は５％とされている。【０００７】
ところが、プリンストン大より励起三重項からの燐光発光を用いる有機ＥＬ素子の報告（Ｍ．Ａ．Ｂａｌｄｏ  ｅｔ  ａｌ．，ｎａｔｕｒｅ、３９５巻、１５１−１５４ページ（１９９８年））がされて以来、室温で燐光を示す材料の研究が活発になってきている。【０００８】
例えばＭ．Ａ．Ｂａｌｄｏ  ｅｔ  ａｌ．，ｎａｔｕｒｅ、４０３巻、１７号、７５０−７５３ページ（２０００年）、また米国特許第６，０９７，１４７号明細書等にも開示されている。【０００９】
励起三重項を使用すると、内部量子効率の上限が１００％となるため、励起一重項の場合に比べて原理的に発光効率が４倍となり、冷陰極管とほぼ同等の性能が得られる可能性があることから照明用途としても注目されている。【００１０】
例えば、Ｓ．Ｌａｍａｎｓｋｙ  ｅｔ  ａｌ．，Ｊ．Ａｍ．Ｃｈｅｍ．Ｓｏｃ．，１２３巻，４３０４ページ（２００１年）等においては、多くの化合物がイリジウム錯体系等重金属錯体を中心に合成検討されている。【００１１】
また、前述のＭ．Ａ．Ｂａｌｄｏ  ｅｔ  ａｌ．，ｎａｔｕｒｅ，４０３巻，１７号，７５０−７５３ページ（２０００年）においては、ドーパントとして、トリス（２−フェニルピリジン）イリジウムを用いた検討がされている。【００１２】
その他、Ｍ．Ｅ．Ｔｏｍｐｓｏｎ等は、Ｔｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ’００、浜松）において、ドーパントとしてＬ2Ｉｒ（ａｃａｃ）、例えば、（ｐｐｙ）2Ｉｒ（ａｃａｃ）を、また、Ｍｏｏｎ−Ｊａｅ
Ｙｏｕｎ．０ｇ、Ｔｅｔｓｕｏ  Ｔｓｕｔｓｕｉ等は、やはり、Ｔｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ’００、浜松）において、ドーパントとして、トリス（２−（ｐ−トリル）ピリジン）イリジウム（Ｉｒ（ｐｔｐｙ）3），トリス（ベンゾ［ｈ］キノリン）イリジウム（Ｉｒ（ｂｚｑ）3）等を用いた検討を行っている（なおこれらの金属錯体は一般にオルトメタル化イリジウム錯体と呼ばれている。）。【００１３】
また、前記、Ｓ．Ｌａｍａｎｓｋｙ  ｅｔ  ａｌ．，Ｊ．Ａｍ．Ｃｈｅｍ．Ｓｏｃ．，１２３巻，４３０４ページ（２００１年）等においても、各種イリジウム錯体を用いて素子化する試みがされている。【００１４】
また、高い発光効率を得るために、Ｔｈｅ  １０ｔｈ  Ｉｎｔｅｒｎａｔｉｏｎａｌ  Ｗｏｒｋｓｈｏｐ  ｏｎ  Ｉｎｏｒｇａｎｉｃ  ａｎｄ  Ｏｒｇａｎｉｃ  Ｅｌｅｃｔｒｏｌｕｍｉｎｅｓｃｅｎｃｅ（ＥＬ’００、浜松）では、Ｉｋａｉ等はホール輸送性の化合物を燐光性化合物のホストとして用いている。また、Ｍ．Ｅ．Ｔｏｍｐｓｏｎ等は、各種電子輸送性材料を燐光性化合物のホストとして、これらに新規なイリジウム錯体をドープして用いている。【００１５】
中心金属をイリジウムの代わりに白金としたオルトメタル化錯体も注目されている。この種の錯体に関しては、配位子に特徴を持たせた例が多数知られている（例えば、特許文献１〜５及び非特許文献１参照。）。【００１６】
何れの場合も発光素子とした場合の発光輝度や発光効率は、その発光する光が燐光に由来することから、従来の素子に比べ大幅に改良されるものであるが、素子の発光寿命については従来の素子よりも低いという問題点があった。このように、りん光性の高効率の発光材料は、発光波長の短波化と素子の発光寿命の改善が難しく実用に耐えうる性能を十分に達成できていないのが現状である。【００１７】
また、波長の短波化に関しては、これまでフェニルピリジンにフッ素原子、トリフルオロメチル基、シアノ基等の電子吸引基を置換基として導入すること、配位子としてピコリン酸やピラザボール系の配位子を導入することが知られている（例えば、特許文献６〜１０及び非特許文献１〜４参照。）が、これらの配位子では発光材料の発光波長が短波化して青色を達成し、高効率の素子を達成できる一方、素子の発光寿命は大幅に劣化するため、そのトレードオフの改善が求められていた。
【特許文献１】特開２００２−３３２２９１号公報
【特許文献２】特開２００２−３３２２９２号公報
【特許文献３】特開２００２−３３８５８８号公報
【特許文献４】特開２００２−２２６４９５号公報
【特許文献５】特開２００２−２３４８９４号公報
【特許文献６】国際公開第０２／１５６４５号パンフレット
【特許文献７】特開２００３−１２３９８２号公報
【特許文献８】特開２００２−１１７９７８号公報
【特許文献９】特開２００３−１４６９９６号公報
【特許文献１０】国際公開第０４／０１６７１１号パンフレット
【非特許文献１】Ｉｎｏｒｇａｎｉｃ  Ｃｈｅｍｉｓｔｒｙ，第４１巻，第１２号，３０５５〜３０６６ページ（２００２年）
【非特許文献２】Ａｐｌｉｅｄ  Ｐｈｙｓｉｃｓ  Ｌｅｔｔｅｒｓ，第７９巻，２０８２ページ（２００１年）
【非特許文献３】Ａｐｌｉｅｄ  Ｐｈｙｓｉｃｓ  Ｌｅｔｔｅｒｓ，第８３巻，３８１８ページ（２００３年）
【非特許文献４】Ｎｅｗ  Ｊｏｕｒｎａｌ  ｏｆ  Ｃｈｅｍｉｓｔｒｙ，第２６巻，１１７１ページ（２００２年）
【発明の開示】
【００１８】
本発明の目的は、高発光輝度、高発光効率を示し、且つ、白色発光のＣＩＥ色度に優れた有機ＥＬ素子、前記素子を用いた表示装置及び照明装置を提供することである。
【００１９】
上記目的を達成するための本発明の態様の一つは、２つの電極間に少なくとも２種のリン光発光性化合物を含有する白色発光有機エレクトロルミネッセンス素子において、
該リン光発光性化合物の少なくとも一つが緑色発光性オルトメタル錯体であり、且つ、４００ｎｍ〜８００ｎｍの領域における発光スペクトル分布に占める、該緑色発光性オルトメタル錯体のスペクトル成分比率が６０％以上であることを特徴とする白色発光有機エレクトロルミネッセンス素子にある。
【図面の簡単な説明】
【００２０】
【図１】白色発光有機ＥＬ素子を備えた表示装置の一例を示した模式図である。
【図２】表示部Ａの模式図である。
【図３】画素を構成する駆動回路の等価回路図である。
【図４】パッシブマトリクス方式による表示装置の模式図である。
【図５】白色発光有機ＥＬ素子−１の封止構造の概略模式図である。
【図６】白色発光有機ＥＬ素子を具備してなる照明装置の模式図である。
【図７】緑色スペクトル成分測定用試料ＧＯＬＥＤ−１のスペクトル曲線を示す。
【図８】緑色スペクトル成分測定用試料ＧＯＬＥＤ−５のスペクトル曲線を示す。
【発明を実施するための最良の形態】
【００２１】
本発明の上記目的は、下記の構成１〜４６により達成された。
（１）  ２つの電極間に発光層を含む１つまたはそれ以上の構成層を有し、該構成層が少なくとも２種のリン光発光性化合物を含有する白色発光有機エレクトロルミネッセンス素子において、
該リン光発光性化合物の少なくとも一つが緑色発光性オルトメタル錯体であり、且つ、４００ｎｍ〜８００ｎｍの領域における発光スペクトル分布に占める、該緑色発光性オルトメタル錯体のスペクトル成分比率が６０％以上であることを特徴とする白色発光有機エレクトロルミネッセンス素子。
（２）  前記リン光発光性化合物の少なくとも１種として、青色発光性オルトメタル錯体を含み、該青色発光性オルトメタル錯体の最も短波な発光の極大波長が４５５ｎｍ以下であることを特徴とする前記（１）に記載の白色発光有機エレクトロルミネッセンス素子。
（３）  前記リン光発光性化合物の少なくとも１種として、赤色発光性オルトメタル錯体を含有することを特徴とする前記（１）または（２）に記載の白色発光有機エレクトロルミネッセンス素子。
（４）  前記青色発光性オルトメタル錯体が、下記一般式（１）〜（６）で表される部分構造の少なくとも１種または該一般式（１）〜（６）で表される部分構造の各々の互変異性体の少なくとも１種を部分構造として有することを特徴とする前記（２）または（３）に記載の白色発光有機エレクトロルミネッセンス素子。
2006008976.tif 000002
【００２２】
〔式中、Ｚ１１は、芳香族炭化水素環または芳香族複素環を形成するのに必要な原子群を表す。Ｒ11、Ｒ12、Ｒ13は、各々水素原子または置換基を表す。Ｍ11は、元素周期表における８族〜１０族の金属を表す。〕
2006008976.tif 000003
【００２３】
〔式中、Ｚ２１は芳香族炭化水素環または芳香族複素環を形成するのに必要な原子群を表す。Ｒ21、Ｒ22、Ｒ23は、各々水素原子または置換基を表す。Ｍ21は、元素周期表における８族〜１０族の金属を表す。〕
2006008976.tif 000004
【００２４】
〔式中、Ｚ３１は、芳香族炭化水素環または芳香族複素環を形成するのに必要な原子群を表す。Ｘ31、Ｘ32、Ｘ33は、各々炭素原子、−Ｃ（Ｒ3）−、窒素原子または−Ｎ（Ｒ3）−（ここで、Ｒ3は、水素原子または置換基を表す。）を表す。Ｃ31は炭素原子を表す。Ｍ31は、元素周期表における８族〜１０族の金属を表す。Ｃ31とＮとの間の結合、ＮとＸ33との間の結合、Ｘ32とＸ33との間の結合、Ｘ31とＸ32との間の結合、Ｃ31とＸ31との間の結合は、各々単結合または二重結合を表す。〕
2006008976.tif 000005
【００２５】
〔式中、Ｚ４１は、芳香族複素環を形成するのに必要な原子群を表す。Ｘ41、Ｘ42の少なくとも１つは、窒素原子または−Ｎ（Ｒ4）−（ここで、Ｒ4は、水素原子または置換基を表す。）を表す。Ｍ41は、元素周期表における８族〜１０族の金属を表す。Ｃ41、Ｃ42、Ｃ43は、各々炭素原子を表す。Ｍ41は、元素周期表における８族〜１０族の金属を表す。Ｃ41とＣ42との間の結合、Ｃ41とＸ42との間の結合、Ｘ41とＸ42との間の結合、Ｘ41とＣ43との間の結合、Ｃ42とＣ43との間の結合は、単結合または二重結合を表す。〕
2006008976.tif 000006
【００２６】
〔式中、Ｚ５１は、芳香族炭化水素環または芳香族複素環を形成するのに必要な原子群を表す。Ｘ51は、酸素原子または硫黄原子を表す。Ｒ51、Ｒ52は、水素原子または置換基を表す。Ｍ51は、元素周期表における８族〜１０族の金属を表す。〕
2006008976.tif 000007
【００２７】
〔式中、Ｚ６１は、芳香族炭化水素環または芳香族複素環を形成するのに必要な原子群を表す。Ｘ61、Ｘ62、Ｘ63は、各々炭素原子、−Ｃ（Ｒ6）−、窒素原子または−Ｎ（Ｒ6）−（ここで、Ｒ6は、水素原子または置換基を表す。）を表す。Ｍ61は、元素周期表における８族〜１０族の金属を表す。〕
（５）  前記青色発光性オルトメタル錯体が、下記一般式（７）で表される白金錯体であることを特徴とする前記（２）または（３）に記載の白色発光有機エレクトロルミネッセンス素子。
2006008976.tif 000008
【００２８】
〔式中、Ｒ1、Ｒ2、Ｒ3、Ｒ4、Ｒ5、Ｒ6、Ｒ7は水素原子または置換基を表すが、その少なくとも一つは必ず置換基である。Ｒａは置換基を表し、Ｘａは酸素原子または硫黄原子を表す。Ｙ1−Ｌ1−Ｙ2は２座の配位子を表し、Ｙ1、Ｙ2は各々独立に酸素原子、窒素原子、炭素原子または硫黄原子を表し、Ｌ1はＹ1、Ｙ2と共に２座の配位子を形成するのに必要な原子群を表す。〕
（６）  前記青色発光性オルトメタル錯体が、下記一般式（８）または（９）で表される部分構造を有する金属錯体であることを特徴とする前記（２）または（３）に記載の白色発光有機エレクトロルミネッセンス素子。
2006008976.tif 000009
【００２９】
〔式中、Ａ、Ｂ、Ｃは水素原子または置換基を表し、その少なくとも二つは、−Ｘａ−（Ｒａ）na（Ｒａは置換基を表す。Ｘａは、酸素原子、硫黄原子または窒素原子を表す。ｎａは１または２を表す。）で表され、互いに同一でも異なっていてもよい。Ｒ1、Ｒ2、Ｒ3、Ｒ4、Ｒ5は水素原子または置換基を表す。Ｍ1は元素周期表における第８族、第９族または第１０族の元素を表す。〕
2006008976.tif 000010
【００３０】
〔式中、Ｒｂ、Ｒｃ、Ｒｄは置換基を表し、Ｘｂ、Ｘｃ、Ｘｄは酸素原子、硫黄原子または窒素原子を表す。ｎｂ、ｎｃ、ｎｄは１または２を表す。Ｒ6、Ｒ7、Ｒ8、Ｒ9、Ｒ10は水素原子または置換基を表す。Ｍ2は元素周期表における第８族、第９族または第１０族の元素を表す。〕
（７）  前記青色発光性オルトメタル錯体が、下記一般式（１０）で表される配位子を有する金属錯体、下記一般式（１１）または（１２）で表される部分構造を有する金属錯体または該一般式（１１）または（１２）で表される部分構造の各々の互変異生体を有する金属錯体であることを特徴とする前記（２）または（３）に記載の白色発光有機エレクトロルミネッセンス素子。
2006008976.tif 000011
【００３１】
〔式中、Ｘ1、Ｘ2、Ｘ3、Ｘ4は、各々独立に炭素原子または窒素原子を表し、Ｃ1、Ｃ2は炭素原子を表し、Ｚ１は、Ｃ1、Ｘ1、Ｘ3と共に、Ｚ２は、Ｃ2、Ｘ2、Ｘ4と共に、各々芳香族炭化水素環または芳香族複素環を形成するのに必要な原子群を表す。Ａ1は窒素原子またはホウ素原子を表し、Ｒ1は置換基を表す。Ｃ1とＸ1との間の結合、Ｃ2とＸ2との間の結合、Ｘ1とＸ3との間の結合、Ｘ2とＸ4との間の結合は単結合または二重結合を表す。〕
2006008976.tif 000012
【００３２】
〔式中、Ｃ3、Ｃ4、Ｃ5、Ｃ6、Ｃ7は、各々炭素原子を表し、Ｚ３は、Ｃ3、Ｃ4、Ｃ5と共に芳香族炭化水素環または芳香族複素環を形成するのに必要な原子群を表し、Ｚ４は、Ｃ6、Ｃ7、Ｎと共に芳香族複素環を形成するのに必要な原子群を表す。Ａ2は窒素原子またはホウ素原子を表し、Ｒ2は置換基を表し、Ｍ11は、元素周期表における第８族〜第１０族の元素を表す。Ｃ3とＣ4との間の結合、Ｃ4とＣ5との間の結合、Ｃ6とＣ7との間の結合、Ｃ7とＮとの間の結合は単結合または二重結合を表す。〕
2006008976.tif 000013
【００３３】
〔式中、Ａ3は窒素原子またはホウ素原子を表し、Ｒ3は置換基を表し、Ｒ4、Ｒ5は置換基を表す。ｎ１、ｎ２は、各々０〜３の整数を表す。Ｍ12は元素周期表における第８族〜第１０族の元素を表す。〕
（８）  前記青色発光性オルトメタル錯体が、下記一般式（１３）で表される配位子を有する金属錯体、下記一般式（１４）で表される部分構造を有する金属錯体、下記一般式（１５）で表される部分構造またはその互変異性体を部分構造として有する金属錯体、下記一般式（１６）で表される配位子を有する金属錯体、下記一般式（１７）で表される部分構造を有する金属錯体、または下記一般式（１８）で表される部分構造を有する金属錯体であることを特徴とする前記（２）または（３）に記載の白色発光有機エレクトロルミネッセンス素子。
2006008976.tif 000014
【００３４】
〔式中、Ｘ1、Ｘ2、Ｘ3、Ｘ4は、各々独立に炭素原子または窒素原子を表し、Ｃ1、Ｃ2は、各々炭素原子を表し、Ｚ１は、Ｃ1、Ｘ1、Ｘ3と共に、Ｚ２は、Ｃ2、Ｘ2、Ｘ4と共に、各々芳香族炭化水素環または芳香族複素環を形成するのに必要な原子群を表す。Ａ1は炭素原子またはケイ素原子を表し、Ｒ1、Ｒ2は、各々独立に水素原子または置換基を表す。Ｃ1とＸ1との間の結合、Ｃ2とＸ2との間の結合、Ｘ1とＸ3との間の結合、Ｘ2とＸ4との間の結合は、各々単結合または二重結合を表す。〕
2006008976.tif 000015
【００３５】
〔式中、Ｃ3、Ｃ4、Ｃ5、Ｃ6、Ｃ7は、炭素原子を表し、Ｚ３は、Ｃ5、Ｃ3、Ｃ7と共に芳香族炭化水素環または芳香族複素環を形成するのに必要な原子群を表し、Ｚ４は、Ｃ6、Ｃ4、Ｎと共に芳香族複素環を形成するのに必要な原子群を表し、Ａ2は炭素原子またはケイ素原子を表し、Ｒ3、Ｒ4は、各々独立に水素原子または置換基を表す。Ｍ11は元素周期表における第８族〜第１０族の元素を表す。Ｃ5とＣ3との間の結合、Ｃ3とＣ7との間の結合、Ｃ6とＣ4との間の結合、Ｃ4とＮとの間の結合は、各々単結合または二重結合を表す。〕
2006008976.tif 000016
【００３６】
〔式中、Ａ3は炭素原子またはケイ素原子を表し、Ｒ5、Ｒ6は、各々独立に水素原子または置換基を表し、Ｒ7、Ｒ8は、各々独立に置換基を表す。ｎ１、ｎ２は、各々独立に０〜３の整数を表す。Ｍ12は、元素周期表における第８族〜第１０族の元素を表す。〕
2006008976.tif 000017
【００３７】
〔式中、Ｘ3、Ｘ4、Ｘ5、Ｘ6は、各々独立に炭素原子または窒素原子を表し、Ｃ8〜Ｃ13は、各々炭素原子を表し、Ｚ５は、Ｃ8、Ｘ3、Ｘ5と共に、Ｚ６は、Ｃ9、Ｘ4、Ｘ6と共に、Ｚ７は、Ｃ10、Ｃ11と共に、Ｚ８は、Ｃ12、Ｃ13と共に、各々独立に芳香族炭化水素環または芳香族複素環を形成するのに必要な原子群を表す。Ａ4は炭素原子またはケイ素原子を表す。Ｘ3とＸ5との間の結合、Ｘ4とＸ6との間の結合、Ｃ8とＸ3との間の結合、Ｃ9とＸ4との間の結合、Ｃ10とＣ11との間の結合、Ｃ12とＣ13との間の結合は、各々単結合、または、二重結合を表す。〕
2006008976.tif 000018
【００３８】
〔式中、Ｃ14〜Ｃ22は、各々炭素原子を表し、Ｚ９は、Ｃ16、Ｃ14、Ｃ18と共に、Ｚ１１は、Ｃ19、Ｃ20と共に、Ｚ１２は、Ｃ21、Ｃ22と共に、各々芳香族炭化水素環または芳香族複素環を形成するのに必要な原子群を表し、Ｚ１０は、Ｃ17、Ｃ15、Ｎと共に、芳香族複素環を形成するのに必要な原子群を表す。Ａ5は炭素原子またはケイ素原子を表す。Ｍ21は、元素周期表における第８族〜第１０族の元素を表す。Ｃ18とＣ14との間の結合、Ｃ14とＣ16との間の結合、Ｃ17とＣ15との間の結合、Ｃ15とＮとの間の結合、Ｃ19とＣ20との間の結合、Ｃ21とＣ22との間の結合は、各々単結合または二重結合を表す。〕
2006008976.tif 000019
【００３９】
〔式中、Ｚ１３は、Ｃ23、Ｃ24と共に、Ｚ１４は、Ｃ25、Ｃ26と共に、各々芳香族炭化水素環または芳香族複素環を形成するのに必要な原子群を表し、Ａ6は炭素原子またはケイ素原子を表す。Ｒ9、Ｒ10は各々独立に置換基を表す。ｎ３、ｎ４は、各々独立に０〜３の整数を表す。Ｍ22は元素周期表における第８族〜第１０族の元素を表す。Ｃ23とＣ24との間の結合、Ｃ25とＣ26との間の結合は、各々単結合または二重結合を表す。〕
（９）  前記青色発光性オルトメタル錯体が、下記一般式（１９）〜（２７）からなる群から選択される少なくとも１種の白金錯体であることを特徴とする前記（２）または（３）に記載の白色発光有機エレクトロルミネッセンス素子。
2006008976.tif 000020
【００４０】
〔式中、Ｒ1、Ｒ2は、各々水素原子または置換基を表す。但し、Ｒ1、Ｒ2の少なくとも一つは該置換基である。Ｘ1、Ｘ2は、各々炭素原子、窒素原子、酸素原子、または、硫黄原子を表し、Ｚ1、Ｚ2は、各々芳香族炭化水素環または芳香族複素環を形成するのに必要な原子群を表す。ｎ１は、１または２の整数を表し、ｎ１が１の時、Ｌ１は二座配位子を表す。ｐ１、ｑ１は、各々０〜４の整数を表す。〕
2006008976.tif 000021
【００４１】
〔式中、Ｒ3、Ｒ4は、各々水素原子または置換基を表す。但し、Ｒ3、Ｒ4の少なくとも一つは該置換基である。ｎ２は、１または２の整数であり、ｎ２が１の時、Ｌ２は二座配位子を表す。ｐ２、ｑ２は、各々０〜４の整数を表す。〕
2006008976.tif 000022
【００４２】
〔式中、Ｒ5、Ｒ6は、各々水素原子または置換基を表す。Ｚ3は芳香族炭化水素環または芳香族複素環を形成するのに必要な原子群を表す。ｎ３は、１または２の整数であり、ｎ３が１の時、Ｌ３は、二座配位子を表す。ｐ３は０〜３の整数、ｑ３は０〜４の整数を表す。〕
2006008976.tif 000023
【００４３】
〔式中、Ｒ7、Ｒ8は、各々水素原子または置換基を表す。Ｒ9〜Ｒ13は、各々水素原子または置換基を表す。ｎ４は、１または２の整数であり、ｎ４が１の時、Ｌ４は二座配位子を表す。ｐ４は０〜３の整数、ｑ４は０〜４の整数を表す。〕
2006008976.tif 000024
【００４４】
〔式中、Ｒ14、Ｒ15は、各々水素原子または置換基を表す。Ｚ4は芳香族炭化水素環または芳香族複素環を形成するのに必要な原子群を表す。ｎ５は、１または２の整数であり、ｎ５が１の時、Ｌ５は二座配位子を表す。ｐ５は０〜４の整数、ｑ５は０〜３の整数を表す。〕
2006008976.tif 000025
【００４５】
〔式中、Ｒ16、Ｒ17は、各々水素原子または置換基を表す。Ｒ18〜Ｒ22は、各々水素原子または置換基を表す。ｎ６は、１または２の整数であり、ｎ６が１の時、Ｌ６は二座配位子を表す。ｐ６は０〜３の整数、ｐ７は０〜４の整数を表す。〕
2006008976.tif 000026
【００４６】
〔式中、Ｒ23、Ｒ24は、各々水素原子または置換基を表す。Ｚ5は、窒素原子と共に芳香族複素環を形成するのに必要な原子群を表す。ｎ７は、１または２の整数であり、ｎ７が１の時、Ｌ７は二座配位子を表す。ｐ８は０〜３の整数、ｑ６は０〜４の整数を表す。〕
2006008976.tif 000027
【００４７】
〔式中、Ｒ25、Ｒ26は、各々水素原子または置換基を表す。Ｚ6は、窒素原子と共に芳香族複素環を形成するのに必要な原子群を表す。ｎ８は、１または２の整数であり、ｎ８が１の時、Ｌ８は二座配位子を表す。ｐ９は０〜３の整数、ｑ７は０〜４の整数を表す。〕
2006008976.tif 000028
【００４８】
〔式中、Ｒ27、Ｒ28は、各々水素原子または置換基を表す。Ｒ27、Ｒ28の少なくとも一つは該置換基である。Ｌ０は二価の連結基を表す。Ｘ3、Ｘ4は、各々炭素原子、窒素原子、酸素原子または硫黄原子を表し、Ｚ7、Ｚ8は、各々芳香族炭化水素環または芳香族複素環を形成するのに必要な原子群を表す。ｎ９は、１または２の整数であり、ｎ９が１の時、Ｌ９は二座配位子を表す。ｐ１０、ｑ８は、各々０〜４の整数を表す。〕
（１０）  前記青色発光性オルトメタル錯体が、下記一般式（２８）〜（３２）からなる群から選択される少なくとも１種の部分構造または該部分構造の互変異生体を含むことを特徴とする請求項２または３に記載の白色発光有機エレクトロルミネッセンス素子。
2006008976.tif 000029
【００４９】
〔式中、Ｃは炭素原子、Ｎは窒素原子を表し、Ｚ11は炭素原子および窒素原子とともに芳香族複素環を形成するのに必要な原子群を表し、Ｚ12は炭素原子とともに非芳香族環を形成するのに必要な原子群を表し、Ｍは金属を表す。〕
2006008976.tif 000030
【００５０】
〔式中、Ｃは炭素原子、Ｎは窒素原子を表し、Ｚ21およびＺ22は、それぞれ炭素原子および窒素原子とともに芳香環を形成するのに必要な原子群を表し、Ｍは金属を表す。〕
2006008976.tif 000031
【００５１】
〔式中、Ｃは炭素原子、Ｎは窒素原子を表し、Ｚ31は炭素原子および窒素原子とともに芳香族複素環を形成するのに必要な原子群を表し、Ｚ32は炭素原子とともに５員または６員の芳香族複素環を形成するのに必要な炭素原子、窒素原子または酸素原子により構成される原子群を表し、Ｍは金属を表す。〕
2006008976.tif 000032
【００５２】
〔式中、Ｃは炭素原子、Ｎは窒素原子を表し、Ｚ41は炭素原子および窒素原子とともに環を形成するのに必要な原子群を表し、Ｚ42は炭素原子とともに環を形成するのに必要な原子群を表し、Ｍは金属を表す。〕
2006008976.tif 000033
【００５３】
〔式中、Ｃは炭素原子、Ｎは窒素原子を表し、Ｚ51は炭素原子および窒素原子とともに芳香族複素環を形成するのに必要な原子群を表し、Ｚ52は炭素原子とともにアズレン環を形成する原子群を表し、Ｍは金属を表す。〕
（１１）  下記一般式（Ａ）または（Ｂ）で表される部分構造を有する白金錯体を含有することを特徴とする前記（２）または（３）に記載の白色発光有機エレクトロルミネッセンス素子。
2006008976.tif 000034
【００５４】
〔式中、Ｒ1、Ｒ2、Ｒ3、Ｒ4、Ｒ5、Ｒ6、Ｒ7は、各々水素原子または置換基を表すが、Ｒ1、Ｒ2、Ｒ3、Ｒ4の少なくとも一つは電子供与性基である。Ｒａ、Ｒｂは、各々置換基を表す。〕
2006008976.tif 000035
【００５５】
〔式中、Ｒ11、Ｒ12、Ｒ13、Ｒ14、Ｒ15、Ｒ16、Ｒ17は、各々水素原子または置換基を表すが、Ｒ11、Ｒ13の少なくとも一つは電子吸引性基である。Ｒｃ，Ｒｄは置換基を表す。〕
（１２）  前記青色発光性オルトメタル錯体の最も短波な発光の極大波長が４５０ｎｍ以下であることを特徴とする前記（２）〜（１１）のいずれか１項に記載の白色発光有機エレクトロルミネッセンス素子。
（１３）  下記一般式（３３）で表される化合物を前記発光層または該発光層の隣接層に含むことを特徴とする前記（１）〜（１２）のいずれか１項に記載の白色発光有機エレクトロルミネッセンス素子。
2006008976.tif 000036
【００５６】
〔式中、Ｚ1は置換基を有していてもよい芳香族複素環を表し、Ｚ2は、各々置換基を有していてもよい芳香族複素環または芳香族炭化水素環を表し、Ｚ3は２価の連結基または単なる結合手を表す。Ｒ101は水素原子または置換基を表す。〕
（１４）  前記一般式（３３）で表される化合物のＺ1が、６員環であることを特徴とする前記（１３）に記載の白色発光有機エレクトロルミネッセンス素子。
（１５）  前記一般式（３３）で表される化合物のＺ2が、６員環であることを特徴とする前記（１３）または（１４）に記載の白色発光有機エレクトロルミネッセンス素子。
（１６）  前記一般式（３３）で表される化合物のＺ3が、結合手であることを特徴とする前記（１３）〜（１５）のいずれか１項に記載の白色発光有機エレクトロルミネッセンス素子。
（１７）  前記一般式（３３）で表される化合物が、分子量４５０以上であることを特徴とする前記（１３）〜（１６）のいずれか１項に記載の白色発光有機エレクトロルミネッセンス素子。
（１８）  前記一般式（３３）で表される化合物が、下記一般式（３３−１）で表されることを特徴とする前記（１３）〜（１７）のいずれか１項に記載の白色発光有機エレクトロルミネッセンス素子。
2006008976.tif 000037
【００５７】
〔式中、Ｒ501〜Ｒ507は、各々独立に、水素原子または置換基を表す。〕
（１９）  前記一般式（３３）で表される化合物が、下記一般式（３３−２）で表されることを特徴とする前記（１３）〜（１７）のいずれか１項に記載の白色発光有機エレクトロルミネッセンス素子。
2006008976.tif 000038
【００５８】
〔式中、Ｒ511〜Ｒ517は、各々独立に、水素原子または置換基を表す。〕
（２０）  前記一般式（３３）で表される化合物が、下記一般式（３３−３）で表されることを特徴とする前記（１３）〜（１７）のいずれか１項に記載の白色発光有機エレクトロルミネッセンス素子。
2006008976.tif 000039
【００５９】
〔式中、Ｒ521〜Ｒ527は、各々独立に、水素原子または置換基を表す。〕
（２１）  前記一般式（３３）で表される化合物が、下記一般式（３３−４）で表されることを特徴とする前記（１３）〜（１７）のいずれか１項に記載の白色発光有機エレクトロルミネッセンス素子。
2006008976.tif 000040
【００６０】
〔式中、Ｒ531〜Ｒ537は、各々独立に、水素原子または置換基を表す。〕
（２２）  前記一般式（３３）で表される化合物が、下記一般式（３３−５）で表されることを特徴とする前記（１３）〜（１７）のいずれか１項に記載の白色発光有機エレクトロルミネッセンス素子。
2006008976.tif 000041
【００６１】
〔式中、Ｒ541〜Ｒ548は、各々独立に、水素原子または置換基を表す。〕
（２３）  前記一般式（３３）で表される化合物が、下記一般式（３３−６）で表されることを特徴とする前記（１３）〜（１７）のいずれか１項に記載の白色発光有機エレクトロルミネッセンス素子。
2006008976.tif 000042
【００６２】
〔式中、Ｒ551〜Ｒ558は、各々独立に、水素原子または置換基を表す。〕
（２４）  前記一般式（３３）で表される化合物が、下記一般式（３３−７）で表されることを特徴とする前記（１３）〜（１７）のいずれか１項に記載の白色発光有機エレクトロルミネッセンス素子。
2006008976.tif 000043
【００６３】
〔式中、Ｒ561〜Ｒ567は、各々独立に、水素原子または置換基を表す。〕
（２５）  前記一般式（３３）で表される化合物が、下記一般式（３３−８）で表されることを特徴とする前記（１３）〜（１７）のいずれか１項に記載の白色発光有機エレクトロルミネッセンス素子。
2006008976.tif 000044
【００６４】
〔式中、Ｒ571〜Ｒ577は、各々独立に、水素原子または置換基を表す。〕
（２６）  前記一般式（３３）で表される化合物が、下記一般式（３３−９）で表されることを特徴とする前記（１３）〜（１７）のいずれか１項に記載の白色発光有機エレクトロルミネッセンス素子。【００６５】
一般式（３３−９）
2006008976.tif 000045
【００６６】
〔式中、Ｒ５８１〜Ｒ５８８は、水素原子または置換基を表す。〕
（２７）  前記一般式（３３）で表される化合物が、下記一般式（３３−１０）で表されることを特徴とする前記（１３）〜（１７）のいずれか１項に記載の白色発光有機エレクトロルミネッセンス素子。【００６７】
一般式（３３−１０）
2006008976.tif 000046
【００６８】
〔式中、Ｒ５９１〜Ｒ５９８は、各々独立に水素原子または置換基を表す。〕
（２８）  前記一般式（３３）で表される化合物が、下記一般式（３４−１）〜（３４−１０）のいずれかで表される基を少なくとも一つ有することを特徴とする前記（１３）〜（１７）のいずれか１項に記載の白色発光有機エレクトロルミネッセンス素子。
2006008976.tif 000047
【００６９】
2006008976.tif 000048
【００７０】
〔式中、Ｒ502〜Ｒ507、Ｒ512〜Ｒ517、Ｒ522〜Ｒ527、Ｒ532〜Ｒ537、Ｒ542〜Ｒ548、Ｒ552〜Ｒ558、Ｒ562〜Ｒ567、Ｒ572〜Ｒ577、Ｒ582〜Ｒ588、Ｒ592〜Ｒ598は、各々独立に、水素原子または置換基を表し、該置換基は各々同一でもよく、異なっていてもよい。〕
（２９）  前記一般式（３３）で表される化合物が下記一般式（３５）で表されることをを特徴とする前記（２８）に記載の白色発光有機エレクトロルミネッセンス素子。
2006008976.tif 000049
【００７１】
〔式中、Ｒ601〜Ｒ606は、各々独立に、水素原子または置換基を表すが、Ｒ601〜Ｒ606の少なくとも一つは前記一般式（３４−１）〜（３４−１０）で表される基から選ばれる少なくとも一つの基を表す。〕
（３０）  前記一般式（３３）で表される化合物が下記一般式（３６）で表されることをを特徴とする前記（２８）に記載の白色発光有機エレクトロルミネッセンス素子。
2006008976.tif 000050
【００７２】
〔式中、Ｒ611〜Ｒ620は、各々独立に、水素原子または置換基を表すが、Ｒ611〜Ｒ620の少なくとも一つは前記一般式（３４−１）〜（３４−１０）で表される基から選ばれる少なくとも一つの基を表す。〕
（３１）  前記一般式（３３）で表される化合物が下記一般式（３７）で表されることをを特徴とする請求の前記（２８）に記載の白色発光有機エレクトロルミネッセンス素子。
2006008976.tif 000051
【００７３】
〔式中、Ｒ621〜Ｒ623は、各々独立に、水素原子または置換基を表すが、Ｒ621〜Ｒ623の少なくとも一つは前記一般式（３４−１）〜（３４−１０）で表される基から選ばれる少なくとも一つの基を表す。〕
（３２）  前記一般式（３３）で表される化合物が下記一般式（３８）で表されることをを特徴とする前記（２８）に記載の白色発光有機エレクトロルミネッセンス素子。    
2006008976.tif 000052
【００７４】
〔式中、Ｒ631〜Ｒ645は、各々独立に、水素原子または置換基を表すが、Ｒ631〜Ｒ645の少なくとも一つは前記一般式（３４−１）〜（３４−１０）で表される基から選ばれる少なくとも一つの基を表す。〕
（３３）  前記一般式（３３）で表される化合物が下記一般式（３９）で表されることをを特徴とする前記（２８）に記載の白色発光有機エレクトロルミネッセンス素子。    
2006008976.tif 000053
【００７５】
〔式中、Ｒ651〜Ｒ656は、各々独立に、水素原子または置換基を表すが、Ｒ651〜Ｒ656の少なくとも一つは前記一般式（３４−１）〜（３４−１０）で表される基から選ばれる少なくとも一つの基を表す。ｎａは０〜５の整数を表し、ｎｂは１〜６の整数を表すが、ｎａとｎｂの和は６である。〕
（３４）  前記一般式（３３）で表される化合物が下記一般式（４０）で表されることをを特徴とする前記（２８）に記載の白色発光有機エレクトロルミネッセンス素子。    
2006008976.tif 000054
【００７６】
〔式中、Ｒ661〜Ｒ672は、各々独立に、水素原子または置換基を表すが、Ｒ661〜Ｒ672の少なくとも一つは前記一般式（３４−１）〜（３４−１０）で表される基から選ばれる少なくとも一つの基を表す。〕
（３５）  前記一般式（３３）で表される化合物が下記一般式（４１）で表されることをを特徴とする前記（２８）に記載の白色発光有機エレクトロルミネッセンス素子。
2006008976.tif 000055
【００７７】
〔式中、Ｒ681〜Ｒ688は、各々独立に、水素原子または置換基を表すが、Ｒ681〜Ｒ688の少なくとも一つは前記一般式（３４−１）〜（３４−１０）で表される基から選ばれる少なくとも一つの基を表す。〕
（３６）  前記一般式（３３）で表される化合物が下記一般式（４２）で表されることをを特徴とする前記（２８）に記載の白色発光有機エレクトロルミネッセンス素子。
2006008976.tif 000056
【００７８】
〔式中、Ｒ691〜Ｒ700は、各々独立に、水素原子または置換基を表すが、Ｌ1は２価の連結基を表す。Ｒ691〜Ｒ700の少なくとも一つは前記一般式（３４−１）〜（３４−１０）で表される基から選ばれる少なくとも一つの基を表す。〕
（３７）  前記一般式（３３）で表される化合物が、下記一般式（４３）で表されることを特徴とする前記（１３）〜（１７）のいずれか１項に記載の白色発光有機エレクトロルミネッセンス素子。
2006008976.tif 000057
【００７９】
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。〕
（３８）  前記一般式（３３）で表される化合物が、下記一般式（４４）で表されることを特徴とする前記（１３）〜（１７）のいずれか１項に記載の白色発光有機エレクトロルミネッセンス素子。
2006008976.tif 000058
【００８０】
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。〕
（３９）  前記一般式（３３）で表される化合物が、下記一般式（４５）で表されることを特徴とする前記（１３）〜（１７）のいずれか１項に記載の白色発光有機エレクトロルミネッセンス素子。
2006008976.tif 000059
【００８１】
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。〕
（４０）  前記一般式（３３）で表される化合物が、下記一般式（４６）で表されることを特徴とする前記（１３）〜（１７）のいずれか１項に記載の白色発光有機エレクトロルミネッセンス素子。
2006008976.tif 000060
【００８２】
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。〕
（４１）  前記一般式（３３）で表される化合物が、下記一般式（４７）で表されることを特徴とする前記（１３）〜（１７）のいずれか１項に記載の白色発光有機エレクトロルミネッセンス素子。
2006008976.tif 000061
【００８３】
〔式中、Ｒ1、Ｒ2は、各々独立に、水素原子または置換基を表す。ｎ、ｍは、各々１〜２の整数を表し、ｋ、ｌは、各々３〜４の整数を表す。但し、ｎ＋ｋ＝５、且つ、ｌ＋ｍ＝５である。Ｚ1、Ｚ2、Ｚ3、Ｚ4は、各々窒素原子を少なくとも一つ含む６員の芳香族複素環を表す。〕
（４２）  前記一般式（３３）で表される化合物が、下記一般式（４８）で表されることを特徴とする前記（１３）〜（１７）のいずれか１項に記載の白色発光有機エレクトロルミネッセンス素子。
2006008976.tif 000062
【００８４】
〔式中、ｏ、ｐは、各々１〜３の整数を表し、Ａｒ1、Ａｒ2は、各々アリーレン基または２価の芳香族複素環基を表す。Ｚ1、Ｚ2は、各々窒素原子を少なくとも一つ含む６員の芳香族複素環を表し、Ｌは、２価の連結基を表す。〕
（４３）  前記一般式（３３）で表される化合物が、下記一般式（４９）で表されることを特徴とする前記（１３）〜（１７）のいずれか１項に記載の白色発光有機エレクトロルミネッセンス素子。
2006008976.tif 000063
【００８５】
〔式中、ｏ、ｐは、各々１〜３の整数を表し、Ａｒ1、Ａｒ2は、各々２価のアリーレン基または２価の芳香族複素環基を表す。Ｚ1、Ｚ2、Ｚ3、Ｚ4は、各々窒素原子を少なくとも一つ含む６員の芳香族複素環を表し、Ｌは、２価の連結基を表す。〕
（４４）  前記リン光性化合物の少なくとも２種が発光層または該発光層の隣接層に含有されることを特徴とする前記（６）に記載の白色発光白色発光有機エレクトロルミネッセンス素子。
（４５）  前記（１）〜（４４）のいずれか１項に記載の白色発光有機エレクトルミネッセンス素子を有することを特徴とする表示装置。
（４６）  前記（１）〜（４４）のいずれか１項に記載の有機エレクトルミネッセンス素子を有することを特徴とする照明装置。【００８６】
本発明の有機ＥＬ素子においては、前記（１）〜（７）のいずれか１項に規定された構成により、高発光輝度、高発光効率を示し、且つ、白色発光のＣＩＥ色純度の高い有機ＥＬ素子を得ることが出来た。また、前記素子を用いた表示装置及び照明装置を併せて提供することができた。【００８７】
以下、本発明に係る各構成要素の詳細について、順次説明する。【００８８】
《緑色発光性、赤色発光性、青色発光性オルトメタル錯体》
本発明の有機ＥＬ素子に係る、緑色発光性、赤色発光性、青色発光性オルトメタル錯体の各々について説明する。【００８９】
本発明に係る、緑色発光性、赤色発光性、青色発光性オルトメタル錯体は、各々リン光発光性化合物であり、各オルトメタル錯体の含有層としては、本発明の有機ＥＬ素子のいずれの層に用いてもよいが、発光層及び／または正孔阻止層に用いることが好ましく、また、発光層に含有される場合は、前記発光層中の発光ドーパントとして用いることにより、本発明の有機ＥＬ素子に、発光輝度、発光効率の向上、且つ、白色発光のＣＩＥ色純度を高める等の効果を付与することが出来る。【００９０】
《緑色発光性オルトメタル錯体》
本発明に係る緑色発光性オルトメタル錯体について説明する。【００９１】
本発明に係る緑色発光性オルトメタル錯体は、リン光発光性化合物であり、且つ、４００ｎｍ〜８００ｎｍの領域における、本発明の有機ＥＬ素子の白色発光スペクトル分布に占める、該緑色発光性オルトメタル錯体のスペクトル成分比率が６０％以上であるが、好ましくは７０％以上であり、更に好ましくは、７０％〜８５％の範囲である。【００９２】
本発明に係るスペクトル成分比率の算出方法については、後述する実施例において詳細に説明するが、素子の発光時に得られる白色発光スペクトル曲線と、別途、緑色発光性オルトメタル錯体単独のみで作製した素子試料の測定によって得られた緑発光スペクトル曲線を使って波形比較を行い、白色発光スペクトル分布のうちの、緑色発光性オルトメタル錯体の発光スペクトル成分の比率を算出した。【００９３】
本発明に係る緑色発光性オルトメタル錯体は、発光極大波長が５００ｎｍ〜５７０ｎｍの範囲にある、遷移金属を中心金属とするオルトメタル錯体であり、その発光スペクトルのエネルギー分布の７０％以上が５００ｎｍ〜５７０ｎｍの範囲にあるものが好ましい。【００９４】
具体的には、特表２００３−５２６８７６号、国際公開第００／７０６５５号パンフレット、特表２００２−５２５８０８号公報、国際公開第０１／４１５１２号パンフレット、特表２００４−５０６３０５号公報、国際公開第０２／１５６４５号パンフレット等に記載の特許に記載されたオルトメタル錯体のうち上記の発光特性を有するものを用いることができる。中心金属としては元素周期表の８族〜１０族の遷移金属が好ましく、特に、ＩｒまたはＰｔが好ましい。【００９５】
また、本発明に係る緑色発光性オルトメタル錯体としては特に下記一般式（Ｃ）または（Ｄ）で表される錯体が好ましく用いられる。
2006008976.tif 000064
【００９６】
式中、Ｘ1、Ｙ1、Ｘ2、Ｙ2は、各々酸素原子または窒素原子を表し、Ｘ1、Ｙ1はＺ1と共に、Ｘ2、Ｙ2はＺ2と共にそれぞれ二座配位の配位子を形成する。ｍ、ｎは０又は１を表す。Ｘ1、Ｙ1がＺ1と共に形成する配位子としては、β−ジケトン類、サリチル酸誘導体が好ましい。また、Ｘ2、Ｙ2がＺ2と共に形成する配位子としては、β−ジケトン類、サリチル酸誘導体あるいはピコリン酸誘導体が好ましい。【００９７】
Ｒ1、Ｒ2、Ｒ3、Ｒ4は水素原子または置換基を表し、該置換基としては、例えば、アルキル基（例えば、メチル基、エチル基、イソプロピル基、ヒドロキシエチル基、メトキシメチル基、トリフルオロメチル基、ｔ−ブチル基、ペンチル基、オクチル基、ノニル基、デシル基等）、シクロアルキル基（例えば、シクロペンチル基、シクロヘキシル基等）、アラルキル基（例えば、ベンジル基、２−フェネチル基等）、芳香族炭化水素基（例えば、フェニル基、ｐ−クロロフェニル基、メシチル基、トリル基、キシリル基、ビフェニリル基、ナフチル基、アントリル基、フェナントリル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、カルボリニル基、ジアザカルバゾリル基（ジアザカルバゾリル基とは、該カルボリニル基のカルボリン環を構成する炭素原子の任意にひとつが窒素原子で置換されたものを示す。）、フタラジニル基等）、アルコキシル基（例えば、エトキシ基、イソプロポキシ基、ブトキシ基等）、アリールオキシ基（例えば、フェノキシ基、ナフチルオキシ基等）、シアノ基、水酸基、アルケニル基（例えば、ビニル基等）、スチリル基、ハロゲン原子（例えば、塩素原子、臭素原子、沃素原子、フッ素原子等）等が挙げられる。これらの基は、更に置換されていてもよい。【００９８】
上記の中でも、好ましい置換基としては炭素数１〜１０のアルキル基、炭素数１〜１０のアルコキシル基、ハロゲン原子を挙げることができる。【００９９】
以下に好ましい緑色発光性オルトメタル錯体を具体的に例示するが、本発明はこれに限定されない。
2006008976.tif 000065
【０１００】
2006008976.tif 000066
【０１０１】
《赤色発光性オルトメタル錯体》
本発明に係る赤色発光性オルトメタル錯体とは、発光極大波長が５７０ｎｍ〜６５０ｎｍの範囲にある、遷移金属を中心金属とするオルトメタル錯体であり、その発光の極大波長が５９０ｎｍ以上であることが好ましい。また、その発光スペクトルのエネルギー分布の７０％以上が５８０ｎｍ以上の範囲にあるものが好ましい。本発明の白色発光有機ＥＬ素子に係る赤色発光性オルトメタル錯体の具体例としては、下記の化合物が挙げられる。
2006008976.tif 000067
【０１０２】
また、本発明に係る緑色発光性オルトメタル錯体、赤色発光性オルトメタル錯体の具体例としては、従来公知の化合物を用いることができ、例えば、Ｊ．Ａｍ．Ｃｈｅｍ．Ｓｏｃ．１２３巻４３０４〜４３１２頁（２００１年）、Ｉｎｏｒｇａｎｉｃ  Ｃｈｅｍｉｓｔｒｙ，４０巻１７０４頁（２００１）、特開２００３−２７２８６１号公報、同２００４−１１１１９３号公報、特願２００３−１５０７６２、特願２００３−１５０７６３、特開２００１−２４７８５９号公報、同２００１−１８１６１６号公報、同２００１−１８１６１７号公報、同２００２−１７５８８４号公報、同２００２−３３２２９１号公報、同２００２−３６３５５２号公報、同２００２−３３２２９１号公報、同２００２−３３８５８８号公報、国際公開第００／７０６５５号パンフレット、特開２００２−２０３６７８号公報、同２００１−３４５１８３号公報、国際公開第０２／４４１８９号パンフレット、特開２００２−３３２２９２号公報、同２００３−０５９６６７号公報、同２００２−３３２２９２号公報、同２００２−２５２８８８号公報等に記載の化合物を用いる事ができる。また、併用することも可能である。【０１０３】
《青色発光性オルトメタル錯体》
本発明に係る青色発光性オルトメタル錯体とは、発光極大波長が４００ｎｍ〜５００ｎｍの範囲にある、遷移金属を中心金属とするオルトメタル錯体であり、その最も短波な発光極大波長が４５５ｎｍ以下であることが好ましい。【０１０４】
本発明に係る青色発光性オルトメタル錯体として用いられるものとしては、前記（４）〜（１０）のいずれか１項に記載の７種の態様に分類される錯体が好ましく用いられる。ここでは、該７種の態様を（ａ）〜（ｈ）に分類し、各７種の態様について、各々具体的に説明する。【０１０５】
《態様（ａ）》前記一般式（１）〜（６）で表される部分構造の少なくとも１種または該一般式（１）〜（６）で表される部分構造の各々の互変異性体の少なくとも１種を部分構造として有する錯体を青色発光性オルトメタル錯体として用いる場合。【０１０６】
本発明に係る、一般式（１）〜（６）または該一般式（１）〜（６）の各々の互変異性体を部分構造として有する金属錯体の含有層としては、発光層及び／または正孔阻止層が好ましく、また、発光層に含有する場合は、発光層中の発光ドーパントとして用いることにより、本発明の有機ＥＬ素子の外部取り出し量子効率の効率アップ（高輝度化）や発光寿命の長寿命化を達成することができる。【０１０７】
《一般式（１）または該一般式（１）の互変異性体》
一般式（１）または該一般式（１）の互変異性体において、Ｚ11で表される芳香族炭化水素環としては、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。【０１０８】
中でも好ましく用いられるのは、ベンゼン環である。更に、前記芳香族炭化水素環は、後述する、前記一般式（１）においてＲ11、Ｒ12、Ｒ13で各々表される置換基を有してもよい。【０１０９】
一般式（１）または該一般式（１）の互変異性体において、Ｚ11で表される芳香族複素環としては、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくともひとつが更に窒素原子で置換されている環等が挙げられる。【０１１０】
中でも好ましいのは、ピリジン環である。更に、前記芳香族複素環は、後述する、前記一般式（１）においてＲ11、Ｒ12、Ｒ13で各々表される置換基を有してもよい。【０１１１】
一般式（１）または該一般式（１）の互変異性体においてＲ11、Ｒ12、Ｒ13で各々表される置換基としては、例えば、アルキル基（例えば、メチル基、エチル基、イソプロピル基、ヒドロキシエチル基、メトキシメチル基、トリフルオロメチル基、ｔ−ブチル基等）、シクロアルキル基（例えば、シクロペンチル基、シクロヘキシル基等）、アラルキル基（例えば、ベンジル基、２−フェネチル基等）、芳香族炭化水素基（例えば、フェニル基、ｐ−クロロフェニル基、メシチル基、トリル基、キシリル基、ビフェニリル基、ナフチル基、アントリル基、フェナントリル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、カルボリニル基、ジアザカルバゾリル基（ジアザカルバゾリル基とは、該カルボリニル基のカルボリン環を構成する炭素原子の任意にひとつが窒素原子で置換されたものを示す。）、フタラジニル基等）、アルコキシル基（例えば、エトキシ基、イソプロポキシ基、ブトキシ基等）、アリールオキシ基（例えば、フェノキシ基、ナフチルオキシ基等）、シアノ基、水酸基、アルケニル基（例えば、ビニル基等）、スチリル基、ハロゲン原子（例えば、塩素原子、臭素原子、沃素原子、フッ素原子等）等が挙げられる。これらの基は、更に置換されていてもよい。【０１１２】
中でも、本発明では、上記Ｒ11、Ｒ12、Ｒ13で表される基の少なくともひとつは、上記の芳香族炭化水素基または芳香族複素環基であることが好ましい。【０１１３】
一般式（１）または該一般式（１）の互変異性体において、Ｍ11は、元素周期表における８族〜１０族の金属（金属原子でも、イオンでもよい）を表すが、中でも好ましく用いられるのは、白金（Ｐｔ）とイリジウム（Ｉｒ）である。また、一般式（１）または該一般式（１）の互辺異性体を部分構造として有する金属錯体において、Ｍ11は、金属でもよく、イオンでもよい。【０１１４】
本発明では、上記一般式（１）または該一般式（１）の互変異性体とＭ11で表される中心金属（金属でもイオンでもよい）との間で配位結合が形成（錯形成ともいう）されて金属錯体が形成される。【０１１５】
《一般式（２）または該一般式（２）の互変異性体》
一般式（２）または該一般式（２）の互変異性体において、Ｚ21で表される芳香族炭化水素環は、一般式（１）または該一般式（１）の互変異性体において、Ｚ11で表される芳香族炭化水素環と同義である。【０１１６】
一般式（２）または該一般式（２）の互変異性体において、Ｚ21で表される芳香族複素環は、一般式（１）または該一般式（１）の互変異性体において、Ｚ11で表される芳香族複素環と同義である。【０１１７】
一般式（２）または該一般式（２）の互変異性体において、Ｒ21、Ｒ22、Ｒ23で、各々表される置換基は、一般式（１）または該一般式（１）の互変異性体においてＲ11、Ｒ12、Ｒ13で各々表される置換基と同義である。【０１１８】
一般式（２）または該一般式（２）の互変異性体において、Ｍ21で表される、元素周期表における８族〜１０族の金属（イオンでもよい）は、一般式（１）または該一般式（１）の互変異性体において、Ｍ11で表される、元素周期表における８族〜１０族の金属と同義である。【０１１９】
《一般式（３）または該一般式（３）の互変異性体》
一般式（３）または該一般式（３）の互変異性体において、Ｚ31で表される芳香族炭化水素環は、一般式（１）または該一般式（１）の互変異性体において、Ｚ11で表される芳香族炭化水素環と同義である。【０１２０】
一般式（３）または該一般式（３）の互変異性体において、Ｚ31で表される芳香族複素環は、一般式（１）または該一般式（１）の互変異性体において、Ｚ11で表される芳香族複素環と同義である。【０１２１】
一般式（３）または該一般式（３）の互変異性体において、Ｘ31、Ｘ32、Ｘ33で各々表される−Ｎ（Ｒ3）−のＲ3で表される置換基は、一般式（１）または該一般式（１）の互変異性体においてＲ11、Ｒ12、Ｒ13で各々表される置換基と同義である。【０１２２】
一般式（３）または該一般式（３）の互変異性体において、Ｍ31で表される、元素周期表における８族〜１０族の金属（イオンでもよい）は、一般式（１）または該一般式（１）の互変異性体において、Ｍ11で表される、元素周期表における８族〜１０族の金属と同義である。【０１２３】
《一般式（４）または該一般式（４）の互変異性体》
一般式（４）または該一般式（４）の互変異性体において、Ｚ41で表される芳香族複素環は、一般式（１）または該一般式（１）の互変異性体において、Ｚ11で表される芳香族複素環と同義である。【０１２４】
一般式（４）または該一般式（４）の互変異性体において、Ｘ41、Ｘ42で各々表される−Ｎ（Ｒ4）−のＲ4で表される置換基は、一般式（１）または該一般式（１）の互変異性体においてＲ11、Ｒ12、Ｒ13で各々表される置換基と同義である。【０１２５】
一般式（４）または該一般式（４）の互変異性体において、Ｍ41で表される、元素周期表における８族〜１０族の金属（イオンでもよい）は、一般式（１）または該一般式（１）の互変異性体において、Ｍ11で表される、元素周期表における８族〜１０族の金属と同義である。【０１２６】
《一般式（５）または該一般式（５）の互変異性体》
一般式（５）または該一般式（５）の互変異性体において、Ｚ51で表される芳香族炭化水素環は、一般式（１）または該一般式（１）の互変異性体において、Ｚ11で表される芳香族炭化水素環と同義である。【０１２７】
一般式（５）または該一般式（５）の互変異性体において、Ｚ51で表される芳香族複素環は、一般式（１）または該一般式（１）の互変異性体において、Ｚ11で表される芳香族複素環と同義である。【０１２８】
一般式（５）または該一般式（５）の互変異性体において、Ｒ51、Ｒ52で各々表される置換基は、一般式（１）または該一般式（１）の互変異性体においてＲ11、Ｒ12、Ｒ13で各々表される置換基と同義である。【０１２９】
一般式（５）または該一般式（５）の互変異性体において、Ｍ51で表される、元素周期表における８族〜１０族の金属（イオンでもよい）は、一般式（１）または該一般式（１）の互変異性体において、Ｍ11で表される、元素周期表における８族〜１０族の金属と同義である。【０１３０】
《一般式（６）または該一般式（６）の互変異性体》
一般式（６）または該一般式（６）の互変異性体において、Ｚ61で表される芳香族炭化水素環は、一般式（１）または該一般式（１）の互変異性体において、Ｚ11で表される芳香族炭化水素環と同義である。【０１３１】
一般式（６）または該一般式（６）の互変異性体において、Ｚ61で表される芳香族複素環は、一般式（１）または該一般式（１）の互変異性体において、Ｚ11で表される芳香族複素環と同義である。【０１３２】
一般式（６）または該一般式（６）の互変異性体において、Ｍ61で表される、元素周期表における８族〜１０族の金属（イオンでもよい）は、一般式（１）または該一般式（１）の互変異性体において、Ｍ11で表される、元素周期表における８族〜１０族の金属と同義である。【０１３３】
以下、本発明に係る、前記一般式（１）〜（６）または該一般式（１）〜（６）の各々の互変異性体を部分構造として有する金属錯体の具体例を示すが、本発明はこれらに限定されない。
2006008976.tif 000068
【０１３４】
2006008976.tif 000069
【０１３５】
2006008976.tif 000070
【０１３６】
2006008976.tif 000071
【０１３７】
2006008976.tif 000072
【０１３８】
2006008976.tif 000073
【０１３９】
2006008976.tif 000074
【０１４０】
2006008976.tif 000075
【０１４１】
2006008976.tif 000076
【０１４２】
2006008976.tif 000077
【０１４３】
2006008976.tif 000078
【０１４４】
2006008976.tif 000079
【０１４５】
2006008976.tif 000080
【０１４６】
2006008976.tif 000081
【０１４７】
2006008976.tif 000082
【０１４８】
2006008976.tif 000083
【０１４９】
2006008976.tif 000084
【０１５０】
2006008976.tif 000085
【０１５１】
2006008976.tif 000086
【０１５２】
2006008976.tif 000087
【０１５３】
2006008976.tif 000088
【０１５４】
2006008976.tif 000089
【０１５５】
《態様（ｂ）》前記一般式（７）で表される白金錯体を青色発光性オルトメタル錯体として用いる場合。【０１５６】
《一般式（７）で表される金属錯体》
本発明に係る、一般式（７）で表される白金錯体について説明する。【０１５７】
本発明の一般式（７）において、Ｒ1、Ｒ2、Ｒ3、Ｒ4、Ｒ5、Ｒ6、Ｒ7は水素原子または置換基で表されるが、その少なくとも一つは必ず置換基を表す。Ｒ1、Ｒ2、Ｒ3、Ｒ4、Ｒ5、Ｒ6、Ｒ7の二つ以上が置換基で表される場合でも、それらは互いに結合して環を形成することはない。また、Ｒａは置換基を表し、Ｘａは酸素原子または硫黄原子を表す。【０１５８】
一般式（７）において、前記Ｒａで表される置換基としては、特に制限はないが、アルキル基（例えば、メチル基、エチル基、イソプロピル基、ｔｅｒｔ−ブチル基等）、シクロアルキル基（例えば、シクロヘキシル基、シクロペンチル基、シクロプロピル基等）、アルケニル基（例えば、ビニル基、アリル基、２−ブテニル基等）、アルキニル基（例えば、エチニル基、プロピニル基等）、アリール基（例えば、フェニル基、２−ナフチル基、２−ピリジル基、２−チエニル基、３−フリル基等）、ヘテロ環基（Ｎ−モルホリル基、２−テトラヒドロフラニル基等）等が挙げられる。【０１５９】
これらの中、Ｒａは炭素数１〜３０のアルキル基であることが好ましく、Ｒａ−Ｘａ−はアルコキシ基、アルキルチオ基であることが好ましい。【０１６０】
また、前記Ｒ1〜Ｒ7で表される置換基としては、アルキル基（例えば、メチル基、イソプロピル基、ｔｅｒｔ−ブチル基等）、シクロアルキル基（例えば、シクロヘキシル基、シクロペンチル基、シクロプロピル基等）、アルケニル基（例えば、ビニル基、アリル基、２−ブテニル基等）、アルキニル基（例えば、エチニル基、プロピニル基等）、アリール基（例えば、フェニル基、２−ナフチル基、９−フェナンスリル基、２−ピリジル基、メシチル基、カルバゾリル基、フルオレニル基、２−チエニル基、３−フリル基等）、ヘテロ環基（Ｎ−モルホリル基、２−テトラヒドロフラニル基等）、アミノ基、アルキルアミノ基（例えば、ジメチルアミノ基、ジフェニルアミノ基等）、ハロゲン原子（例えば、フッ素原子、塩素原子、臭素原子、沃素原子等）、アルコキシ基（例えば、メトキシ基、エトキシ基、イソプロポキシ基等）、アリールオキシ基（例えば、フェノキシ基、パーフルオロフェノキシ基等）、アシルアミノ基（例えば、アセトアミド基、ベンゾイルアミド基等）、スルホンアミド基（例えば、メタンスルホンアミド基、ブタンスルホンアミド基、ベンゼンスルホンアミド基等）、カルボアルコキシ基（例えば、カルボエトキシ基等）、アリールオキシカルボニル基（例えば、フェノキシカルボニル基等）、アシルオキシ基（例えば、アセトキシ基、ベンゾイルオキシ基等）、アルキルチオ基（例えば、メチルチオ基等）、アリールチオ基（例えば、フェニルチオ基等）、シアノ基、フッ化炭化水素基（例えば、トリフルオロメチル基、ペンタフルオロフェニル基等）等があげられる。【０１６１】
一般式（７）において、Ｙ1−Ｌ2−Ｙ2は２座の配位子を表し、Ｙ1、Ｙ2は、各々独立に酸素原子、窒素原子、炭素原子、または、硫黄原子を表し、Ｌ1は、Ｙ1、Ｙ2と共に２座の配位子の形成するのに必要な原子群を表す。【０１６２】
Ｙ1−Ｌ2−Ｙ2で表される２座の配位子の具体例としては、特に制限はないが、置換基を有しても良いフェニルピリジン、酢酸、アセチルアセトン、チオカルバミン酸誘導体、２−アシルフェノール、ピコリン酸等の誘導体であることが好ましい。【０１６３】
また、前記アルコキシ基、アルキルチオ基等と共に、前記構造における３ｐ〜６ｐ位に導入され、かつ、互いに結合して環を形成しないことが好ましい少なくとも一つの置換基としては、前記一般式（７）におけるそれぞれＲ1、Ｒ2、Ｒ3、Ｒ4で表される基であり、これらのＲ1〜Ｒ4で表される置換基の少なくとも１つが、前記の置換基の中、電子供与性の置換基であることが好ましい。また、さらに好ましいのは、Ｒ1、Ｒ2、Ｒ3、Ｒ4で表される基の中、少なくとも二つが電子供与性の置換基である場合である。【０１６４】
また、最も好ましいのは、一般式（７）においてＲ2とＲ4が電子供与性の置換基である場合である。【０１６５】
電子供与性の置換基としては、前記の基の中、最も好ましくはアルキル基、アルコキシ基、アルキルアミノ基が挙げられる。【０１６６】
次にこれらの置換基として好ましいのは、ハロゲン原子、中でもフッ素原子である。フッ素原子はπドナー性をもっているため、電子供与的に働く場合があり、その効果で好ましい素子性能を付与できるものと考えられる。【０１６７】
以下に、本発明に用いられる前記一般式（７）で表される白金錯体について、具体的化合物例を挙げるが、本発明は、これらに限定されるものではない。
2006008976.tif 000090
【０１６８】
2006008976.tif 000091
【０１６９】
2006008976.tif 000092
【０１７０】
2006008976.tif 000093
【０１７１】
2006008976.tif 000094
【０１７２】
2006008976.tif 000095
【０１７３】
2006008976.tif 000096
【０１７４】
2006008976.tif 000097
【０１７５】
2006008976.tif 000098
【０１７６】
2006008976.tif 000099
【０１７７】
2006008976.tif 000100
【０１７８】
《態様（ｃ）》前記一般式（８）、（９）で各々で表される白金錯体を青色発光性オルトメタル錯体として用いる場合。【０１７９】
《一般式（８）で表される金属錯体》
本発明に係る、前記一般式（８）で表される金属錯体について説明する。【０１８０】
一般式（８）において、Ａ、Ｂ、Ｃは水素原子または置換基で表されるが、その少なくとも二つは前記一般式（２）で表され、互いに異なっていてもよい。Ａ、Ｂ、Ｃで表される置換基としては特に制限はないが、好ましくはアルキル基（例えば、メチル基、イソプロピル基、ｔｅｒｔ−ブチル基等）、シクロアルキル基（例えば、シクロヘキシル基、シクロペンチル基、シクロプロピル基等）、アルケニル基（例えば、ビニル基、アリル基、２−ブテニル基等）、アルキニル基（例えば、エチニル基、プロピニル基等）、アリール基（例えば、フェニル基、２−ナフチル基、９−フェナンスリル基、２−ピリジル基、２−チエニル基、３−フリル基、メシチル基、カルバゾリル基、フルオレニル基等）、ヘテロ環基（Ｎ−モルホリル基、２−テトラヒドロフラニル基等）、アミノ基（例えば、ジメチルアミノ基、ジフェニルアミノ基等）、ハロゲン原子（例えば、塩素原子、臭素原子、沃素原子等）、アルコキシ基（例えば、メトキシ基、エトキシ基、イソプロポキシ基等）、アリールオキシ基（例えば、フェノキシ基、パーフルオロフェノキシ基等）、アルキルチオ基（例えば、メチルチオ基、エチルチオ基、プロピルチオ基、ペンチルチオ基、ヘキシルチオ基、オクチルチオ基、ドデシルチオ基等）、アリールチオ基（例えば、フェニルチオ基、ナフチルチオ基等）、シアノ基、フッ化炭化水素基（例えば、トリフルオロメチル基、ペンタフルオロフェニル基等）、シリル基（例えば、トリフェニルシリル基、トリメチルシリル基等）が挙げられる。この中で特に好ましいものは、アミノ基、アルコキシ基、アリールオキシ基、アルキルチオ基、アリールチオ基、アリール基である。最も好ましくは、アミノ基、アルコキシ基、アルキルチオ基である。【０１８１】
一般式（８）において、Ｒ1、Ｒ2、Ｒ3、Ｒ4、Ｒ5は水素原子または置換基を表す。Ｒ1、Ｒ2、Ｒ3、Ｒ4、Ｒ5で表される置換基としては、前記Ａ、Ｂ、Ｃで表される置換基として説明したものと同義である。【０１８２】
一般式（８）において、Ｍ1は元素周期表における第８族、第９族または第１０族の元素を表す。第８族、第９族または第１０族の元素としては、好ましくはルテニウム、ロジウム、パラジウム、オスミウム、イリジウム、白金であり、最も好ましくはイリジウム、白金である。【０１８３】
一般式（２）において、Ｒａは置換基を表す。Ｒａで表される置換基としては、前記Ａ、Ｂ、Ｃで表される置換基として説明したものと同義である。この中で特に好ましいものは、アルキル基である。【０１８４】
一般式（８）において、Ｘａは酸素原子、硫黄原子または窒素原子を表す。ｎａは１または２を表す。【０１８５】
一般式（８）において、Ａ、Ｂ、Ｃの三つが一般式（２）で表される場合が最も好ましい。【０１８６】
一般式（８）において、Ａ、Ｂ、Ｃの二つが一般式（２）で表される場合、最も好ましくは一般式（２）が４位と６ｐ位に置換される場合、好ましくは一般式（２）が４位と４ｐ位に置換される場合である。【０１８７】
《一般式（９）で表される金属錯体》
本発明に係る、前記一般式（９）で表される金属錯体について説明する。【０１８８】
一般式（９）において、Ｒｂ、Ｒｃ、Ｒｄは置換基を表し、Ｒｂ、Ｒｃ、Ｒｄで表される置換基としては、前記一般式（８）のＡ、Ｂ、Ｃで表される置換基として説明したものと同義である。Ｒｂ、Ｒｃ、Ｒｄの置換基としてはアルキル基であることが好ましい。【０１８９】
一般式（９）において、Ｘｂ、Ｘｃ、Ｘｄは酸素原子、硫黄原子または窒素原子を表す。Ｘｂ、Ｘｃ、Ｘｄの原子の組み合わせとしては、（１）Ｘｄが窒素原子で、Ｘｂ、Ｘｃが酸素原子、（２）Ｘｄが硫黄原子であり、Ｘｂ、Ｘｃが酸素原子、または（３）Ｘｂ、Ｘｃ、Ｘｄが酸素原子であることが好ましい。【０１９０】
一般式（９）において、ｎｂ、ｎｃ、ｎｄは１または２を表す。【０１９１】
一般式（９）において、Ｒ6、Ｒ7、Ｒ8、Ｒ9、Ｒ10は水素原子または置換基を表す。Ｒ6、Ｒ7、Ｒ8、Ｒ9、Ｒ10で表される置換基としては、前記一般式（８）のＡ、Ｂ、Ｃで表される置換基として説明したものと同義である。【０１９２】
一般式（９）において、Ｍ2は元素周期表における第８族、第９族または第１０族の元素を表す。第８族、第９族または第１０族の元素としては、好ましくはルテニウム、ロジウム、パラジウム、オスミウム、イリジウム、白金であり、最も好ましくはイリジウム、白金である。【０１９３】
以下に、一般式（８）または（９）で表される錯体の具体例を挙げるが、本発明はこれらに限定されない。
2006008976.tif 000101
【０１９４】
2006008976.tif 000102
【０１９５】
2006008976.tif 000103
【０１９６】
2006008976.tif 000104
【０１９７】
2006008976.tif 000105
【０１９８】
2006008976.tif 000106
【０１９９】
2006008976.tif 000107
【０２００】
2006008976.tif 000108
【０２０１】
2006008976.tif 000109
【０２０２】
2006008976.tif 000110
【０２０３】
2006008976.tif 000111
【０２０４】
2006008976.tif 000112
【０２０５】
2006008976.tif 000113
【０２０６】
2006008976.tif 000114
【０２０７】
2006008976.tif 000115
【０２０８】
2006008976.tif 000116
【０２０９】
2006008976.tif 000117
【０２１０】
2006008976.tif 000118
【０２１１】
2006008976.tif 000119
【０２１２】
《態様（ｄ）》前記一般式（１０）で表される配位子を有する金属錯体、下記一般式（１１）または（１２）で表される部分構造を有する金属錯体または該一般式（１１）または（１２）で表される部分構造の各々の互変異生体を有する金属錯体を青色発光性オルトメタル錯体として用いる場合。【０２１３】
《一般式（１０）で表される配位子を有する金属錯体》
本発明に係る一般式（１０）で表される配位子を有する金属錯体について説明する。【０２１４】
最初に、一般式（１０）で表される配位子について説明する。【０２１５】
一般式（１０）において、Ｚ1がＣ1、Ｘ1、Ｘ3と共に、Ｚ2がＣ2、Ｘ2、Ｘ4と共に、各々形成する芳香族炭化水素環としては、例えば、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。【０２１６】
中でも好ましく用いられるのは、ベンゼン環である。更に、前記芳香族炭化水素環は、後述する、前記一般式（１０）においてＲ1で表される置換基を有してもよい。【０２１７】
一般式（１０）において、Ｚ1がＣ1、Ｘ1、Ｘ3と共に、Ｚ2がＣ2、Ｘ2、Ｘ4と共に、各々形成する芳香族複素環としては、例えば、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくともひとつが更に窒素原子で置換されている環等が挙げられる。【０２１８】
中でも好ましいのは、ピリジン環である。更に、前記芳香族複素環は、後述する、前記一般式（１０）においてＲ1で表される置換基を有してもよい。【０２１９】
一般式（１０）において、Ｒ1で表される置換基としては、例えば、アルキル基（例えば、メチル基、エチル基、イソプロピル基、ヒドロキシエチル基、メトキシメチル基、トリフルオロメチル基、ｔ−ブチル基等）、シクロアルキル基（例えば、シクロペンチル基、シクロヘキシル基等）、アラルキル基（例えば、ベンジル基、２−フェネチル基等）、芳香族炭化水素基（例えば、フェニル基、ｐ−クロロフェニル基、メシチル基、トリル基、キシリル基、ビフェニリル基、ナフチル基、アントリル基、フェナントリル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、フタラジニル基等）、アルコキシル基（例えば、メトキシ基、エトキシ基、イソプロポキシ基、ブトキシ基等）、アリールオキシ基（例えば、フェノキシ基、ナフチルオキシ基等）、シアノ基、水酸基、アルケニル基（例えば、ビニル基等）、スチリル基、ハロゲン原子（例えば、塩素原子、臭素原子、沃素原子、フッ素原子等）等が挙げられる。これらの基は、更に置換されていてもよい。【０２２０】
中でも、本発明では、上記Ｒ1で表される基の少なくともひとつは、上記の芳香族炭化水素基または芳香族複素環基であることが好ましい。【０２２１】
上記一般式（１０）で表される配位子と中心金属（金属でもイオンでもよい）との間で配位結合が形成（錯形成ともいう）されて金属錯体が形成される。【０２２２】
ここで、前記配位子と中心金属（後述する）との間で配位結合が形成されるのは、前記一般式（１０）で表される配位子を構成する原子の中で、Ｘ3及び／またはＸ4との間で配位結合または共有結合が形成されることが好ましい。【０２２３】
《一般式（１１）またはその互変異生体を部分構造として有する金属錯体》
本発明に係る一般式（１１）またはその互変異生体を部分構造として有する金属錯体について説明する。【０２２４】
一般式（１１）において、Ｚ3がＣ3、Ｃ4、Ｃ5と共に形成する芳香族炭化水素環は、前記一般式（１０）において、Ｚ1がＣ1、Ｘ1、Ｘ3と共に形成する芳香族炭化水素環と同義である。【０２２５】
一般式（１１）において、Ｚ3がＣ3、Ｃ4、Ｃ5と共に形成する芳香族複素環は、前記一般式（１０）において、Ｚ1がＣ1、Ｘ1、Ｘ3と共に形成する芳香族複素環と同義である。【０２２６】
一般式（１１）において、Ｚ4がＣ6、Ｃ7、Ｎと共に形成する芳香族複素環は、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくともひとつが更に窒素原子で置換されている環等が挙げられる。更に、前記芳香族複素環は、前記一般式（１０）においてＲ1で表される置換基を有してもよい。【０２２７】
一般式（１１）において、Ｒ2で表される置換基は、前記一般式（１０）においてＲ1で表される置換基と同義である。【０２２８】
一般式（１１）において、Ｍ11で表される、元素周期表における第８族〜第１０族の元素としては、白金（Ｐｔ）、イリジウム（Ｉｒ）等が好ましい。また、一般式（１１）において、Ｍ11は、金属でもよく、イオンでもよい。【０２２９】
《一般式（１２）またはその互変異性体を部分構造として有する金属錯体》
本発明に係る一般式（１２）またはその互変異性体を部分構造として有する金属錯体について説明する。【０２３０】
一般式（１２）において、Ｒ3で表される置換基は、前記一般式（１０）においてＲ1で表される置換基と同義である。【０２３１】
一般式（１２）において、Ｒ4、Ｒ5で各々表される置換基は、前記一般式（１０）においてＲ1で表される置換基と同義である。【０２３２】
一般式（１２）において、Ｍ12で表される、元素周期表における第８族〜第１０族の元素としては、白金（Ｐｔ）、イリジウム（Ｉｒ）等が好ましい。また、一般式（１２）において、Ｍ12は、金属でもよく、イオンでもよい。【０２３３】
以下に、一般式（１０）で表される配位子を有する金属錯体、下記一般式（１１）または（１２）で表される部分構造を有する金属錯体または該一般式（１１）または（１２）で表される部分構造の各々の互変異生体を有する金属錯体の具体例を示すが、本発明はこれらに限定されない。
2006008976.tif 000120
【０２３４】
2006008976.tif 000121
【０２３５】
2006008976.tif 000122
【０２３６】
2006008976.tif 000123
【０２３７】
2006008976.tif 000124
【０２３８】
2006008976.tif 000125
【０２３９】
2006008976.tif 000126
【０２４０】
2006008976.tif 000127
【０２４１】
2006008976.tif 000128
【０２４２】
2006008976.tif 000129
【０２４３】
2006008976.tif 000130
【０２４４】
2006008976.tif 000131
【０２４５】
2006008976.tif 000132
【０２４６】
2006008976.tif 000133
【０２４７】
2006008976.tif 000134
【０２４８】
2006008976.tif 000135
【０２４９】
《態様（ｅ）》前記青色発光性オルトメタル錯体が、下記一般式（１３）で表される配位子を有する金属錯体、下記一般式（１４）で表される部分構造を有する金属錯体、下記一般式（１５）で表される部分構造またはその互変異性体を部分構造として有する金属錯体、下記一般式（１６）で表される配位子を有する金属錯体、下記一般式（１７）で表される部分構造を有する金属錯体、または下記一般式（１８）で表される部分構造を有する金属錯体を青色発光性オルトメタル錯体として用いる場合。【０２５０】
《一般式（１３）で表される配位子を有する金属錯体》
本発明に係る、一般式（１３）で表される配位子を有する金属錯体について説明する。【０２５１】
最初に、一般式（１３）で表される配位子について説明する。【０２５２】
一般式（１３）において、Ｚ1とＣ1、Ｘ1、Ｘ3と共に形成される芳香族炭化水素環としては、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。【０２５３】
中でも好ましく用いられるのは、ベンゼン環である。更に、前記芳香族炭化水素環は、後述する、前記一般式（１３）においてＲ1、Ｒ2で各々表される置換基を有してもよい。【０２５４】
一般式（１３）において、Ｚ1とＣ1、Ｘ1、Ｘ3と共に形成される芳香族複素環としては、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくともひとつが更に窒素原子で置換されている環等が挙げられる。【０２５５】
中でも好ましいのは、ピリジン環である。更に、前記芳香族複素環は、後述する、前記一般式（１３）においてＲ1、Ｒ2で各々表される置換基を有してもよい。【０２５６】
一般式（１３）において、Ｒ1、Ｒ2で各々独立に表される置換基としては、例えば、アルキル基（例えば、メチル基、エチル基、イソプロピル基、ヒドロキシエチル基、メトキシメチル基、トリフルオロメチル基、ｔ−ブチル基等）、シクロアルキル基（例えば、シクロペンチル基、シクロヘキシル基等）、アラルキル基（例えば、ベンジル基、２−フェネチル基等）、芳香族炭化水素基（例えば、フェニル基、ｐ−クロロフェニル基、メシチル基、トリル基、キシリル基、ビフェニリル基、ナフチル基、アントリル基、フェナントリル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、フタラジニル基等）、アルコキシル基（例えば、エトキシ基、イソプロポキシ基、ブトキシ基等）、アリールオキシ基（例えば、フェノキシ基、ナフチルオキシ基等）、シアノ基、水酸基、アルケニル基（例えば、ビニル基等）、スチリル基、ハロゲン原子（例えば、塩素原子、臭素原子、沃素原子、フッ素原子等）等が挙げられる。これらの基は、更に置換されていてもよい。【０２５７】
中でも、本発明では、上記Ｒ1、Ｒ2で表される基の少なくともひとつは、上記の芳香族炭化水素基または芳香族複素環基であることが好ましい。【０２５８】
上記一般式（１３）で表される配位子と中心金属（金属でもイオンでもよい）との間で配位結合が形成（錯形成ともいう）されて金属錯体が形成される。【０２５９】
ここで、前記配位子と中心金属（後述する）との間で配位結合が形成されるのは、前記一般式（１３）で表される配位子を構成する原子の中で、Ｘ3及び／またはＸ4との間で配位結合または共有結合が形成されることが好ましい。【０２６０】
《一般式（１４）で表される部分構造を有する金属錯体》
本発明に係る一般式（１４）で表される部分構造を有する金属錯体について説明する。【０２６１】
一般式（１４）において、Ｚ3がＣ5、Ｃ3、Ｃ7と共に形成する芳香族炭化水素環は、前記一般式（１３）において、Ｚ1がＣ1、Ｘ1、Ｘ3と共に形成する芳香族炭化水素環と同義である。【０２６２】
一般式（１４）において、Ｚ3がＣ5、Ｃ3、Ｃ7と共に形成する芳香族複素環は、前記一般式（１３）において、Ｚ1とＣ1、Ｘ1、Ｘ3と共に形成する芳香族複素環と同義である。【０２６３】
一般式（１４）において、Ｚ4が、Ｃ6、Ｃ4、Ｎと共に形成する芳香族複素環としては、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくともひとつが更に窒素原子で置換されている環等が挙げられる。更に、前記芳香族複素環は、前記一般式（１３）においてＲ1、Ｒ2で各々表される置換基を有してもよい。【０２６４】
一般式（１４）において、Ｒ3、Ｒ4で、各々独立に表される置換基は、前記一般式（１３）において、Ｒ1、Ｒ2で各々独立に表される置換基と同義である。【０２６５】
一般式（１４）において、Ｍ11は元素周期表における第８族〜第１０族の第ＶＩＩＩ族の元素を表すが、中でも好ましく用いられるのは、白金（Ｐｔ）とイリジウム（Ｉｒ）である。また、一般式（１４）において、Ｍ11は、金属でもよく、イオンでもよい。【０２６６】
《一般式（１５）またはその互変異性体を部分構造として有する金属錯体》
本発明に係る、一般式（１５）またはその互変異性体を部分構造として有する金属錯体について説明する。【０２６７】
一般式（１５）において、Ｒ5、Ｒ6で各々独立に表される置換基、Ｒ7、Ｒ8で各々独立に表される置換基は、前記一般式（１３）において、Ｒ1、Ｒ2で各々独立に表される置換基と同義である。【０２６８】
また、一般式（１５）において、Ｒ5、Ｒ6の少なくとも一つは芳香族炭化水素基または芳香族複素環基であることが好ましい。【０２６９】
一般式（１５）において、Ｍ12で表される元素周期表における第８族〜第１０族の元素は、一般式（１４）において、Ｍ11は元素周期表における第８族〜第１０族の元素と同義である。【０２７０】
《一般式（１６）で表される配位子を有する金属錯体》
本発明に係る、一般式（１６）で表される配位子を有する金属錯体について説明する。【０２７１】
一般式（１６）において、Ｚ5が、Ｃ8、Ｘ3、Ｘ5と共に、Ｚ6が、Ｃ9、Ｘ4、Ｘ6と共に、Ｚ7が、Ｃ10、Ｃ11と共に、Ｚ8が、Ｃ12、Ｃ13と共に、各々独立に形成する芳香族炭化水素環は、前記一般式（１３）において、Ｚ1がＣ1、Ｘ1、Ｘ3と共に形成する芳香族炭化水素環と同義である。【０２７２】
一般式（１６）において、Ｚ5が、Ｃ8、Ｘ3、Ｘ5と共に、Ｚ6が、Ｃ9、Ｘ4、Ｘ6と共に、Ｚ7が、Ｃ10、Ｃ11と共に、Ｚ8が、Ｃ12、Ｃ13と共に、各々独立に形成する芳香族複素環は、前記一般式（１３）において、Ｚ1がＣ1、Ｘ1、Ｘ3と共に形成する芳香族複素環と同義である。【０２７３】
《一般式（１７）で表される部分構造を有する金属錯体》
本発明に係る一般式（１７）で表される部分構造を有する金属錯体について説明する。【０２７４】
一般式（１７）において、Ｚ9が、Ｃ16、Ｃ14、Ｃ18と共に、Ｚ11が、Ｃ19、Ｃ20と共に、Ｚ12が、Ｃ21、Ｃ22と共に、各々独立に形成する芳香族炭化水素環は、前記一般式（１３）において、Ｚ1がＣ1、Ｘ1、Ｘ3と共に形成する芳香族炭化水素環と同義である。【０２７５】
一般式（１７）において、Ｚ9が、Ｃ16、Ｃ14、Ｃ18と共に、Ｚ11が、Ｃ19、Ｃ20と共に、Ｚ12が、Ｃ21、Ｃ22と共に、各々独立に形成する芳香族複素環は、前記一般式（１３）において、Ｚ1がＣ1、Ｘ1、Ｘ3と共に形成する芳香族複素環と同義である。【０２７６】
一般式（１７）において、Ｚ10が、Ｃ17、Ｃ15、Ｎと共に形成する、芳香族複素環は、一般式（１４）において、Ｚ4が、Ｃ6、Ｃ4、Ｎと共に形成する芳香族複素環と同義である。【０２７７】
一般式（１７）において、Ｍ21で表される、元素周期表における第８族〜第１０族の元素は、一般式（１４）において、Ｍ11は元素周期表における第８族〜第１０族の元素と同義である。【０２７８】
《一般式（１８）で表される部分構造を有する金属錯体》
本発明に係る一般式（１８）で表される部分構造を有する金属錯体について説明する。【０２７９】
一般式（１８）において、Ｚ13が、Ｃ23、Ｃ24と共に、Ｚ14が、Ｃ25、Ｃ26と共に、各々形成する芳香族炭化水素環は、前記一般式（１３）において、Ｚ1がＣ1、Ｘ1、Ｘ3と共に形成する芳香族炭化水素環と同義である。【０２８０】
一般式（１８）において、Ｚ13が、Ｃ23、Ｃ24と共に、Ｚ14が、Ｃ25、Ｃ26と共に、各々形成する芳香族複素環は、前記一般式（１３）において、Ｚ1とＣ1、Ｘ1、Ｘ3と共に形成する芳香族複素環と同義である。【０２８１】
一般式（１８）において、Ｒ9、Ｒ10で、各々独立に表される置換基は、一般式（１３）において、Ｒ1、Ｒ2で各々独立に表される置換基と同義である。【０２８２】
一般式（１８）において、Ｍ22で表される、元素周期表における第８族〜第１０族の元素は、一般式（１４）において、Ｍ11は元素周期表における第８族〜第１０族の元素と同義である。【０２８３】
以下に、一般式（１３）で表される配位子を有する金属錯体、一般式（１４）で表される部分構造を有する金属錯体、一般式（１５）で表される部分構造またはその互変異性体を部分構造として有する金属錯体、一般式（１６）で表される配位子を有する金属錯体、一般式（１７）で表される部分構造を有する金属錯体、または一般式（１８）で表される部分構造を有する金属錯体の具体例を示すが、本発明はこれらに限定されない。
2006008976.tif 000136
【０２８４】
2006008976.tif 000137
【０２８５】
2006008976.tif 000138
【０２８６】
2006008976.tif 000139
【０２８７】
2006008976.tif 000140
【０２８８】
2006008976.tif 000141
【０２８９】
2006008976.tif 000142
【０２９０】
2006008976.tif 000143
【０２９１】
2006008976.tif 000144
【０２９２】
2006008976.tif 000145
【０２９３】
2006008976.tif 000146
【０２９４】
2006008976.tif 000147
【０２９５】
2006008976.tif 000148
【０２９６】
2006008976.tif 000149
【０２９７】
2006008976.tif 000150
【０２９８】
2006008976.tif 000151
【０２９９】
2006008976.tif 000152
【０３００】
2006008976.tif 000153
【０３０１】
2006008976.tif 000154
【０３０２】
2006008976.tif 000155
【０３０３】
2006008976.tif 000156
【０３０４】
2006008976.tif 000157
【０３０５】
《態様（ｆ）》前記青色発光性オルトメタル錯体として、下記一般式（１９）〜（２７）からなる群から選択される少なくとも１種の白金錯体を用いる場合。【０３０６】
《一般式（１９）で表される白金錯体》
本発明に係る、一般式（１９）で表される白金錯体について説明する。本発明では、前記一般式（１９）の互変異生体で表されるものも含むものとする。【０３０７】
一般式（１９）において、Ｒ1、Ｒ2で、各々表される置換基としては、例えば、アルキル基（例えば、メチル基、エチル基、イソプロピル基、ヒドロキシエチル基、メトキシメチル基、トリフルオロメチル基、ｔ−ブチル基等）、シクロアルキル基（例えば、シクロペンチル基、シクロヘキシル基等）、アラルキル基（例えば、ベンジル基、２−フェネチル基等）、アリール基（例えば、フェニル基、ｐ−クロロフェニル基、メシチル基、トリル基、キシリル基、ビフェニリル基、ナフチル基、アントリル基、フェナントリル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、フタラジニル基等）、アルコキシル基（例えば、エトキシ基、イソプロポキシ基、ブトキシ基等）、アリールオキシ基（例えば、フェノキシ基、ナフチルオキシ基等）、シアノ基、水酸基、アルケニル基（例えば、ビニル基等）、スチリル基、ハロゲン原子（例えば、塩素原子、臭素原子、沃素原子、フッ素原子等）等が挙げられる。これらの基は、更に置換されていてもよい。【０３０８】
一般式（１９）において、Ｚ1が形成する芳香族炭化水素環または芳香族複素環としては、例えば、ベンゼン環、ナフタレン環、ピリジン環、ピリダジン環、ピリミジン環、ピラジン環、トリアジン環、フラン環、チオフェン環、ピロール環、イミダゾール環、ピラゾール環、トリアゾール環、テトラゾール環等が挙げられる。中でも好ましいのは、ベンゼン環である。【０３０９】
一般式（１９）において、Ｚ2が形成する芳香族炭化水素環または芳香族複素環としては、例えば、ピリジン環、ピリダジン環、ピリミジン環、ピラジン環、トリアジン環、ベンゾイミダゾール環、ベンゾチアゾール環、ベンゾオキサゾール環、キナゾリン環、フタラジン環等が挙げられる。中でも好ましいのは、ピリジン環である。【０３１０】
一般式（１９）において、ｎ１は、１または２の整数であり、ｎ１が１の時、Ｌ１は二座配位子を表す。Ｌ１で表される２座の配位子としては、オキシカルボン酸、オキシアルデヒド及びその誘導体（例えば、サリチルアルデヒダト、オキシアセトフェノナト等）、ジオキシ化合物（例えば、ビフェノラト等）、ジケトン類（例えば、アセチルアセトナト、ジベンゾイルメタナト、ジエチルマロナト、エチルアセトアセタト等）、オキシキノン類（例えば、ピロメコナト、オキシナフトキノナト、オキシアントラキノナト等）、トロポロン類（例えば、トロポナト、ヒノキチオラト等）、Ｎ−オキシド化合物、アミノカルボン酸及び類似化合物（例えば、グリシナト、アラニナト、アントラニラト、ピコリナト等）、ヒドロキシルアミン類（例えば、アミノフェノラト、エタノールアミナト、メルカプトエチルアミナト等）、オキシン類（例えば、８−オキシキノリナト等）、アルジミン類（例えば、サリチルアルジミナト等）、オキシオキシム類（例えば、ベンゾインオキシマト、サリチルアルドキシマト等）、オキシアゾ化合物（例えば、オキシアゾベンゾナト、フェニルアゾナフトラト等）、ニトロソナフトール類（例えば、β−ニトロソ−α−ナフトラト等）、トリアゼン類（例えば、ジアゾアミノベンゼナト等）、ビウレット類（例えば、ビウレタト、ポリペプチド基等）、ホルマゼン類及びジチゾン類（例えば、ジフェニルカルバゾナト、ジフェニルチオカルバゾナト等）、ピグアニド類（例えば、ピグアニダト等）、グリオキシム類（例えば、ジメチルグリオキシマト等）等が挙げられる。【０３１１】
以下に、本発明に好ましく用いられる、二座配位子の一般式及び具体例を挙げるが、本発明はこれらに限定されない。
2006008976.tif 000158
【０３１２】
上記の二座配位子の一般式において、Ｒａ〜Ｒｖは、各々アルキル基（例えば、メチル基、エチル基、イソプロピル基、ヒドロキシエチル基、メトキシメチル基、トリフルオロメチル基、ｔ−ブチル基等）またはハロゲン化アルキル基（例えば、前記アルキル基の水素原子の少なくとも一つがフッ素原子、塩素原子、臭素原子または沃素原子等により置換されたものが挙げられる。）を表す。【０３１３】
上記の二座配位子の一般式において、Ａｒａ〜Ａｒｃは、アリール基（例えば、フェニル基、ｐ−クロロフェニル基、メシチル基、トリル基、キシリル基、ビフェニル基、ナフチル基、アントリル基、フェナントリル基等）または芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、カルボリニル基、ジアザカルバゾリル基（ここで、ジアザカルバゾリル基とは、前記カルボリニル基のカルボリン環を構成する炭素原子の任意のひとつが窒素原子で置換されたものを示す。）、フタラジニル基等）を表す。【０３１４】
《一般式（２０）で表される白金錯体》
本発明に係る一般式（２）で表される白金錯体について説明する。【０３１５】
一般式（２０）において、Ｒ3、Ｒ4で各々表される置換基は、前記一般式（１９）においてＲ1、Ｒ2で各々表される置換基と同義である。【０３１６】
一般式（２０）において、Ｌ２で表される二座配位子は、前記一般式（１９）において、Ｌ１で表される二座配位子と同義である。【０３１７】
《一般式（２１）で表される白金錯体》
本発明に係る一般式（２１）で表される白金錯体について説明する。【０３１８】
一般式（２１）において、Ｒ5、Ｒ6で各々表される置換基は、前記一般式（１９）においてＲ1、Ｒ2で各々表される置換基と同義である。【０３１９】
一般式（２１）において、Ｌ３で表される二座配位子は、前記一般式（１９）において、Ｌ１で表される二座配位子と同義である。【０３２０】
一般式（２１）において、Ｚ3とＣ（炭素原子）とで形成される芳香族炭化水素環としては、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。更に、前記芳香族炭化水素環は、前記一般式（１９）においてＲ1、Ｒ2で各々表される置換基を有してもよい。【０３２１】
一般式（２１）において、Ｚ3とＣ（炭素原子）とで形成される芳香族複素環としては、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくともひとつが更に窒素原子で置換されている環等が挙げられる。更に、前記芳香族複素環は、前記一般式（１９）においてＲ1、Ｒ2で各々表される置換基を有してもよい。【０３２２】
《一般式（２２）で表される白金錯体》
本発明に係る一般式（２２）で表される白金錯体について説明する。【０３２３】
一般式（２２）において、Ｒ7〜Ｒ13で各々表される置換基は、前記一般式（１９）においてＲ1、Ｒ2で各々表される置換基と同義である。【０３２４】
一般式（２２）において、Ｌ４で表される二座配位子は、前記一般式（１９）において、Ｌ１で表される二座配位子と同義である。【０３２５】
《一般式（２３）で表される白金錯体》
本発明に係る一般式（２３）で表される白金錯体について説明する。【０３２６】
一般式（２３）において、Ｒ14、Ｒ15で各々表される置換基は、前記一般式（１９）においてＲ1、Ｒ2で各々表される置換基と同義である。【０３２７】
一般式（２３）において、Ｌ５で表される二座配位子は、前記一般式（１９）において、Ｌ１で表される二座配位子と同義である。【０３２８】
一般式（２３）において、Ｚ4とＣ（炭素原子）とで形成される芳香族炭化水素環は、一般式（２１）において、Ｚ3とＣ（炭素原子）とで形成される芳香族炭化水素環と同義である。【０３２９】
一般式（２３）において、Ｚ4とＣ（炭素原子）とで形成される芳香族複素環は、一般式（２１）において、Ｚ3とＣ（炭素原子）とで形成される芳香族複素環と同義である。【０３３０】
《一般式（２４）で表される白金錯体》
本発明に係る一般式（２４）で表される白金錯体について説明する。【０３３１】
一般式（２４）において、Ｒ16〜Ｒ22で各々表される置換基は、前記一般式（１９）においてＲ1、Ｒ2で各々表される置換基と同義である。【０３３２】
一般式（２４）において、Ｌ６で表される二座配位子は、前記一般式（１９）において、Ｌ１で表される二座配位子と同義である。【０３３３】
《一般式（２５）で表される白金錯体》
本発明に係る一般式（２５）で表される白金錯体について説明する。【０３３４】
一般式（２５）において、Ｒ23、Ｒ24で各々表される置換基は、前記一般式（１９）においてＲ1、Ｒ2で各々表される置換基と同義である。【０３３５】
一般式（２５）において、Ｌ７で表される二座配位子は、前記一般式（１９）において、Ｌ１で表される二座配位子と同義である。【０３３６】
一般式（２５）において、Ｚ5とＮ（窒素原子）とで形成される芳香族複素環としては、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくとも一つが更に窒素原子で置換されている環等が挙げられる。更に、前記芳香族複素環は、前記一般式（１９）においてＲ1、Ｒ2で各々表される置換基を有してもよい。【０３３７】
《一般式（２６）で表される白金錯体》
本発明に係る一般式（２６）で表される白金錯体について説明する。【０３３８】
一般式（２６）において、Ｒ25、Ｒ26で各々表される置換基は、前記一般式（１９）においてＲ1、Ｒ2で各々表される置換基と同義である。【０３３９】
一般式（２６）において、Ｌ８で表される二座配位子は、前記一般式（１９）において、Ｌ１で表される二座配位子と同義である。【０３４０】
一般式（２６）において、Ｚ6とＮ（窒素原子）とで形成される芳香族複素環としては、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子の少なくとも一つが更に窒素原子で置換されている環等が挙げられる。更に、前記芳香族複素環は、前記一般式（１９）においてＲ1、Ｒ2で各々表される置換基を有してもよい。【０３４１】
《一般式（２７）で表される白金錯体》
本発明に係る一般式（２７）で表される白金錯体について説明する。【０３４２】
一般式（２７）において、Ｒ27、Ｒ28で各々表される置換基は、前記一般式（１９）においてＲ1、Ｒ2で各々表される置換基と同義である。【０３４３】
一般式（２７）において、Ｌ９で表される二座配位子は、前記一般式（１９）において、Ｌ１で表される二座配位子と同義である。【０３４４】
一般式（２７）において、Ｚ7が形成する５員または６員の環は、前記一般式（１９）において、Ｚ1が形成する５員または６員の環と同義である。【０３４５】
一般式（２７）において、Ｚ8が形成する５員または６員の環は、前記一般式（１９）において、Ｚ2が形成する５員または６員の環と同義である。【０３４６】
一般式（２７）において、Ｌ０で表される二価の連結基としては、アルキレン基（例えば、エチレン基、トリメチレン基、テトラメチレン基、プロピレン基、エチルエチレン基、ペンタメチレン基、ヘキサメチレン基、２，２，４−トリメチルヘキサメチレン基、ヘプタメチレン基、オクタメチレン基、ノナメチレン基、デカメチレン基、ウンデカメチレン基、ドデカメチレン基、シクロヘキシレン基（例えば、１，６−シクロヘキサンジイル基等）、シクロペンチレン基（例えば、１，５−シクロペンタンジイル基など）等）、アルケニレン基（例えば、ビニレン基、プロペニレン基等）、アルキニレン基（例えば、エチニレン基、３−ペンチニレン基等）、アリーレン基などの炭化水素基のほか、ヘテロ原子を含む基（例えば、−Ｏ−、−Ｓ−等のカルコゲン原子を含む２価の基、−Ｎ（Ｒ）−基、ここで、Ｒは、水素原子またはアルキル基を表し、該アルキル基は、前記一般式（１９）において、Ｒ1、Ｒ2で各々表される置換基に記載のアルキル基等）が用いられる。【０３４７】
以下に、本発明の有機ＥＬ素子材料として用いられる白金錯体化合物の具体例を示すが、本発明はこれらに限定されない。尚、以下に示す具体例において、自由回転できないアリール基または自由回転できない芳香族複素環基の周囲を各々点線で表示した。【０３４８】
《自由回転できないアリール基、自由回転できない芳香族複素環基》
本発明において、「自由回転できないアリール基、自由回転出来ない芳香族複素環基」とは、立体障害により結合の自由回転ができない置換基を表す。【０３４９】
但し、自由回転できないという状態としては、前記アリール基、前記芳香族複素環基が周囲に配置されている他の置換基等とが近接していることにより、物理的に自由回転不可能な場合は当然であるが、アリール基の結合軸、または芳香族複素環基の結合軸を通して結合生成している置換基との配座エネルギーに由来する結合回転障壁が存在する場合も、自由回転できないアリール基、自由回転できない芳香族複素環基として定義出来る。【０３５０】
ここで、結合回転障壁を生成させる、配座エネルギーとしては、２５ｋｃａｌ／モル以上であることが好ましい。【０３５１】
また、本発明では、各々物理的に自由回転不可能な状態である、アリール基、芳香族複素環基であることが好ましい。【０３５２】
自由回転出来ないアリール基として用いることの可能なアリール基としては、例えば、フェニル基、トリル基、キシリル基、ビフェニル基、ナフチル基、アントリル基、フェナントリル基等が挙げられる。【０３５３】
自由回転出来ない芳香族複素環基として用いることの可能な芳香族複素環基としては、例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、フタラジニル基等が挙げられる。
2006008976.tif 000159
【０３５４】
2006008976.tif 000160
【０３５５】
2006008976.tif 000161
【０３５６】
2006008976.tif 000162
【０３５７】
2006008976.tif 000163
【０３５８】
2006008976.tif 000164
【０３５９】
2006008976.tif 000165
【０３６０】
2006008976.tif 000166
【０３６１】
2006008976.tif 000167
【０３６２】
2006008976.tif 000168
【０３６３】
2006008976.tif 000169
【０３６４】
2006008976.tif 000170
【０３６５】
2006008976.tif 000171
【０３６６】
2006008976.tif 000172
【０３６７】
《態様ｇ》前記青色発光性オルトメタル錯体として、下記一般式（２８）〜（３２）からなる群から選択される少なくとも１種の白金錯体を用いる場合。【０３６８】
本発明に係る一般式（２８）〜（３２）で各々表される特定構造を有する金属錯体化合物について説明する。【０３６９】
前記一般式（２８）において、Ｚ11は炭素原子および窒素原子とともに芳香族複素環を形成するのに必要な原子群を表し、Ｚ12は炭素原子とともに非芳香族環を形成するのに必要な原子群を表し、Ｍは金属を表す。Ｚ11で形成される芳香族複素環としては、例えば、ピリジン環、ピリダジン環、ピリミジン環、ピラジン環、トリアジン環、ベンゾイミダゾール環、ベンゾチアゾール環、ベンゾオキサゾール環、キナゾリン環、フタラジン環等が挙げられる。Ｚ12で形成される非芳香族環としては、例えば、以下に記載の環が挙げられる。
2006008976.tif 000173
【０３７０】
一般式（２８）において、好ましくはＺ12で表される非芳香環が、Ｒ−２またはＲ−６である。【０３７１】
次に、一般式（２９）について説明する。【０３７２】
一般式（２９）において、Ｚ21およびＺ22は、各々炭素原子および窒素原子とともに芳香族複素環を形成するのに必要な原子群を表し、Ｍは金属を表す。Ｚ21で形成される芳香環は、前記Ｚ11と同様の芳香族複素環が挙げられ、Ｚ22で形成される芳香族複素環としては、例えば、ピロール環、ピラゾール環、イミダゾール環、トリアゾール環、インドール環、ベンゾイミダゾール環等が挙げられる。好ましくは、ピロール環、トリアゾール環の時である。【０３７３】
次に、一般式（３０）について説明する。【０３７４】
一般式（３０）において、Ｚ31は炭素原子および窒素原子とともに芳香族複素環を形成するのに必要な原子群を表し、Ｚ32は炭素原子とともに芳香族５員環を形成するのに必要な、炭素、窒素または酸素原子により構成される原子群を表し、Ｍは金属を表す。Ｚ31で形成される芳香族複素環としては前記Ｚ11と同様の芳香族複素環が挙げられ、Ｚ32で形成される芳香族５員環としては、例えば、ピロール環、フラン環、イミダゾール環、ピラゾール環、オキサゾール環、オキサジアゾール環等を挙げることができ、好ましくは含窒素芳香族複素環であり、より好ましくは窒素または酸素原子が複数個含まれる含窒素芳香族複素環である。【０３７５】
次に、一般式（３１）について説明する。【０３７６】
一般式（３１）において、Ｚ41は炭素原子および窒素原子とともに芳香族複素環を形成するのに必要な原子群を表し、Ｚ42は炭素原子とともに環を形成するのに必要な原子群を表し、Ｍは金属を表す。Ｚ41で形成される芳香族複素環は、前記Ｚ11と同様の芳香族複素環が挙げられ、Ｚ42で形成される環は、芳香環でも非芳香環でもかまわないが、好ましくは非芳香環である。【０３７７】
次に、一般式（３２）について説明する。【０３７８】
一般式（３２）において、Ｚ51は炭素原子および窒素原子とともに芳香族複素環を形成するのに必要な原子群を表し、Ｚ52は炭素原子とともにアズレン環を形成するのに必要な原子群を表し、Ｍは金属を表す。Ｚ51で形成される芳香族複素環はＺ11と同様の芳香族複素環が挙げられる。【０３７９】
上記説明した一般式（２８）〜（３２）において、Ｚ11、Ｚ12、Ｚ21、Ｚ22、Ｚ31、Ｚ32、Ｚ41、Ｚ42、Ｚ51およびＺ52によって形成される環は、更に置換基を有していても良く、また、置換基同士が結合して、更に環を形成しても良い。また、一般式（２８）〜（３２）において、Ｍは元素周期表で８族〜１０族の金属であることが好ましく、より好ましくはＭがイリジウム、オスミウムまたは白金であり、最も好ましくはＭがイリジウムである。【０３８０】
以下に、一般式（２８）〜（３２）のいずれかで表される化合物の具体例を挙げるが、本発明はこれらに限定されない。
2006008976.tif 000174
【０３８１】
2006008976.tif 000175
【０３８２】
2006008976.tif 000176
【０３８３】
2006008976.tif 000177
【０３８４】
2006008976.tif 000178
【０３８５】
2006008976.tif 000179
【０３８６】
2006008976.tif 000180
【０３８７】
2006008976.tif 000181
【０３８８】
2006008976.tif 000182
【０３８９】
2006008976.tif 000183
【０３９０】
《態様ｈ》前記青色発光性オルトメタル錯体として、下記一般式（Ａ）または（Ｂ）で表される少なくとも１種の白金錯体を用いる場合。【０３９１】
本発明に係る下記一般式（Ａ）または（Ｂ）で表される少なくとも１種の白金錯体について説明する。【０３９２】
《一般式（Ａ）で表される配位子を有する白金錯体》
本発明に係る、一般式（Ａ）で表される部分構造を有する白金錯体について説明する。【０３９３】
本発明に係る、一般式（Ａ）で表される白金錯体について説明する。【０３９４】
一般式（Ａ）において、Ｒ1、Ｒ2、Ｒ3、Ｒ4、Ｒ5、Ｒ6、Ｒ7で、各々表される置換基としては、例えば、アルキル基（例えば、メチル基、エチル基、プロピル基、イソプロピル基、（ｔ）ブチル基、ペンチル基、ヘキシル基、オクチル基、ドデシル基、トリデシル基、テトラデシル基、ペンタデシル基等）、シクロアルキル基（例えば、シクロペンチル基、シクロヘキシル基等）、アルケニル基（例えば、ビニル基、アリル基等）、アルキニル基（例えば、プロパルギル基等）、アリール基（例えば、フェニル基、トリル基、キシリル基、ナフチル基、ビフェニリル基、アントリル基、フェナントリル基、メシチル基、フルオレニル基等）、複素環基（例えば、ピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、テトラゾリル基、カルバゾリル基等）、アルコキシル基（例えば、メトキシ基、エトキシ基、プロピルオキシ基、ペンチルオキシ基、ヘキシルオキシ基、オクチルオキシ基、ドデシルオキシ基等）、シクロアルコキシル基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボ��ルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基またはアリールスルホニル基（例えば、メチルスルホニル基、エチルスルホニル基、ブチルスルホニル基、シクロヘキシルスルホニル基、２−エチルヘキシルスルホニル基、ドデシルスルホニル基、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、ニトロ基、シアノ基、シリル基（トリメチルシリル基、ｔ−ブチルジメチルシリル基、ジメチルフェニルシリル基、トリフェニルシリル基等）等が挙げられる。【０３９５】
本発明では、Ｒ1、Ｒ2、Ｒ3、Ｒ4で表される基の少なくとも一つは電子供与性基であることが好ましく、更に好ましくは、前記Ｒ1、Ｒ2、Ｒ3、Ｒ4で表される基の少なくとも二つが電子供与性基であり、また、前記電子供与性基の少なくとも一つのσｐが、−０．２０以下のものが用いられることであるが、最も好ましいのは、前記電子供与性基が、一般式（Ａ）のＲ2またはＲ4に導入されることである。【０３９６】
《σｐが−０．２０以下の電子供与性基》
ここで、σｐが−０．２０以下の電子供与性基としては、例えば、シクロプロビル基（−０．２１）、シクロヘキシル基（−０．２２）、ｔｅｒｔ−ブチル基（−０．２０）、−ＣＨ2Ｓｉ（ＣＨ3）3（−０．２１）、アミノ基（−０．６６）、ヒドロキシルアミノ基（−０．３４）、−ＮＨＮＨ2（−０．５５）、−ＮＨＣＯＮＨ2（−０．２４）、−ＮＨＣＨ3（−０．８４）、−ＮＨＣ2Ｈ5（−０．６１）、−ＮＨＣＯＮＨＣ2Ｈ5（−０．２６）、−ＮＨＣ4Ｈ9（−０．５１）、−ＮＨＣ6Ｈ5（−０．４０）、−Ｎ＝ＣＨＣ6Ｈ5（−０．５５）、−ＯＨ（−０．３７）、−ＯＣＨ3（−０．２７）、−ＯＣＨ2ＣＯＯＨ（−０．３３）、−ＯＣ2Ｈ5（−０．２４）、−ＯＣ3Ｈ7（−０．２５）、−ＯＣＨ（ＣＨ3）2（−０．４５）、−ＯＣ5Ｈ11（−０．３４）、−ＯＣＨ2Ｃ6Ｈ5（−０．４２）等が挙げられるが、本発明はこれらに限定されない。【０３９７】
一般式（Ａ）において、Ｒａ、Ｒｂで、各々表される置換基は、一般式（Ａ）において、Ｒ1、Ｒ2、Ｒ3、Ｒ4、Ｒ5、Ｒ6、Ｒ7で、各々表される置換基と同義であるが、好ましくは、Ｒａ、Ｒｂが、共にアルキル基の場合である。【０３９８】
《一般式（Ｂ）で表される配位子を有する白金錯体》
本発明に係る、一般式（Ｂ）で表される部分構造を有する白金錯体について説明する。【０３９９】
本発明に係る、一般式（Ｂ）で表される白金錯体について説明する。【０４００】
一般式（Ｂ）において、Ｒ11、Ｒ12、Ｒ13、Ｒ14、Ｒ15、Ｒ16、Ｒ17は、各々表される置換基は、一般式（１）において、Ｒ1、Ｒ2、Ｒ3、Ｒ4、Ｒ5、Ｒ6、Ｒ7で、各々表される置換基と同義である。但し、Ｒ11、Ｒ13の少なくとも一つは電子吸引性基であり、Ｒ11、Ｒ13が共に電子吸引性基であることが好ましく、更に好ましくは、前記電子吸引性基のσｐが０．１０以上である。【０４０１】
《σｐが０．１０以上の電子吸引性基》
ここで、σｐが０．１０以上の電子吸引性基としては、例えば、−Ｂ（ＯＨ）2（０．１２）、臭素原子（０．２３）、塩素原子（０．２３）、沃素原子（０．１８）、−ＣＢｒ3（−０．２９）、−ＣＣｌ3（０．３３）、−ＣＣＦ3（０．５４）、−ＣＮ（０．６６）、−ＣＨＯ（０．４２）、−ＣＯＯＨ（０．４５）、ＣＯＮＨ2（０．３６）、−ＣＨ2ＳＯ2ＣＦ3（０．３１）、−ＣＯＣＨ3（０．４５）、３−バレニル基（０．１９）、−ＣＦ（ＣＦ3）2（０．５３）、−ＣＯ2Ｃ2Ｈ5（０．４５）、−ＣＦ2ＣＦ2ＣＦ2ＣＦ3（０．５２）、−Ｃ6Ｆ5（０．４１）、２−ベンゾオキサゾリル基（０．３３）、２−ベンゾチアサゾリル基（０．２９）、−Ｃ＝Ｏ（Ｃ6Ｈ5）（０．４３）、−ＯＣＦ3（０．３５）、−ＯＳＯ2ＣＨ3（０．３６）、−ＳＯ2（ＮＨ2）（０．５７）、−ＳＯ2ＣＨ3（０．７２）、−ＣＯＣＨ2ＣＨ3（０．４８）、−ＣＯＣＨ（ＣＨ3）2（０．４７）、−ＣＯＣ（ＣＨ3）3（０．３２）等が挙げられるが、本発明はこれらに限定されない。【０４０２】
一般式（Ｂ）において、Ｒｃ、Ｒｄで、各々表される置換基は、一般式（１）において、Ｒ1、Ｒ2、Ｒ3、Ｒ4、Ｒ5、Ｒ6、Ｒ7で、各々表される置換基と同義であるが、好ましくは、Ｒｃ、Ｒｄが、共にアルキル基の場合である。【０４０３】
以下に、本発明に係る一般式（Ａ）または（Ｂ）で表される部分構造を有する白金錯体の具体例を示すが、本発明はこれらに限定されない。
2006008976.tif 000184
【０４０４】
2006008976.tif 000185
【０４０５】
2006008976.tif 000186
【０４０６】
2006008976.tif 000187
【０４０７】
2006008976.tif 000188
【０４０８】
2006008976.tif 000189
【０４０９】
2006008976.tif 000190
【０４１０】
2006008976.tif 000191
【０４１１】
2006008976.tif 000192
【０４１２】
本発明の有機ＥＬ素子に係る金属錯体（具体的には、緑色、青色、赤色の各々のオルトメタル錯体）は、例えばＯｒｇａｎｉｃ  Ｌｅｔｔｅｒ誌、ｖｏｌ３、Ｎｏ．１６、ｐ２５７９〜２５８１（２００１）、Ｉｎｏｒｇａｎｉｃ  Ｃｈｅｍｉｓｔｒｙ，第３０巻、第８号、１６８５〜１６８７ページ（１９９１年）、Ｊ．Ａｍ．Ｃｈｅｍ．Ｓｏｃ．，１２３巻、４３０４ページ（２００１年）、Ｉｎｏｒｇａｎｉｃ  Ｃｈｅｍｉｓｔｒｙ，第４０巻、第７号、１７０４〜１７１１ページ（２００１年）、Ｉｎｏｒｇａｎｉｃ  Ｃｈｅｍｉｓｔｒｙ，第４１巻、第１２号、３０５５〜３０６６ページ（２００２年）、Ｎｅｗ  Ｊｏｕｒｎａｌ  ｏｆ  Ｃｈｅｍｉｓｔｒｙ．，第２６巻、１１７１ページ（２００２年）、更に、これらの文献中に記載の参考文献等の方法を適用することにより合成できる。【０４１３】
《金属錯体を含む有機ＥＬ素子材料の有機ＥＬ素子への適用》
本発明に係るリン光性化合物を用いて、有機ＥＬ素子を作製する場合、有機ＥＬ素子の構成層（詳細は後述する）の中で、発光層または正孔阻止層に用いることが好ましい。また、発光層中では、発光ドーパントとして好ましく用いられる。【０４１４】
（発光ホストと発光ドーパント）
発光層中の主成分であるホスト化合物である発光ホストに対する発光ドーパントとの混合比は好ましくは質量で０．１質量％〜３０質量％未満の範囲に調整することである。【０４１５】
ただし、発光ドーパントは複数種の化合物を混合して用いても良く、混合する相手は構造を異にする、その他の金属錯体やその他の構造を有するリン光性ドーパントや蛍光性ドーパントでもよい。【０４１６】
本発明に係るリン光発光性化合物（単に、リン光ドーパントとともいう）の好ましく用いられる態様としては以下のような態様が挙げられる。【０４１７】
（ａ）相異なる２種以上のリン光発光性化合物が同一の発光層に含まれる場合
（ｂ）相異なる２種以上のリン光発光性化合物が各々異なる発光層に含まれる場合
（ｃ）３種の相異なるリン光発光性化合物の２種が同一の発光層に含まれ、残りの１種が、前記２種が含まれる発光層とは異なる発光層に含まれる場合
また、発光ドーパントとして用いられる、本発明に係るリン光発光性化合物と併用しても良いドーパント（リン光性ドーパント、蛍光性ドーパント等）について述べる。【０４１８】
発光ドーパントは、大きくわけて、蛍光を発光する蛍光性ドーパントとリン光を発光するリン光性ドーパントの２種類がある。【０４１９】
前者（蛍光性ドーパント）の代表例としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、又は希土類錯体系蛍光体等が挙げられる。【０４２０】
後者（リン光性ドーパント）の代表例としては、好ましくは元素の周期表で８族、９族、１０族の金属を含有する錯体系化合物であり、更に好ましくは、イリジウム化合物、オスミウム化合物であり、中でも最も好ましいのはイリジウム化合物である。【０４２１】
具体的には以下の特許公報に記載されている化合物である。【０４２２】
国際公開第００／７０６５５号パンフレット、特開２００２−２８０１７８号公報、特開２００１−１８１６１６号公報、特開２００２−２８０１７９号公報、特開２００１−１８１６１７号公報、特開２００２−２８０１８０号公報、特開２００１−２４７８５９号公報、特開２００２−２９９０６０号公報、特開２００１−３１３１７８号公報、特開２００２−３０２６７１号公報、特開２００１−３４５１８３号公報、特開２００２−３２４６７９号公報、国際公開第０２／１５６４５号パンフレット、特開２００２−３３２２９１号公報、特開２００２−５０４８４号公報、特開２００２−３３２２９２号公報、特開２００２−８３６８４号公報、特表２００２−５４０５７２号公報、特開２００２−１１７９７８号公報、特開２００２−３３８５８８号公報、特開２００２−１７０６８４号公報、特開２００２−３５２９６０号公報、国際公開第０１／９３６４２号パンフレット、特開２００２−５０４８３号公報、特開２００２−１００４７６号公報、特開２００２−１７３６７４号公報、特開２００２−３５９０８２号公報、特開２００２−１７５８８４号公報、特開２００２−３６３５５２号公報、特開２００２−１８４５８２号公報、特開２００３−７４６９号公報、特表２００２−５２５８０８号公報、特開２００３−７４７１号公報、特表２００２−５２５８３３号公報、特開２００３−３１３６６号公報、特開２００２−２２６４９５号公報、特開２００２−２３４８９４号公報、特開２００２−２３５０７６号公報、特開２００２−２４１７５１号公報、特開２００１−３１９７７９号公報、特開２００１−３１９７８０号公報、特開２００２−６２８２４号公報、特開２００２−１００４７４号公報、特開２００２−２０３６７９号公報、特開２００２−３４３５７２号公報、特開２００２−２０３６７８号公報等。【０４２３】
本発明に係るリン光発光性化合物と併用してもよい化合物の一部を下記に示す。
2006008976.tif 000193
【０４２４】
2006008976.tif 000194
【０４２５】
2006008976.tif 000195
【０４２６】
（発光ホスト）
発光ホスト（単にホストともいう）とは、２種以上の化合物で構成される発光層中にて混合比（質量）の最も多い化合物のことを意味し、それ以外の化合物については「ドーパント化合物（単に、ドーパントともいう）」という。例えば、発光層を化合物Ａ、化合物Ｂという２種で構成し、その混合比がＡ：Ｂ＝１０：９０であれば化合物Ａがドーパント化合物であり、化合物Ｂがホスト化合物である。更に、発光層を化合物Ａ、化合物Ｂ、化合物Ｃの３種から構成し、その混合比がＡ：Ｂ：Ｃ＝５：１０：８５であれば、化合物Ａ、化合物Ｂがドーパント化合物であり、化合物Ｃがホスト化合物である。【０４２７】
本発明に用いられる発光ホストとしては、構造的には特に制限はないが、代表的にはカルバゾール誘導体、トリアリールアミン誘導体、芳香族ボラン誘導体、含窒素複素環化合物、チオフェン誘導体、フラン誘導体、オリゴアリーレン化合物等の基本骨格を有するもの、または、カルボリン誘導体やジアザカルバゾール誘導体（ここで、ジアザカルバゾール誘導体とは、カルボリン誘導体のカルボリン環を構成する炭化水素環の少なくとも一つの炭素原子が窒素原子で置換されているものを表す。）等が挙げられる。【０４２８】
中でもカルボリン誘導体、ジアザカルバゾール誘導体、上記一般式（３３）で表される化合物等が好ましく用いられる。【０４２９】
《一般式（３３）で表される化合物》
本発明に係る一般式（３３）で表される化合物について説明する。【０４３０】
本発明者等は、鋭意検討の結果、前記一般式（３３）で表される化合物を発光層または該発光層の隣接層に含み、後述するリン光発光性化合物を発光層に用いて作製した有機ＥＬ素子は、発光効率が高くなり、且つ、長寿命化出来ることを見出した。【０４３１】
前記一般式（３３）において、Ｚ1は置換基を有してもよい芳香族複素環を表し、Ｚ2は置換基を有してもよい芳香族複素環、もしくは芳香族炭化水素環を表し、Ｚ3は２価の連結基、もしくは単なる結合手を表す。Ｒ101は水素原子、もしくは置換基を表す。【０４３２】
前記一般式（３３）において、Ｚ1、Ｚ2で表される芳香族複素環としては、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子が更に窒素原子で置換されている環等が挙げられる。更に、前記芳香族複素環は、後述するＲ101で表される置換基を有してもよい。【０４３３】
前記一般式（３３）において、Ｚ2で表される芳香族炭化水素環としては、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。更に、前記芳香族炭化水素環は、後述するＲ101で表される置換基を有してもよい。【０４３４】
一般式（３３）において、Ｒ101で表される置換基としては、アルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等）、シクロアルキル基（例えば、シクロペンチル基、シクロヘキシル基等）、アルケニル基（例えば、ビニル基、アリル基等）、アルキニル基（例えば、エチニル基、プロパルギル基等）、アリール基（例えば、フェニル基、ナフチル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、フタラジニル基等）、複素環基（例えば、ピロリジル基、イミダゾリジル基、モルホリル基、オキサゾリジル基等）、アルコキシル基（例えば、メトキシ基、エトキシ基、プロピルオキシ基、ペンチルオキシ基、ヘキシルオキシ基、オクチルオキシ基、ドデシルオキシ基等）、シクロアルコキシル基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基ナフチルウレイド基、２−ピリジルアミノウレイド基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基（例えば、メチルスルホニル基、エチルスルホニル基、ブチルスルホニル基、シクロヘキシルスルホニル基、２−エチルヘキシルスルホニル基、ドデシルスルホニル基等）、アリールスルホニル基（フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、ハロゲン原子（例えば、フッ素原子、塩素原子、臭素原子等）、フッ化炭化水素基（例えば、フルオロメチル基、トリフルオロメチル基、ペンタフルオロエチル基、ペンタフルオロフェニル基等）、シアノ基、ニトロ基、ヒドロキシ基、メルカプト基、シリル基（例えば、トリメチルシリル基、トリイソプロピルシリル基、トリフェニルシリル基、フェニルジエチルシリル基等）、等が挙げられる。【０４３５】
これらの置換基は、上記の置換基によって更に置換されていてもよい。また、これらの置換基は複数が互いに結合して環を形成していてもよい。【０４３６】
好ましい置換基としては、アルキル基、シクロアルキル基、フッ化炭化水素基、アリール基、芳香族複素環基である。【０４３７】
２価の連結基としては、アルキレン、アルケニレン、アルキニレン、アリーレンなどの炭化水素基のほか、ヘテロ原子を含むものであってもよく、また、チオフェン−２，５−ジイル基や、ピラジン−２，３−ジイル基のような、芳香族複素環を有する化合物（ヘテロ芳香族化合物ともいう）に由来する２価の連結基であってもよいし、酸素や硫黄などのカルコゲン原子であってもよい。また、アルキルイミノ基、ジアルキルシランジイル基やジアリールゲルマンジイル基のような、ヘテロ原子を会して連結する基でもよい。【０４３８】
単なる結合手とは、連結する置換基同士を直接結合する結合手である。【０４３９】
本発明においては、前記一般式（３３）のＺ1が６員環であることが好ましい。これにより、より発光効率を高くすることができる。更に、一層長寿命化させることができる。【０４４０】
また、本発明においては、前記一般式（３３）のＺ2が６員環であることが好ましい。これにより、より発光効率を高くすることができる。更に、より一層長寿命化させることができる。【０４４１】
更に、前記一般式（３３）のＺ1とＺ2を共に６員環とすることで、より一層発光効率と高くすることができるので好ましい。更に、より一層長寿命化させることができるので好ましい。【０４４２】
前記一般式（３３）で表される化合物で好ましいのは、前記一般式（３３−１）〜（３３−１３）で各々表される化合物である。【０４４３】
前記一般式（３３−１）において、Ｒ501〜Ｒ507は、各々独立に、水素原子、もしくは置換基を表す。【０４４４】
前記一般式（３３−１）で表される化合物を用いることで、より発光効率の高い有機ＥＬ素子とすることができる。更に、より長寿命の有機ＥＬ素子とすることができる。【０４４５】
前記一般式（３３−２）において、Ｒ511〜Ｒ517は、各々独立に、水素原子、もしくは置換基を表す。【０４４６】
前記一般式（３３−２）で表される化合物を用いることで、より発光効率の高い有機ＥＬ素子とすることができる。更に、より長寿命の有機ＥＬ素子とすることができる。【０４４７】
前記一般式（３３−３）において、Ｒ521〜Ｒ527は、各々独立に、水素原子、もしくは置換基を表す。【０４４８】
前記一般式（３３−３）で表される化合物を用いることで、より発光効率の高い有機ＥＬ素子とすることができる。更に、より長寿命の有機ＥＬ素子とすることができる。【０４４９】
前記一般式（３３−４）において、Ｒ531〜Ｒ537は、各々独立に、水素原子、もしくは置換基を表す。【０４５０】
前記一般式（３３−４）で表される化合物を用いることで、より発光効率の高い有機ＥＬ素子とすることができる。更に、より長寿命の有機ＥＬ素子とすることができる。【０４５１】
前記一般式（３３−５）において、Ｒ541〜Ｒ548は、各々独立に、水素原子、もしくは置換基を表す。【０４５２】
前記一般式（３３−５）で表される化合物を用いることで、より発光効率の高い有機ＥＬ素子とすることができる。更に、より長寿命の有機ＥＬ素子とすることができる。【０４５３】
前記一般式（３３−６）において、Ｒ551〜Ｒ558は、各々独立に、水素原子、もしくは置換基を表す。【０４５４】
前記一般式（３３−６）で表される化合物を用いることで、より発光効率の高い有機ＥＬ素子とすることができる。更に、より長寿命の有機ＥＬ素子とすることができる。【０４５５】
前記一般式（３３−７）において、Ｒ561〜Ｒ567は、各々独立に、水素原子、もしくは置換基を表す。【０４５６】
前記一般式（３３−７）で表される化合物を用いることで、より発光効率の高い有機ＥＬ素子とすることができる。更に、より長寿命の有機ＥＬ素子とすることができる。【０４５７】
前記一般式（３３−８）において、Ｒ571〜Ｒ577は、各々独立に、水素原子、もしくは置換基を表す。【０４５８】
前記一般式（３３−８）で表される化合物を用いることで、より発光効率の高い有機ＥＬ素子とすることができる。更に、より長寿命の有機ＥＬ素子とすることができる。【０４５９】
前記一般式（３３−９）において、Ｒ５８１〜Ｒ５８８は、各々独立に水素原子または置換基を表す。【０４６０】
前記一般式（３３−９）で表される化合物を用いることで、より発光効率の高い有機ＥＬ素子とすることができる。更に、より長寿命の有機ＥＬ素子とすることができる。【０４６１】
前記一般式（３３−１０）において、Ｒ５９１〜Ｒ５９８は、各々独立に水素原子または置換基を表す。【０４６２】
前記一般式（３３−１０）で表される化合物を用いることで、より発光効率の高い有機ＥＬ素子とすることができる。更に、長寿命の有機ＥＬ素子とすることができる。【０４６３】
また、前記一般式（３３）で表される化合物で好ましいものは、前記一般式（３４−１）〜（３４−１０）のいずれかで表される基を少なくとも一つを有する化合物である。特に、分子内に前記一般式（３４−１）〜（３４−１０）のいずれかで表される基を２つから４つ有することがより好ましい。このとき、前記一般式（３３）で表される構造において、Ｒ101を除いた部分が、前記一般式（３４−１）〜（３４−１０）のいずれかに置き換わる場合を含む。【０４６４】
このとき、特に前記一般式（３５）〜（４９）で表される化合物であることが本発明の効果を得る上で好ましい。【０４６５】
前記一般式（３５）において、Ｒ601〜Ｒ606は、水素原子、もしくは置換基を表すが、Ｒ601〜Ｒ606の少なくとも一つは前記一般式（３４−１）〜（３４−１０）のいずれかで表される基を表す。【０４６６】
前記一般式（３５）で表される化合物を用いることにより、より発光効率の高い有機ＥＬ素子とすることができる。更に、より長寿命の有機ＥＬ素子とすることができる。【０４６７】
前記一般式（３６）において、Ｒ611〜Ｒ620は、水素原子、もしくは置換基を表すが、Ｒ611〜Ｒ620の少なくとも一つは前記一般式（３４−１）〜（３４−１０）のいずれかで表される基を表す。【０４６８】
前記一般式（３６）で表される化合物を用いることで、より発光効率の高い有機ＥＬ素子とすることができる。更に、より長寿命の有機ＥＬ素子とすることができる。【０４６９】
前記一般式（３７）において、Ｒ621〜Ｒ623は、水素原子、もしくは置換基を表すが、Ｒ611〜Ｒ620の少なくとも一つは前記一般式（３４−１）〜（３４−１０）のいずれかで表される基を表す。【０４７０】
前記一般式（３７）で表される化合物を用いることで、より発光効率の高い有機ＥＬ素子とすることができる。更に、より長寿命の有機ＥＬ素子とすることができる。【０４７１】
前記一般式（３８）において、Ｒ631〜Ｒ645は、水素原子、もしくは置換基を表すが、Ｒ631〜Ｒ645の少なくとも一つは前記一般式（３４−１）〜（３４−１０）のいずれかで表される基を表す。【０４７２】
前記一般式（３８）で表される化合物を用いることで、より発光効率の高い有機ＥＬ素子とすることができる。更に、より長寿命の有機ＥＬ素子とすることができる。【０４７３】
前記一般式（３９）において、Ｒ651〜Ｒ656は、水素原子、もしくは置換基を表すが、Ｒ651〜Ｒ656の少なくとも一つは前記一般式（３４−１）〜（３４−１０）のいずれかで表される基を表す。ｎａは０〜５の整数を表し、ｎｂは１〜６の整数を表すが、ｎａとｎｂの和が６である。【０４７４】
前記一般式（３９）で表される化合物を用いることで、より発光効率の高い有機ＥＬ素子とすることができる。更に、より長寿命の有機ＥＬ素子とすることができる。【０４７５】
前記一般式（４０）において、Ｒ661〜Ｒ672は、水素原子、もしくは置換基を表すが、Ｒ661〜Ｒ672の少なくとも一つは前記一般式（３４−１）〜（３４−１０）のいずれかで表される基を表す。【０４７６】
前記一般式（４０）で表される化合物を用いることで、より発光効率の高い有機ＥＬ素子とすることができる。更に、より長寿命の有機ＥＬ素子とすることができる。【０４７７】
前記一般式（４１）において、Ｒ681〜Ｒ688は、水素原子、もしくは置換基を表すが、Ｒ681〜Ｒ688の少なくとも一つは前記一般式（３４−１）〜（３４−１０）のいずれかで表される基を表す。【０４７８】
前記一般式（４１）で表される化合物を用いることで、より発光効率の高い有機ＥＬ素子とすることができる。更に、より長寿命の有機ＥＬ素子とすることができる。【０４７９】
前記一般式（４２）において、Ｒ691〜Ｒ700は、水素原子、もしくは置換基を表すが、Ｒ691〜Ｒ700の少なくとも一つは前記一般式（３４−１）〜（３４−１０）のいずれかで表される基を表す。【０４８０】
前記一般式（４２）において、Ｌ1で表される２価の連結基としては、アルキレン基（例えば、エチレン基、トリメチレン基、テトラメチレン基、プロピレン基、エチルエチレン基、ペンタメチレン基、ヘキサメチレン基、２，２，４−トリメチルヘキサメチレン基、ヘプタメチレン基、オクタメチレン基、ノナメチレン基、デカメチレン基、ウンデカメチレン基、ドデカメチレン基、シクロヘキシレン基（例えば、１，６−シクロヘキサンジイル基等）、シクロペンチレン基（例えば、１，５−シクロペンタンジイル基など）等）、アルケニレン基（例えば、ビニレン基、プロペニレン基等）、アルキニレン基（例えば、エチニレン基、３−ペンチニレン基等）、アリーレン基などの炭化水素基のほか、ヘテロ原子を含む基（例えば、−Ｏ−、−Ｓ−等のカルコゲン原子を含む２価の基、−Ｎ（Ｒ）−基、ここで、Ｒは、水素原子またはアルキル基を表し、該アルキル基は、前記一般式（３３）において、Ｒ101で表されるアルキル基と同義である）等が挙げられる。【０４８１】
また、上記のアルキレン基、アルケニレン基、アルキニレン基、アリーレン基の各々においては、２価の連結基を構成する炭素原子の少なくとも一つが、カルコゲン原子（酸素、硫黄等）や前記−Ｎ（Ｒ）−基等で置換されていても良い。【０４８２】
更に、Ｌ1で表される２価の連結基としては、例えば、２価の複素環基を有する基が用いられ、例えば、オキサゾールジイル基、ピリミジンジイル基、ピリダジンジイル基、ピランジイル基、ピロリンジイル基、イミダゾリンジイル基、イミダゾリジンジイル基、ピラゾリジンジイル基、ピラゾリンジイル基、ピペリジンジイル基、ピペラジンジイル基、モルホリンジイル基、キヌクリジンジイル基等が挙げられ、また、チオフェン−２，５−ジイル基や、ピラジン−２，３−ジイル基のような、芳香族複素環を有する化合物（ヘテロ芳香族化合物ともいう）に由来する２価の連結基であってもよい。【０４８３】
また、アルキルイミノ基、ジアルキルシランジイル基やジアリールゲルマンジイル基のようなヘテロ原子を会して連結する基であってもよい。【０４８４】
前記一般式（４２）で表される化合物を用いることで、より発光効率の高い有機ＥＬ素子とすることができる。更に、より長寿命の有機ＥＬ素子とすることができる。【０４８５】
前記一般式（４３）〜一般式（４７）で各々表される化合物において、Ｒ1、Ｒ2で各々表される置換基としては、前記一般式（３３）において、Ｒ101で表される置換基と同時である。【０４８６】
前記一般式（４７）において、Ｚ1、Ｚ2、Ｚ3、Ｚ4で各々表される、各々窒素原子を少なくとも一つ含む６員の芳香族複素環としては、例えば、ピリジン環、ピリダジン環、ピリミジン環、ピラジン環等が挙げられる。【０４８７】
前記一般式（４８）において、Ｚ1、Ｚ2で各々表される、各々窒素原子を少なくとも一つ含む６員の芳香族複素環としては、例えば、ピリジン環、ピリダジン環、ピリミジン環、ピラジン環等が挙げられる。【０４８８】
前記一般式（４８）において、Ａｒ1、Ａｒ2で各々表されるアリーレン基としては、ｏ−フェニレン基、ｍ−フェニレン基、ｐ−フェニレン基、ナフタレンジイル基、アントラセンジイル基、ナフタセンジイル基、ピレンジイル基、ナフチルナフタレンジイル基、ビフェニルジイル基（例えば、３，３′−ビフェニルジイル基、３，６−ビフェニルジイル基等）、テルフェニルジイル基、クアテルフェニルジイル基、キンクフェニルジイル基、セキシフェニルジイル基、セプチフェニルジイル基、オクチフェニルジイル基、ノビフェニルジイル基、デシフェニルジイル基等が挙げられる。また、前記アリーレン基は更に後述する置換基を有していてもよい。【０４８９】
前記一般式（４８）において、Ａｒ1、Ａｒ2で各々表される２価の芳香族複素環基は、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、カルボリン環を構成する炭化水素環の炭素原子が更に窒素原子で置換されている環等から導出される２価の基等が挙げられる。更に、前記芳香族複素環基は、前記Ｒ101で表される置換基を有してもよい。【０４９０】
前記一般式（４８）において、Ｌで表される２価の連結基としては、前記一般式（４２）において、Ｌ1で表される２価の連結基と同義であるが、好ましくはアルキレン基、−Ｏ−、−Ｓ−等のカルコゲン原子を含む２価の基であり、もっとも好ましくはアルキレン基である。【０４９１】
前記一般式（４９）において、Ａｒ1、Ａｒ2で、各々表されるアリーレン基は、前記一般式（４８）において、Ａｒ1、Ａｒ2で各々表されるアリーレン基と同義である。【０４９２】
前記一般式（４９）において、Ａｒ1、Ａｒ2で各々表される芳香族複素環基は、前記一般式（４８）において、Ａｒ1、Ａｒ2で各々表される２価の芳香族複素環基と同義である。【０４９３】
前記一般式（４９）において、Ｚ1、Ｚ2、Ｚ3、Ｚ4で各々表される、各々窒素原子を少なくとも一つ含む６員の芳香族複素環としては、例えば、ピリジン環、ピリダジン環、ピリミジン環、ピラジン環等が挙げられる。【０４９４】
前記一般式（４９）において、Ｌで表される２価の連結基としては、前記一般式（４２）において、Ｌ1で表される２価の連結基と同義であるが、好ましくはアルキレン基、−Ｏ−、−Ｓ−等のカルコゲン原子を含む２価の基であり、もっとも好ましくはアルキレン基である。【０４９５】
以下に、本発明に係る一般式（３３）で表される化合物の具体例を示すが、本発明はこれらに限定されない。
2006008976.tif 000196
【０４９６】
2006008976.tif 000197
【０４９７】
2006008976.tif 000198
【０４９８】
2006008976.tif 000199
【０４９９】
2006008976.tif 000200
【０５００】
2006008976.tif 000201
【０５０１】
2006008976.tif 000202
【０５０２】
2006008976.tif 000203
【０５０３】
2006008976.tif 000204
【０５０４】
2006008976.tif 000205
【０５０５】
2006008976.tif 000206
【０５０６】
2006008976.tif 000207
【０５０７】
2006008976.tif 000208
【０５０８】
2006008976.tif 000209
【０５０９】
2006008976.tif 000210
【０５１０】
2006008976.tif 000211
【０５１１】
2006008976.tif 000212
【０５１２】
2006008976.tif 000213
【０５１３】
2006008976.tif 000214
【０５１４】
2006008976.tif 000215
【０５１５】
2006008976.tif 000216
【０５１６】
2006008976.tif 000217
【０５１７】
2006008976.tif 000218
【０５１８】
2006008976.tif 000219
【０５１９】
2006008976.tif 000220
【０５２０】
2006008976.tif 000221
【０５２１】
2006008976.tif 000222
【０５２２】
2006008976.tif 000223
【０５２３】
2006008976.tif 000224
【０５２４】
2006008976.tif 000225
【０５２５】
2006008976.tif 000226
【０５２６】
2006008976.tif 000227
【０５２７】
2006008976.tif 000228
【０５２８】
2006008976.tif 000229
【０５２９】
2006008976.tif 000230
【０５３０】
また、本発明に用いられる発光ホストは低分子化合物でも、繰り返し単位をもつ高分子化合物でもよく、ビニル基やエポキシ基のような重合性基を有する低分子化合物（蒸着重合性発光ホスト）でもいい。【０５３１】
発光ホストとしては、正孔輸送能、電子輸送能を有しつつ、且つ、発光の長波長化を防ぎ、高Ｔｇ（ガラス転移温度）である化合物が好ましい。【０５３２】
発光ホストの具体例としては、以下の文献に記載されている化合物が好適である。例えば、特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等。【０５３３】
次に、代表的な有機ＥＬ素子の構成について述べる。【０５３４】
《有機ＥＬ素子の構成層》
本発明の有機ＥＬ素子の構成層について説明する。【０５３５】
本発明の有機ＥＬ素子の層構成の好ましい具体例を以下に示すが、本発明はこれらに限定されない。（ｉ）陽極／正孔輸送層／発光層／正孔阻止層／電子輸送層／陰極（ii）陽極／電子阻止層／発光層／正孔阻止層／電子輸送層／陰極（iii）陽極／正孔輸送層／電子阻止層／発光層／正孔阻止層／電子輸送層／陰極（iv）陽極／正孔輸送層／電子阻止層／発光層／正孔阻止層／電子輸送層／陰極（ｖ）陽極／正孔輸送層／電子阻止層／発光層／正孔阻止層／電子輸送層／陰極バッファー層／陰極（vi）陽極／陽極バッファー層／正孔輸送層／電子阻止層／発光層／正孔阻止層／電子輸送層／陰極バッファー層／陰極（vii）陽極／陽極バッファー層／正孔輸送層／電子阻止層／発光層／正孔阻止層／電子輸送層／陰極バッファー層／陰極
《阻止層（電子阻止層、正孔阻止層）》
本発明に係る阻止層（例えば、電子阻止層、正孔阻止層）について説明する。【０５３６】
本発明においては、正孔阻止層、電子阻止層等に、本発明の有機ＥＬ素子材料をを用いることが好ましく、特に好ましくは正孔阻止層に用いることである。【０５３７】
本発明の有機ＥＬ素子材料を正孔阻止層、電子阻止層に含有させる場合、前記（１）〜（１７）のいずれか１項に記載されている、本発明に係る金属錯体を正孔阻止層や電子阻止層等の層構成成分として１００質量％の状態で含有させてもよいし、他の有機化合物（例えば、本発明の有機ＥＬ素子の構成層に用いられる化合物等）等と混合してもよい。【０５３８】
本発明に係る阻止層の膜厚としては好ましくは３ｎｍ〜１００ｎｍであり、更に好ましくは５ｎｍ〜３０ｎｍである。【０５３９】
《正孔阻止層》
正孔阻止層とは広い意味では電子輸送層の機能を有し、電子を輸送する機能を有しつつ正孔を輸送する能力が著しく小さい材料からなり、電子を輸送しつつ正孔を阻止することで電子と正孔の再結合確率を向上させることができる。【０５４０】
正孔阻止層としては、例えば特開平１１−２０４２５８号公報、同１１−２０４３５９号公報、及び「有機ＥＬ素子とその工業化最前線（１９９８年１１月３０日  エヌ・ティー・エス社発行）」の２３７頁等に記載の正孔阻止（ホールブロック）層等を本発明に係る正孔阻止層として適用可能である。また、後述する電子輸送層の構成を必要に応じて、本発明に係る正孔阻止層として用いることが出来る。【０５４１】
《電子阻止層》
一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層の構成を必要に応じて電子阻止層として用いることが出来る。【０５４２】
また、本発明においては、発光層に隣接する隣接層、即ち、正孔阻止層、電子阻止層に、上記一般式（３３）で表される化合物を用いることが好ましく、特に正孔阻止層に用いることが好ましい。【０５４３】
《正孔輸送層》
正孔輸送層とは正孔を輸送する機能を有する材料を含み、広い意味で正孔注入層、電子阻止層も正孔輸送層に含まれる。正孔輸送層は単層もしくは複数層設けることができる。【０５４４】
正孔輸送材料としては、特に制限はなく、従来、光導伝材料において、正孔の電荷注入輸送材料として慣用されているものやＥＬ素子の正孔注入層、正孔輸送層に使用される公知のものの中から任意のものを選択して用いることができる。【０５４５】
正孔輸送材料は、正孔の注入もしくは輸送、電子の障壁性のいずれかを有するものであり、有機物、無機物のいずれであってもよい。例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また、導電性高分子オリゴマー、特にチオフェンオリゴマー等が挙げられる。【０５４６】
正孔輸送材料としては、上記のものを使用することができるが、ポルフィリン化合物、芳香族第三級アミン化合物及びスチリルアミン化合物、特に芳香族第三級アミン化合物を用いることが好ましい。【０５４７】
芳香族第三級アミン化合物及びスチリルアミン化合物の代表例としては、Ｎ，Ｎ，Ｎ’，Ｎ’−テトラフェニル−４，４’−ジアミノフェニル；Ｎ，Ｎ’−ジフェニル−Ｎ，Ｎ’−ビス（３−メチルフェニル）−〔１，１’−ビフェニル〕−４，４’−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ’，Ｎ’−テトラ−ｐ−トリル−４，４’−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ’−ジフェニル−Ｎ，Ｎ’−ジ（４−メトキシフェニル）−４，４’−ジアミノビフェニル；Ｎ，Ｎ，Ｎ’，Ｎ’−テトラフェニル−４，４’−ジアミノジフェニルエーテル；４，４’−ビス（ジフェニルアミノ）クオードリフェニル；Ｎ，Ｎ，Ｎ−トリ（ｐ−トリル）アミン；４−（ジ−ｐ−トリルアミノ）−４’−〔４−（ジ−ｐ−トリルアミノ）スチリル〕スチルベン；４−Ｎ，Ｎ−ジフェニルアミノ−（２−ジフェニルビニル）ベンゼン；３−メトキシ−４’−Ｎ，Ｎ−ジフェニルアミノスチルベンゼン；Ｎ−フェニルカルバゾール、さらには、米国特許第５，０６１，５６９号明細書に記載されている２個の縮合芳香族環を分子内に有するもの、例えば４，４’−ビス〔Ｎ−（１−ナフチル）−Ｎ−フェニルアミノ〕ビフェニル（ＮＰＤ）、特開平４−３０８６８８号公報に記載されているトリフェニルアミンユニットが３つスターバースト型に連結された４，４’，４’’−トリス〔Ｎ−（３−メチルフェニル）−Ｎ−フェニルアミノ〕トリフェニルアミン（ＭＴＤＡＴＡ）等が挙げられる。【０５４８】
さらにこれらの材料を高分子鎖に導入した、またはこれらの材料を高分子の主鎖とした高分子材料を用いることもできる。【０５４９】
また、ｐ型−Ｓｉ、ｐ型−ＳｉＣ等の無機化合物も正孔注入材料、正孔輸送材料として使用することができる。また、正孔輸送材料は、高Ｔｇであることが好ましい。【０５５０】
この正孔輸送層は、上記正孔輸送材料を、例えば真空蒸着法、スピンコート法、キャスト法、インクジェット法、ＬＢ法等の公知の方法により、薄膜化することにより形成することができる。正孔輸送層の膜厚については特に制限はないが、通常は５ｎｍ〜５０００ｎｍ程度である。この正孔輸送層は、上記材料の一種または二種以上からなる一層構造であってもよい。【０５５１】
《電子輸送層》
電子輸送層とは電子を輸送する機能を有する材料からなり、広い意味で電子注入層、正孔阻止層も電子輸送層に含まれる。電子輸送層は、単層もしくは複数層を設けることができる。【０５５２】
従来、単層の電子輸送層、及び複数層とする場合は発光層に対して陰極側に隣接する電子輸送層に用いられる電子輸送材料（正孔阻止材料を兼ねる）としては、下記の材料が知られている。【０５５３】
さらに、電子輸送層は、陰極より注入された電子を発光層に伝達する機能を有していればよく、その材料としては従来公知の化合物の中から任意のものを選択して用いることができる。【０５５４】
この電子輸送層に用いられる材料（以下、電子輸送材料という）の例としては、ニトロ置換フルオレン誘導体、ジフェニルキノン誘導体、チオピランジオキシド誘導体、ナフタレンペリレンなどの複素環テトラカルボン酸無水物、カルボジイミド、フレオレニリデンメタン誘導体、アントラキノジメタン及びアントロン誘導体、オキサジアゾール誘導体などが挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。【０５５５】
さらにこれらの材料を高分子鎖に導入した、またはこれらの材料を高分子の主鎖とした高分子材料を用いることもできる。【０５５６】
また、８−キノリノール誘導体の金属錯体、例えばトリス（８−キノリノール）アルミニウム（Ａｌｑ）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）など、及びこれらの金属錯体の中心金属がＩｎ、Ｍｇ、Ｃｕ、Ｃａ、Ｓｎ、Ｇａ又はＰｂに置き替わった金属錯体も、電子輸送材料として用いることができる。その他、メタルフリー若しくはメタルフタロシアニン、又はそれらの末端がアルキル基やスルホン酸基などで置換されているものも、電子輸送材料として好ましく用いることができる。また、発光層の材料として例示したジスチリルピラジン誘導体も、電子輸送材料として用いることができるし、正孔注入層、正孔輸送層と同様に、ｎ型−Ｓｉ、ｎ型−ＳｉＣなどの無機半導体も電子輸送材料として用いることができる。【０５５７】
この電子輸送層は、上記電子輸送材料を、例えば真空蒸着法、スピンコート法、キャスト法、インクジェット法、ＬＢ法等の公知の方法により、薄膜化することにより形成することができる。電子輸送層の膜厚については特に制限はないが、通常は５〜５０００ｎｍ程度である。この電子輸送層は、上記材料の一種または二種以上からなる一層構造であってもよい。【０５５８】
次に、本発明の有機ＥＬ素子の構成層として用いられる、注入層について説明する。【０５５９】
《注入層》：電子注入層、正孔注入層
注入層は必要に応じて設け、電子注入層と正孔注入層があり、上記のごとく陽極と発光層または正孔輸送層の間、及び、陰極と発光層または電子輸送層との間に存在させてもよい。【０５６０】
注入層とは、駆動電圧低下や発光輝度向上のために電極と有機層間に設けられる層のことで、「有機ＥＬ素子とその工業化最前線（１９９８年１１月３０日  エヌ・ティー・エス社発行）」の第２編第２章「電極材料」（１２３〜１６６頁）に詳細に記載されており、正孔注入層（陽極バッファー層）と電子注入層（陰極バッファー層）とがある。【０５６１】
陽極バッファー層（正孔注入層）は、特開平９−４５４７９号公報、同９−２６００６２号公報、同８−２８８０６９号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリン（エメラルディン）やポリチオフェン等の導電性高分子を用いた高分子バッファー層等が挙げられる。【０５６２】
陰極バッファー層（電子注入層）は、特開平６−３２５８７１号公報、同９−１７５７４号公報、同１０−７４５８６号公報等にもその詳細が記載されており、具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。【０５６３】
上記バッファー層（注入層）はごく薄い膜であることが望ましく、素材にもよるが、その膜厚は０．１ｎｍ〜１００ｎｍの範囲が好ましい。【０５６４】
この注入層は、上記材料を、例えば真空蒸着法、スピンコート法、キャスト法、インクジェット法、ＬＢ法等の公知の方法により、薄膜化することにより形成することができる。注入層の膜厚については特に制限はないが、通常は５〜５０００ｎｍ程度である。この注入層は、上記材料の一種または二種以上からなる一層構造であってもよい。【０５６５】
《陽極》
本発明の有機ＥＬ素子に係る陽極としては、仕事関数の大きい（４ｅＶ以上）金属、合金、電気伝導性化合物及びこれらの混合物を電極物質とするものが好ましく用いられる。このような電極物質の具体例としてはＡｕ等の金属、ＣｕＩ、インジウムチンオキシド（ＩＴＯ）、ＳｎＯ2、ＺｎＯ等の導電性透明材料が挙げられる。また、ＩＤＩＸＯ（Ｉｎ2Ｏ3−ＺｎＯ）等非晶質で透明導電膜を作製可能な材料を用いてもよい。陽極は、これらの電極物質を蒸着やスパッタリング等の方法により、薄膜を形成させ、フォトリソグラフィー法で所望の形状のパターンを形成してもよく、あるいはパターン精度をあまり必要としない場合は（１００μｍ以上程度）、上記電極物質の蒸着やスパッタリング時に所望の形状のマスクを介してパターンを形成してもよい。この陽極より発光を取り出す場合には、透過率を１０％より大きくすることが望ましく、また、陽極としてのシート抵抗は数百Ω／□以下が好ましい。さらに膜厚は材料にもよるが、通常１０ｎｍ〜１０００ｎｍ、好ましくは１０ｎｍ〜２００ｎｍの範囲で選ばれる。【０５６６】
《陰極》
一方、本発明に係る陰極としては、仕事関数の小さい（４ｅＶ以下）金属（電子注入性金属と称する）、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物、アルミニウム等が好適である。陰極は、これらの電極物質を蒸着やスパッタリング等の方法により、薄膜を形成させることにより、作製することができる。また、陰極としてのシート抵抗は数百Ω／□以下が好ましく、膜厚は通常１０ｎｍ〜１０００ｎｍ、好ましくは５０ｎｍ〜２００ｎｍの範囲で選ばれる。なお、発光を透過させるため、有機ＥＬ素子の陽極または陰極のいずれか一方が、透明または半透明であれば発光輝度が向上し好都合である。【０５６７】
《基体（基板、基材、支持体等ともいう）》
本発明の有機ＥＬ素子に係る基体としては、ガラス、プラスチック等の種類には特に限定はなく、また、透明のものであれば特に制限はないが、好ましく用いられる基板としては例えばガラス、石英、光透過性樹脂フィルムを挙げることができる。特に好ましい基体は、有機ＥＬ素子にフレキシブル性を与えることが可能な樹脂フィルムである。【０５６８】
樹脂フィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルム等が挙げられる。【０５６９】
樹脂フィルムの表面には、無機物もしくは有機物の被膜またはその両者のハイブリッド被膜が形成されていてもよく、水蒸気透過率が０．０１ｇ／ｍ2・ｄａｙ・ａｔｍ以下の高バリア性フィルムであることが好ましい。【０５７０】
本発明の有機エレクトロルミネッセンス素子の発光の室温における外部取り出し効率は１％以上であることが好ましく、より好ましくは２％以上である。ここに、外部取り出し量子効率（％）＝有機ＥＬ素子外部に発光した光子数／有機ＥＬ素子に流した電子数×１００である。【０５７１】
また、カラーフィルター等の色相改良フィルター等を併用してもよい。【０５７２】
照明用途で用いる場合には、発光ムラを低減させるために粗面加工したフィルム（アンチグレアフィルム等）を併用することもできる。【０５７３】
多色表示装置として用いる場合は少なくとも２種類の異なる発光極大波長を有する有機ＥＬ素子からなるが、有機ＥＬ素子を作製する好適な例を説明する。【０５７４】
《有機ＥＬ素子の作製方法》
本発明の有機ＥＬ素子の作製方法の一例として、陽極／正孔注入層／正孔輸送層／発光層／正孔阻止層／電子輸送層／陰極バッファー層／陰極からなる有機ＥＬ素子の作製法について説明する。【０５７５】
まず適当な基体上に、所望の電極物質、例えば陽極用物質からなる薄膜を、１μｍ以下、好ましくは１０ｎｍ〜２００ｎｍの膜厚になるように、蒸着やスパッタリング等の方法により形成させ、陽極を作製する。次に、この上に素子材料である正孔注入層、正孔輸送層、発光層、正孔阻止層、電子輸送層等の有機化合物を含有する薄膜を形成させる。【０５７６】
この有機化合物を含有する薄膜の薄膜化の方法としては、前記の如くスピンコート法、キャスト法、インクジェット法、蒸着法、印刷法等があるが、均質な膜が得られやすく、かつピンホールが生成しにくい等の点から、真空蒸着法またはスピンコート法が特に好ましい。さらに層ごとに異なる製膜法を適用してもよい。製膜に蒸着法を採用する場合、その蒸着条件は、使用する化合物の種類等により異なるが、一般にボート加熱温度５０℃〜４５０℃、真空度１０-6Ｐａ〜１０-2Ｐａ、蒸着速度０．０１ｎｍ〜５０ｎｍ／秒、基板温度−５０℃〜３００℃、膜厚０．１ｎｍ〜５μｍの範囲で適宜選ぶことが望ましい。【０５７７】
これらの層の形成後、その上に陰極用物質からなる薄膜を、１μｍ以下好ましくは５０ｎｍ〜２００ｎｍの範囲の膜厚になるように、例えば蒸着やスパッタリング等の方法により形成させ、陰極を設けることにより、所望の有機ＥＬ素子が得られる。この有機ＥＬ素子の作製は、一回の真空引きで一貫して正孔注入層から陰極まで作製するのが好ましいが、途中で取り出して異なる製膜法を施してもかまわない。その際、作業を乾燥不活性ガス雰囲気下で行う等の配慮が必要となる。【０５７８】
《表示装置》
本発明の表示装置について説明する。【０５７９】
本発明の表示装置は単色でも多色でもよいが、ここでは、多色表示装置について説明する。多色表示装置の場合は、発光層形成時のみシャドーマスクを設け、一面に蒸着法、キャスト法、スピンコート法、インクジェット法、印刷法等で膜を形成できる。【０５８０】
発光層のみパターニングを行う場合、その方法に限定はないが、好ましくは蒸着法、インクジェット法、印刷法である。蒸着法を用いる場合においてはシャドーマスクを用いたパターニングが好ましい。【０５８１】
また作製順序を逆にして、陰極、電子輸送層、正孔阻止層、発光層、正孔輸送層、陽極の順に作製することも可能である。【０５８２】
このようにして得られた多色表示装置に、直流電圧を印加する場合には、陽極を＋、陰極を−の極性として電圧２〜４０Ｖ程度を印加すると、発光が観測できる。また、逆の極性で電圧を印加しても電流は流れずに発光は全く生じない。さらに、交流電圧を印加する場合には、陽極が＋、陰極が−の状態になったときのみ発光する。なお、印加する交流の波形は任意でよい。【０５８３】
多色表示装置は、表示デバイス、ディスプレー、各種発光光源として用いることができる。表示デバイス、ディスプレーにおいて、青、赤、緑発光の３種の有機ＥＬ素子を用いることにより、フルカラーの表示が可能となる。【０５８４】
表示デバイス、ディスプレーとしてはテレビ、パソコン、モバイル機器、ＡＶ機器、文字放送表示、自動車内の情報表示等が挙げられる。特に静止画像や動画像を再生する表示装置として使用してもよく、動画再生用の表示装置として使用する場合の駆動方式は単純マトリックス（パッシブマトリックス）方式でもアクティブマトリックス方式でもどちらでもよい。【０５８５】
発光光源としては家庭用照明、車内照明、時計や液晶用のバックライト、看板広告、信号機、光記憶媒体の光源、電子写真複写機の光源、光通信処理機の光源、光センサーの光源等が挙げられるがこれに限定するものではない。【０５８６】
《照明装置》
本発明の照明装置につ居て説明する。【０５８７】
本発明の有機ＥＬ素子に共振器構造を持たせた有機ＥＬ素子として用いてもよく、このような共振器構造を有した有機ＥＬ素子の使用目的としては光記憶媒体の光源、電子写真複写機の光源、光通信処理機の光源、光センサーの光源等が挙げられるが、これらに限定されない。また、レーザー発振をさせることにより、上記用途に使用してもよい。【０５８８】
また、本発明の有機ＥＬ素子は、照明用や露光光源のような一種のランプとして使用しても良いし、画像を投影するタイプのプロジェクション装置や、静止画像や動画像を直接視認するタイプの表示装置（ディスプレイ）として使用しても良い。動画再生用の表示装置として使用する場合の駆動方式は単純マトリクス（パッシブマトリクス）方式でもアクティブマトリクス方式でもどちらでも良い。または、異なる発光色を有する本発明の有機ＥＬ素子を２種以上使用することにより、フルカラー表示装置を作製することが可能である。【０５８９】
以下、本発明の有機ＥＬ素子を有する表示装置の一例を図面に基づいて説明する。【０５９０】
図１は、有機ＥＬ素子から構成される表示装置の一例を示した模式図である。有機ＥＬ素子の発光により画像情報の表示を行う、例えば、携帯電話等のディスプレイの模式図である。【０５９１】
ディスプレイ１は、複数の画素を有する表示部Ａ、画像情報に基づいて表示部Ａの画像走査を行う制御部Ｂ等からなる。【０５９２】
制御部Ｂは、表示部Ａと電気的に接続され、複数の画素それぞれに外部からの画像情報に基づいて走査信号と画像データ信号を送り、走査信号により走査線毎の画素が画像データ信号に応じて順次発光して画像走査を行って画像情報を表示部Ａに表示する。【０５９３】
図２は、表示部Ａの模式図である。【０５９４】
表示部Ａは基板上に、複数の走査線５及びデータ線６を含む配線部と、複数の画素３等とを有する。表示部Ａの主要な部材の説明を以下に行う。【０５９５】
図においては、画素３の発光した光が、白矢印方向（下方向）へ取り出される場合を示している。【０５９６】
配線部の走査線５及び複数のデータ線６は、それぞれ導電材料からなり、走査線５とデータ線６は格子状に直交して、直交する位置で画素３に接続している（詳細は図示していない）。【０５９７】
画素３は、走査線５から走査信号が印加されると、データ線６から画像データ信号を受け取り、受け取った画像データに応じて発光する。発光の色が赤領域の画素、緑領域の画素、青領域の画素を、適宜、同一基板上に並置することによって、フルカラー表示が可能となる。【０５９８】
次に、画素の発光プロセスを説明する。【０５９９】
図３は、画素の模式図である。【０６００】
画素は、有機ＥＬ素子１０、スイッチングトランジスタ１１、駆動トランジスタ１２、コンデンサ１３等を備えている。複数の画素に有機ＥＬ素子１０として、赤色、緑色、青色発光の有機ＥＬ素子を用い、これらを同一基板上に並置することでフルカラー表示を行うことができる。【０６０１】
図３において、制御部Ｂからデータ線６を介してスイッチングトランジスタ１１のドレインに画像データ信号が印加される。そして、制御部Ｂから走査線５を介してスイッチングトランジスタ１１のゲートに走査信号が印加されると、スイッチングトランジスタ１１の駆動がオンし、ドレインに印加された画像データ信号がコンデンサ１３と駆動トランジスタ１２のゲートに伝達される。【０６０２】
画像データ信号の伝達により、コンデンサ１３が画像データ信号の電位に応じて充電されるとともに、駆動トランジスタ１２の駆動がオンする。駆動トランジスタ１２は、ドレインが電源ライン７に接続され、ソースが有機ＥＬ素子１０の電極に接続されており、ゲートに印加された画像データ信号の電位に応じて電源ライン７から有機ＥＬ素子１０に電流が供給される。【０６０３】
制御部Ｂの順次走査により走査信号が次の走査線５に移ると、スイッチングトランジスタ１１の駆動がオフする。しかし、スイッチングトランジスタ１１の駆動がオフしてもコンデンサ１３は充電された画像データ信号の電位を保持するので、駆動トランジスタ１２の駆動はオン状態が保たれて、次の走査信号の印加が行われるまで有機ＥＬ素子１０の発光が継続する。順次走査により次に走査信号が印加されたとき、走査信号に同期した次の画像データ信号の電位に応じて駆動トランジスタ１２が駆動して有機ＥＬ素子１０が発光する。【０６０４】
すなわち、有機ＥＬ素子１０の発光は、複数の画素それぞれの有機ＥＬ素子１０に対して、アクティブ素子であるスイッチングトランジスタ１１と駆動トランジスタ１２を設けて、複数の画素３それぞれの有機ＥＬ素子１０の発光を行っている。このような発光方法をアクティブマトリクス方式と呼んでいる。【０６０５】
ここで、有機ＥＬ素子１０の発光は、複数の階調電位を持つ多値の画像データ信号による複数の階調の発光でもよいし、２値の画像データ信号による所定の発光量のオン、オフでもよい。【０６０６】
また、コンデンサ１３の電位の保持は、次の走査信号の印加まで継続して保持してもよいし、次の走査信号が印加される直前に放電させてもよい。【０６０７】
本発明においては、上述したアクティブマトリクス方式に限らず、走査信号が走査されたときのみデータ信号に応じて有機ＥＬ素子を発光させるパッシブマトリクス方式の発光駆動でもよい。【０６０８】
図４は、パッシブマトリクス方式による表示装置の模式図である。図４において、複数の走査線５と複数の画像データ線６が画素３を挟んで対向して格子状に設けられている。【０６０９】
順次走査により走査線５の走査信号が印加されたとき、印加された走査線５に接続している画素３が画像データ信号に応じて発光する。パッシブマトリクス方式では画素３にアクティブ素子が無く、製造コストの低減が計れる。【０６１０】
本発明に係わる有機ＥＬ材料は、また、照明装置として、実質白色の発光を生じる有機ＥＬ素子に適用できる。複数の発光材料により複数の発光色を同時に発光させて混色により白色発光を得る。複数の発光色の組み合わせとしては、青色、緑色、青色の３原色の３つの発光極大波長を含有させたものでも良いし、青色と黄色、青緑と橙色等の補色の関係を利用した２つの発光極大波長を含有したものでも良い。【０６１１】
また、複数の発光色を得るための発光材料の組み合わせは、複数のリン光または蛍光を発光する材料（発光ドーパント）を、複数組み合わせたもの、蛍光またはリン光を発光する発光材料と、該発光材料からの光を励起光として発光する色素材料とを組み合わせたもののいずれでも良いが、本発明に係わる白色有機エレクトロルミネッセンス素子においては、発光ドーパントを複数組み合わせる方式が好ましい。【０６１２】
複数の発光色を得るための有機エレクトロルミネッセンス素子の層構成としては、複数の発光ドーパントを、一つの発光層中に複数存在させる方法、複数の発光層を有し、各発光層中に発光波長の異なるドーパントをそれぞれ存在させる方法、異なる波長に発光する微小画素をマトリックス状に形成する方法等が挙げられる。【０６１３】
本発明に係わる白色有機エレクトロルミネッセンス素子においては、必要に応じ製膜時にメタルマスクやインクジェットプリンティング法等でパターニングを施してもよい。パターニングする場合は、電極のみをパターニングしてもいいし、電極と発光層をパターニングしてもいいし、素子全層をパターニングしてもいい。【０６１４】
発光層に用いる発光材料としては特に制限はなく、例えば液晶表示素子におけるバックライトであれば、ＣＦ（カラーフィルター）特性に対応した波長範囲に適合するように、本発明に係わる白金錯体、また公知の発光材料の中から任意のものを選択して組み合わせて白色化すれば良い。【０６１５】
このように、本発明の白色発光有機ＥＬ素子は、前記表示デバイス、ディスプレーに加えて、各種発光光源、照明装置として、家庭用照明、車内照明、また、露光光源のような一種のランプとして、液晶表示装置のバックライト等、表示装置にも有用に用いられる。【０６１６】
その他、時計等のバックライト、看板広告、信号機、光記憶媒体等の光源、電子写真複写機の光源、光通信処理機の光源、光センサーの光源等、更には表示装置を必要とする一般の家庭用電気器具等広い範囲の用途が挙げられる。
【実施例】
【０６１７】
以下に実施例を挙げて本発明を説明するが、本発明はこれらに限定されない。【０６１８】
ここで、実施例に使用の化合物（表に記載のもの、表に記載がなく、単に評価記載があるものも含まれる。）の一覧を示す。
2006008976.tif 000231
【０６１９】
2006008976.tif 000232
【０６２０】
2006008976.tif 000233
【０６２１】
2006008976.tif 000234
【０６２２】
2006008976.tif 000235
【０６２３】
2006008976.tif 000236
【０６２４】
2006008976.tif 000237
【０６２５】
2006008976.tif 000238
【０６２６】
2006008976.tif 000239
【０６２７】
実施例１
《白色発光有機ＥＬ素子１−１の作製》：本発明
２５ｍｍ×２５ｍｍ×０．５ｍｍのガラス支持基板上に直流電源を用い、スパッタ法にてインジウム錫酸化物（ＩＴＯ、インジウム／錫＝９５／５モル比）の陽極を形成した（厚み２００ｎｍ）。この陽極の表面抵抗は１０Ω／□であった。次いで、素子作製後に１０ｍＡ／ｃｍ2通電した時の緑色発光成分の比率（％）が６５％になるように、ポリビニルカルバゾール（正孔輸送性バインダーポリマー）／ＢＤＭ−１（青発光性オルトメタル化錯体）／ＧＤＭ−１：トリス（２−フェニルピリジン）イリジウム錯体（緑色発光性オルトメタル化錯体）／ＲＤＭ−１：ビス（２−ベンゾチオフェン［ｂ］−２−イル−ピリジン）アセチルアセトナ−トイリジウム錯体（赤発光性オルトメタル化錯体）／２−（４−ビフェニリル）−５−（４−ｔ−ブチルフェニル）−１，３，４−オキサジアゾール（電子輸送材）＝２００／２／５／２／５０（質量比）を調製、溶解したジクロロエタン溶液をスピンコーターで塗布し、１００ｎｍの発光層を得た。【０６２８】
得られた発光層の上にパターニングしたマスク（発光面積が５ｍｍ×５ｍｍとなるマスク）を設置し、蒸着装置内において、陰極バッファー層としてフッ化リチウム０．５ｎｍおよび陰極としてアルミニウム１５０ｎｍを蒸着して陰極を設けた。陽極、陰極よりそれぞれアルミニウムのリード線を出して発光素子を作製した。該素子を窒素ガスで置換したグローブボックス内に入れ、ガラス製の封止容器で紫外線硬化型接着剤（長瀬チバ製、ＸＮＲ５４９３）を用いて封止処理を行い、図５に示すような白色発光有機ＥＬ素子１−１（本発明）を得た。【０６２９】
《白色発光有機ＥＬ素子１−２〜１−１５の作製》
白色発光有機ＥＬ素子１−１の作製において、表１に記載の材料を用いて、また、表１に記載のように、各素子の発光スペクトル中の緑色発光成分スペクトル比率を調整した以外は同様にして、白色発光有機ＥＬ素子１−２〜１−１２（本発明）、白色発光有機ＥＬ素子１−１３〜１−１５（比較例）を作製した。【０６３０】
《緑色スペクトル成分比率測定用試料ＧＯＬＥＤ−１の作製》
白色発光有機ＥＬ素子１の１０ｍＡ通電時の緑色スペクトル成分比率の測定に用いる為、緑色スペクトル成分比率測定用試料ＧＯＬＥＤ−１を以下のように作製した。【０６３１】
２５ｍｍ×２５ｍｍ×０．５ｍｍのガラス支持基板上に直流電源を用い、スパッタ法にてインジウム錫酸化物（ＩＴＯ、インジウム／錫＝９５／５モル比）の陽極を形成した（厚み２００ｎｍ）。この陽極の表面抵抗は１０Ω／□であった。これにポリビニルカルバゾール（正孔輸送性バインダーポリマー）／トリス（２−フェニルピリジン）イリジウム錯体（緑色発光性オルトメタル化錯体）／２−（４−ビフェニリル）−５−（４−ｔ−ブチルフェニル）−１，３，４−オキサジアゾール（電子輸送材）＝２００／１０／５０質量比を溶解したジクロロエタン溶液をスピンコーターで塗布し、１００ｎｍの発光層を得た。この有機化合物層の上にパターニングしたマスク（発光面積が５ｍｍ×５ｍｍとなるマスク）を設置し、蒸着装置内で陰極バッファー層としてフッ化リチウム０．５ｎｍおよび陰極としてアルミニウム１５０ｎｍを蒸着して陰極を設けた。陽極、陰極よりそれぞれアルミニウムのリード線を出して発光素子を作製した。該素子を窒素ガスで置換したグローブボックス内に入れ、ガラス製の封止容器で紫外線硬化型接着剤（長瀬チバ製、ＸＮＲ５４９３）を用いて封止して比較用の緑色発光素子を作製した。この緑発光素子より得られた緑光のスペクトル曲線を図７に示す。【０６３２】
《緑色スペクトル成分比率測定用試料ＧＯＬＥＤ−２〜４の作製》
緑色スペクトル成分比率測定用試料ＧＯＬＥＤ−１の作製において、緑色発光材料を表１に記載のように変更した以外は同様にして、緑色スペクトル成分比率測定用試料ＧＯＬＥＤ−２〜４を各々作製した。【０６３３】
【表１】
2006008976.tif 000240
【０６３４】
《白色発光有機ＥＬ素子１−１〜１−１５の評価》
得られた白色発光有機ＥＬ素子１−１〜１−１５の各々について、下記に記載の方法を用いて、発光輝度、発光効率、白色光のＣＩＥ輝度、及び、青色発光の極大波長等を求めた。【０６３５】
《緑色発光性オルトメタル錯体のスペクトル成分比率》
得られた各素子の白色発光スペクトル曲線と別途作製した、スペクトル成分比率測定用試料ＧＯＬＥＤ−１〜４の測定によって得られた緑発光スペクトル曲線を使って波形比較を行い（例えば、ＧＤＭ−１を用いている素子には、ＧＤＭ−１を用いているＧＯＬＥＤ−１を用いて波形比較を行った。）、白色発光スペクトル分布のうちの、緑色発光性オルトメタル錯体の発光スペクトル成分の比率を算出した。【０６３６】
ここで、白色スペクトルとしては、各素子に１０ｍＡ／ｃｍ2通電した時の４００ｎｍ〜８００ｎｍの領域における発光スペクトルを用いた。【０６３７】
また、スペクトル成分比率の算出方法としては２つのスペクトル曲線を緑発光極大（この場合は）で規格化した時の各々のスペクトル曲線と横軸（波長軸）によって囲まれる部分の面積を各々白色発光強度（ＥＬｗｈｉｔｅ）、緑色発光強度（ＥＬｇｒｅｅｎ）とし、Ａｇｒｅｅｎ＝（ＥＬｇｒｅｅｎ）／（ＥＬｗｈｉｔｅ）の値を持って緑色発光性オルトメタル錯体の発光スペクトル成分の比率とした。白色発光素子に緑色発光性の化合物が含まれない場合は計算するまでもなく緑色発光のスペクトル成分比率は０とする。【０６３８】
《発光輝度、発光効率》
得られた有機ＥＬ素子１−１〜１−１５の各々に、東洋テクニカ製ソースメジャーユニット２４００型を用いて、直流電圧を有機ＥＬ素子に印加して発光させた。１０Ｖ直流電圧を印加した時の発光輝度（ｃｄ／ｍ2）、２．５ｍＡ／ｃｍ2通電時の発光効率（ｌｍ／Ｗ）を測定した。【０６３９】
《白色光のＣＩＥ輝度》
得られた有機ＥＬ素子１−１〜１−１５の各々に、１０ｍＡ／ｃｍ2の電流を通じた時の発光スペクトルを浜松ホトニクス製スペクトルアナライザ−ＰＭＡ−１１を用いて測定し、ＣＩＥ色度座標値で示した。【０６４０】
本発明に係る白色光のＣＩＥ色度座標としては、（０．２８〜０．３８、０．２８〜０．３８）の座標値が好ましいが、特に好ましくは、（０．３３、０．３３）である。【０６４１】
評価結果を表２に示す。【０６４２】
【表２】
2006008976.tif 000241
【０６４３】
表２から、比較に比べて、本発明の白色発光有機ＥＬ素子は、高発光輝度、高発光効率を示しながら、且つ、得られる白色光のＣＩＥ色度が好ましい範囲に入っていることが判る。また、上記の青色ドーパントＢＤＭ−１０〜４５を本発明の試料１−１のＢＤＭ−１の代わりに用いた素子試料も同様に好ましい効果を示した。【０６４４】
実施例２
《白色発光有機ＥＬ素子２−１の作製》
２５ｍｍ×２５ｍｍ×０．５ｍｍのガラス支持基板上に直流電源を用い、スパッタ法にてインジウム錫酸化物（ＩＴＯ、インジウム／錫＝９５／５モル比）の陽極を形成した（厚み２００ｎｍ）。この陽極の表面抵抗は１０Ω／□であった。この陽極上に正孔輸送層として、Ｎ，Ｎ’−ジナフチル−Ｎ，Ｎ’−ジフェニルベンジジン（α−ＮＰＤ）を真空蒸着法にて３０ｎｍの膜厚で設けた。この上にホスト材料ＨＭ−１と青発光材料ＢＤＭ−１をそれぞれを３ｎｍ／秒、０．３ｎｍ／秒の速度で共蒸着して１０ｎｍの第一発光層を設けた。その上にホスト材料４，４’−Ｎ，Ｎ’−ジカルバゾールビフェニル（ＣＢＰ）、緑発光材料ＧＤＭ−１をそれぞれ３ｎｍ／秒、０．５ｎｍ／秒の速度で共蒸着して２０ｎｍの第二発光層を設けた。さらにその上にホスト材料ＣＢＰ、赤発光材料ＲＤＭ−１をそれぞれ３ｎｍ／秒、０．１ｎｍ／秒の速度で共蒸着して１０ｎｍの第三発光層を得た。【０６４５】
さらにその上に、ＢＣＰを１０ｎｍの膜厚で設けて正孔阻止層とした。【０６４６】
更に、その上に電子輸送材としてＡｌｑ3を膜厚２５ｎｍで蒸着して電子輸送層を設けた。この有機化合物層の上にパターニングしたマスク（発光面積が５ｍｍ×５ｍｍとなるマスク）を設置し、蒸着装置内で陰極バッファー層としてフッ化リチウム０．５ｎｍおよび陰極としてアルミニウム１５０ｎｍを蒸着して陰極を設けた。陽極、陰極よりそれぞれアルミニウムのリード線を出して発光素子を作製した。該素子を窒素ガスで置換したグローブボックス内に入れ、ガラス製の封止容器で紫外線硬化型接着剤（長瀬チバ製、ＸＮＲ５４９３）を用いて封止して、本発明の白色発光有機ＥＬ素子２−１を得た。【０６４７】
《白色発光有機ＥＬ素子２−２〜２−１９の作製》
白色発光有機ＥＬ素子２−１の作製において、表３〜表５に記載の材料、層構成を用いた以外は同様にして、白色発光有機ＥＬ素子２−２〜２−１９を各々作製した。【０６４８】
《緑色スペクトル成分比率測定用試料ＧＯＬＥＤ−５の作製》
実施例２で作製した素子の１０ｍＡ通電時の緑色スペクトル成分比率の測定に用いる為、緑色スペクトル成分比率測定用試料ＧＯＬＥＤ−５を以下のように作製した。【０６４９】
２５ｍｍ×２５ｍｍ×０．５ｍｍのガラス支持基板上に直流電源を用い、スパッタ法にてインジウム錫酸化物（ＩＴＯ、インジウム／錫＝９５／５モル比）の陽極を形成した（厚み２００ｎｍ）。この陽極の表面抵抗は１０Ω／□であった。この陽極上に正孔輸送層として、α−ＮＰＤを真空蒸着法にて３０ｎｍの膜厚で設けた。その上にホスト材料ＣＢＰ、緑発光材料ＧＤＭ−１をそれぞれ３ｎｍ／秒、０．５ｎｍ／秒の速度で共蒸着して４０ｎｍの緑色発光層を設けた。さらにその上に、ＢＣＰを１０ｎｍの膜厚で設けて正孔阻止層とした。さらにその上に電子輸送材としてＡｌｑ3を膜厚２５ｎｍで蒸着して電子輸送層を設けた。【０６５０】
この電子輸送層の上にパターニングしたマスク（発光面積が５ｍｍ×５ｍｍとなるマスク）を設置し、蒸着装置内で陰極バッファー層としてフッ化リチウム０．５ｎｍおよび陰極としてアルミニウム１５０ｎｍを蒸着して陰極を設けた。陽極、陰極よりそれぞれアルミニウムのリード線を出して発光素子を作製した。該素子を窒素ガスで置換したグローブボックス内に入れ、ガラス製の封止容器で紫外線硬化型接着剤（長瀬チバ製、ＸＮＲ５４９３）を用いて封止して比較用の緑発光素子を作製した。この緑発光素子より得られた緑光のスペクトル曲線を図８に示す。【０６５１】
《緑色スペクトル成分比率測定用試料ＧＯＬＥＤ−６〜８の作製》
緑色スペクトル成分比率測定用試料ＧＯＬＥＤ−５の作製において、緑色発光材料を表１に記載のように変更した以外は同様にして、緑色スペクトル成分比率測定用試料ＧＯＬＥＤ−６〜８を各々作製した。【０６５２】
【表３】
2006008976.tif 000242
【０６５３】
【表４】
2006008976.tif 000243
【０６５４】
【表５】
2006008976.tif 000244
【０６５５】
得られた白色発光有機ＥＬ素子２−１〜２−１９の各々を実施例１に記載と同様の方法により評価した。【０６５６】
得られた結果を表６に示す。【０６５７】
【表６】
2006008976.tif 000245
【０６５８】
表６から、比較に比べて、本発明の白色発光有機ＥＬ素子は、高発光輝度、高発光効率を示しながら、且つ、得られる白色光のＣＩＥ色度が好ましい範囲に入っていることが判る。【０６５９】
実施例３
《白色発光素子および白色照明装置の作製》
実施例１または実施例２に記載の素子を実施例１と同様な方法および同様な構造の封止缶を具備させ平面ランプを作製した。図６に平面ランプの模式図を示した。図６（ａ）に平面模式を図６（ｂ）に断面模式図を示す。【０６６０】
この平面ランプに通電したところほぼ白色の光が得られ、照明装置として使用できることがわかった。
【産業上の利用可能性】
【０６６１】
本発明により、高発光輝度、高発光効率を示し、且つ、白色発光のＣＩＥ色純度の高い有機ＥＬ素子、前記素子を用いた表示装置及び照明装置を提供することが出来た。
【図１】
2006008976.tif 000308
【図２】
2006008976.tif 000309
【図３】
2006008976.tif 000310
【図４】
2006008976.tif 000311
【図５】
2006008976.tif 000312
【図６】
2006008976.tif 000313
【図７】
2006008976.tif 000314
【図８】
2006008976.tif 000315
【国際調査報告】
2006008976.tif 000316
2006008976.tif 000317
2006008976.tif 000318
2006008976.tif 000319
2006008976.tif 000320
2006008976.tif 000321
2006008976.tif 000322
2006008976.tif 000323